(57)【要約】【課題】従来、漫画の作成が行えるグループウェア環境が存在しなかった。【解決手段】１以上の第一装置から、漫画の原案を有する１以上の原案情報を受信する原案受信部と、原案情報を原案格納部に蓄積する原案蓄積部と、第一装置から作画依頼を受信する作画依頼受信部と、作画依頼に対応して、第三装置から作画の担当を承認する旨を示す承認情報を受信する承認情報受信部と、承認情報受信部が受信した承認情報に対応する第三装置から原案を特定する情報と、当該原案に対応する作画とを有する作画情報を受信する作画受信部と、作画受信部が受信した作画情報が有する作画を用いて完成された漫画を有する漫画情報を漫画格納部に蓄積する漫画蓄積部とを具備する漫画作成支援装置により、各自の得意な作業を生かして、漫画の作成が行えるグループウェア環境を提供できる。【選択図】図１
2015219905.tif 000002
【特許請求の範囲】
【請求項１】
漫画を有する１以上の漫画情報を格納し得る漫画格納部と、
漫画の原案を有する１以上の原案情報を格納し得る原案格納部と、
１以上の第一装置から、漫画の原案を有する１以上の原案情報を受信する原案受信部と、
前記原案受信部が受信した原案情報を前記原案格納部に蓄積する原案蓄積部と、
第一装置から、作画の担当の依頼であり、作画の担当候補を識別する作画者識別子を有する依頼である作画依頼を受信する作画依頼受信部と、
前記作画依頼に対応して、第三装置から、作画の担当を承認する旨を示す承認情報を受信する承認情報受信部と、
前記承認情報受信部が受信した承認情報に対応する第三装置から、原案を特定する情報と、当該原案に対応する作画とを有する作画情報を受信する作画受信部と、
前記作画受信部が受信した作画情報が有する作画を用いて完成された漫画を有する漫画情報を前記漫画格納部に蓄積する漫画蓄積部とを具備する漫画作成支援装置。
【請求項２】
前記作画依頼受信部が受信した作画依頼が有する作画者識別子に対応する１以上の第三装置に、作画の依頼を受けるか否かの回答を求める依頼であり、原案を特定する情報を有する依頼である作画回答依頼を送信する作画回答依頼送信部をさらに具備し、
前記承認情報受信部は、
前記作画回答依頼の送信に応じて、前記１以上の第三装置のうちのいずれか１以上の第三装置から、作画の担当を承認する旨を示す承認情報を受信する請求項１記載の漫画作成支援装置。
【請求項３】
漫画を有する１以上の漫画情報を格納し得る漫画格納部と、
漫画の原案を有する１以上の原案情報を格納し得る原案格納部と、
１以上の第一装置から、漫画の原案を有する１以上の原案情報を受信する原案受信部と、
前記原案受信部が受信した原案情報を前記原案格納部に蓄積する原案蓄積部と、
１以上の第三装置から、作画を担当する旨の申し出であり、原案を特定する情報を有する申し出である１以上の作画担当申出を受信する作画担当申出受信部と、
前記１以上の作画担当申出のうちの、少なくとも一の作画担当申出に対して、前記第一装置から承認を示す承認情報を受信する承認情報受信部と、
前記承認情報受信部が受信した承認情報に対応する第三装置から、原案を特定する情報と当該原案に対応する作画とを有する作画情報を受信する作画受信部と、
前記作画受信部が受信した作画情報が有する作画を用いて完成された漫画を有する漫画情報を前記漫画格納部に蓄積する漫画蓄積部とを具備する漫画作成支援装置。
【請求項４】
前記１以上の各作画担当申出の受信に応じて、前記１以上の各作画担当申出が有する原案を特定する情報に対応する第一装置に、前記１以上の各第三装置に対応する作画者の候補者である作画候補者からの作画を担当する旨の申し出である作画候補者担当申出を送信する作画担当申出送信部をさらに具備し、
前記承認情報受信部は、
前記作画候補者担当申出の送信に応じて、少なくとも一の作画候補者担当申出に対して、承認を示す承認情報を前記第一装置から受信する請求項３記載の漫画作成支援装置。
【請求項５】
漫画を有する１以上の漫画情報を格納し得る漫画格納部と、
漫画の原案を有する１以上の原案情報を格納し得る原案格納部と、
１以上の第一装置から、１以上の原案情報を受信する原案受信部と、
前記原案受信部が受信した１以上の原案情報を前記原案格納部に蓄積する原案蓄積部と、
１以上の各第三装置から、原案を特定する情報と当該原案に対応する作画とを有する作画情報を受信する作画受信部と、
一の作画に対する承認を示す情報であり、当該作画を特定する情報を有する承認情報を前記第一装置から受信する承認情報受信部と、
前記承認情報が有する作画を特定する情報に対応する作画を用いて完成された漫画を有する漫画情報を前記漫画格納部に蓄積する漫画蓄積部とを具備する漫画作成支援装置。
【請求項６】
前記漫画の原案は原作またはネームであり、
前記漫画の原案が原作の場合、１以上の各第二装置から、原案を特定する情報と当該原案を特定する情報で特定される原作に対するネームとを有する１以上のネーム情報を受信するネーム受信部と、
前記ネーム受信部が受信した１以上のネーム情報を前記原案格納部に蓄積するネーム蓄積部とをさらに具備する請求項１から請求項５いずれか一項に記載の漫画作成支援装置。
【請求項７】
漫画を完成させるための処理の流れとして、前記第一装置から原案である原作を受信する第一ステップ、前記第二装置からネームを受信する第二ステップ、および前記第三装置から作画を受信する第三ステップの３工程を有する第一処理の場合、または前記第一装置から原案である原作とネームとを受信する第一ステップ、および前記第三装置から作画を受信する第三ステップの２工程を有する第二処理の場合があり得、
前記承認情報受信部が、
前記第一処理の場合および前記第二処理の場合において、一のステップに進むために当該一のステップより前の工程のステップに対応するすべての装置から、前記一のステップに対応する作品または作品の作者に対する承認を示す承認情報を受信した場合に、前記一のステップに進み得る請求項１から請求項６いずれか一項に記載の漫画作成支援装置。
【請求項８】
前記作画受信部は、
一の原案に対して、２以上の各第三装置から作画情報を受信する請求項１から請求項７いずれか一項に記載の漫画作成支援装置。
【請求項９】
前記原案は原作であり、
前記ネーム受信部は、
一の原案に対して、２以上の各第二装置からネーム情報を受信し、
前記作画受信部は、
一のネームに対して、２以上の各第三装置から作画情報を受信する請求項１から請求項７いずれか一項に記載の漫画作成支援装置。
【請求項１０】
漫画の複数の作成寄与者からなるグループに関する情報であり、グループを識別するグループ識別子と漫画の作成寄与者を識別する２以上の寄与者識別子とを有する１以上のグループ情報を格納し得るグループ情報格納部と、
寄与者識別子で識別できる寄与者の装置である第一装置または第二装置または第三装置から送信されたコメントと寄与者識別子とを含む１以上のコメント情報をグループ識別子に対応付けて格納し得るコメント情報格納部と、
原作者とネーム作成者と作画者のグループに関するグループ情報、または原案者と作画者のグループに関するグループ情報を生成し、前記グループ情報格納部に蓄積するグループ情報生成部と、
寄与者の装置から、寄与者識別子とコメントとを含むコメント情報と、グループ識別子とを受信するコメント情報受信部と、
前記コメント情報受信部が受信したコメント情報を、前記コメント情報受信部が受信したグループ識別子に対応付けて、前記コメント情報格納部に蓄積するコメント情報蓄積部と、
寄与者の装置から、コメントを閲覧する指示であり、グループ識別子を有するコメント閲覧指示を受信するコメント閲覧指示受信部と、
前記コメント閲覧指示の受信に応じて、前記コメント閲覧指示が有するグループ識別子に対応する１以上のコメントを前記コメント情報格納部から取得し、当該１以上のコメントを前記寄与者の装置に送信するコメント送信部とをさらに具備する請求項１から請求項９いずれか一項に記載の漫画作成支援装置。
【請求項１１】
前記グループ情報生成部は、
一の原作に対応する原作者と一のネームのネーム作成者と一の作画の作画者のグループに関するグループ情報、または一の原案の原案者と一の作画の作画者のグループに関するグループ情報を生成し、前記グループ情報格納部に蓄積し、かつ、
２以上のグループに対応する２以上の原作が同一、または２以上のグループに対応する２以上の原作および２以上のネームが同一である請求項１０記載の漫画作成支援装置。
【請求項１２】
漫画の作画を有する１以上の作画情報を格納し得る作画格納部と、
前記作画受信部が受信した作画情報を前記作画格納部に蓄積する作画蓄積部とをさらに具備し、
前記承認情報受信部は、
前記作画格納部の作画情報に対する承認情報を受信し、
前記漫画蓄積部は、
前記承認情報に対する作画情報が有する作画を有する漫画情報を前記漫画格納部に蓄積する請求項１から請求項１１いずれか一項に記載の漫画作成支援装置。
【請求項１３】
記録媒体は、
漫画を有する１以上の漫画情報を格納し得る漫画格納部と、
漫画の原案を有する１以上の原案情報を格納し得る原案格納部とを具備し、
原案受信部、原案蓄積部、作画依頼受信部、承認情報受信部、作画受信部、および漫画蓄積部により実現され得る漫画作成支援方法であって、
前記原案受信部が、１以上の第一装置から、漫画の原案を有する１以上の原案情報を受信する原案受信ステップと、
前記原案蓄積部が、前記原案受信ステップで受信された原案情報を前記原案格納部に蓄積する原案蓄積ステップと、
前記作画依頼受信部が、第一装置から、作画の担当の依頼であり、作画の担当候補を識別する作画者識別子を有する依頼である作画依頼を受信する作画依頼受信ステップと、
前記承認情報受信部が、前記作画依頼に対応して、第三装置から、作画の担当を承認する旨を示す承認情報を受信する承認情報受信ステップと、
前記作画受信部が、前記承認情報受信ステップで受信された承認情報に対応する第三装置から、原案を特定する情報と、当該原案に対応する作画とを有する作画情報を受信する作画受信ステップと、
前記漫画蓄積部が、前記作画受信ステップで受信された作画情報が有する作画を用いて完成された漫画を有する漫画情報を前記漫画格納部に蓄積する漫画蓄積ステップとを具備する漫画作成支援方法。
【請求項１４】
記録媒体は、
漫画を有する１以上の漫画情報を格納し得る漫画格納部と、
漫画の原案を有する１以上の原案情報を格納し得る原案格納部とを具備し、
原案受信部、原案蓄積部、作画担当申出受信部、承認情報受信部、作画受信部、および漫画蓄積により実現され得る漫画作成支援方法であって、
前記原案受信部が、１以上の第一装置から、漫画の原案を有する１以上の原案情報を受信する原案受信ステップと、
前記原案蓄積部が、前記原案受信ステップで受信された原案情報を前記原案格納部に蓄積する原案蓄積ステップと、
前記作画担当申出受信部が、１以上の第三装置から、作画を担当する旨の申し出であり、原案を特定する情報を有する申し出である１以上の作画担当申出を受信する作画担当申出受信ステップと、
前記承認情報受信部が、前記１以上の作画担当申出のうちの、少なくとも一の作画担当申出に対して、前記第一装置から承認を示す承認情報を受信する承認情報受信ステップと、
前記作画受信部が、前記承認情報受信ステップで受信された承認情報に対応する第三装置から、原案を特定する情報と当該原案に対応する作画とを有する作画情報を受信する作画受信ステップと、
前記漫画蓄積部が、前記作画受信ステップで受信された作画情報が有する作画を用いて完成された漫画を有する漫画情報を前記漫画格納部に蓄積する漫画蓄積ステップとを具備する漫画作成支援方法。
【請求項１５】
記録媒体は、
漫画を有する１以上の漫画情報を格納し得る漫画格納部と、
漫画の原案を有する１以上の原案情報を格納し得る原案格納部とを具備し、
原案受信部、原案蓄積部、作画受信部、承認情報受信部、および漫画蓄積部により実現され得る漫画作成支援方法であって、
前記原案受信部が、１以上の第一装置から、１以上の原案情報を受信する原案受信ステップと、
前記原案蓄積部が、前記原案受信ステップで受信された１以上の原案情報を前記原案格納部に蓄積する原案蓄積ステップと、
前記作画受信部が、１以上の各第三装置から、原案を特定する情報と当該原案に対応する作画とを有する作画情報を受信する作画受信ステップと、
前記承認情報受信部が、一の作画に対する承認を示す情報であり、当該作画を特定する情報を有する承認情報を前記第一装置から受信する承認情報受信ステップと、
前記漫画蓄積部が、前記承認情報が有する作画を特定する情報に対応する作画を用いて完成された漫画を有する漫画情報を前記漫画格納部に蓄積する漫画蓄積ステップとを具備する漫画作成支援方法。
【請求項１６】
コンピュータがアクセス可能な記録媒体は、
漫画を有する１以上の漫画情報を格納し得る漫画格納部と、
漫画の原案を有する１以上の原案情報を格納し得る原案格納部とを具備し、
コンピュータを、
１以上の第一装置から、漫画の原案を有する１以上の原案情報を受信する原案受信部と、
前記原案受信部が受信した原案情報を前記原案格納部に蓄積する原案蓄積部と、
第一装置から、作画の担当の依頼であり、作画の担当候補を識別する作画者識別子を有する依頼である作画依頼を受信する作画依頼受信部と、
前記作画依頼に対応して、第三装置から、作画の担当を承認する旨を示す承認情報を受信する承認情報受信部と、
前記承認情報受信部が受信した承認情報に対応する第三装置から、原案を特定する情報と、当該原案に対応する作画とを有する作画情報を受信する作画受信部と、
前記作画受信部が受信した作画情報が有する作画を用いて完成された漫画を有する漫画情報を前記漫画格納部に蓄積する漫画蓄積部として機能させるためのプログラム。
【請求項１７】
コンピュータがアクセス可能な記録媒体は、
漫画を有する１以上の漫画情報を格納し得る漫画格納部と、
漫画の原案を有する１以上の原案情報を格納し得る原案格納部とを具備し、
コンピュータを、
１以上の第一装置から、漫画の原案を有する１以上の原案情報を受信する原案受信部と、
前記原案受信部が受信した原案情報を前記原案格納部に蓄積する原案蓄積部と、
１以上の第三装置から、作画を担当する旨の申し出であり、原案を特定する情報を有する申し出である１以上の作画担当申出を受信する作画担当申出受信部と、
前記１以上の作画担当申出のうちの、少なくとも一の作画担当申出に対して、前記第一装置から承認を示す承認情報を受信する承認情報受信部と、
前記承認情報受信部が受信した承認情報に対応する第三装置から、原案を特定する情報と当該原案に対応する作画とを有する作画情報を受信する作画受信部と、
前記作画受信部が受信した作画情報が有する作画を用いて完成された漫画を有する漫画情報を前記漫画格納部に蓄積する漫画蓄積部として機能させるためのプログラム。
【請求項１８】
コンピュータがアクセス可能な記録媒体は、
漫画を有する１以上の漫画情報を格納し得る漫画格納部と、
漫画の原案を有する１以上の原案情報を格納し得る原案格納部とを具備し、
コンピュータを、
１以上の第一装置から、１以上の原案情報を受信する原案受信部と、
前記原案受信部が受信した１以上の原案情報を前記原案格納部に蓄積する原案蓄積部と、
１以上の各第三装置から、原案を特定する情報と当該原案に対応する作画とを有する作画情報を受信する作画受信部と、
一の作画に対する承認を示す情報であり、当該作画を特定する情報を有する承認情報を前記第一装置から受信する承認情報受信部と、
前記承認情報が有する作画を特定する情報に対応する作画を用いて完成された漫画を有する漫画情報を前記漫画格納部に蓄積する漫画蓄積部として機能させるためのプログラム。
【発明の詳細な説明】
【技術分野】
【０００１】
本発明は、漫画の作成を支援する漫画作成支援装置等に関するものである。
【背景技術】
【０００２】
従来、オブジェクトの動作に応じた適切な効果線を付与することができる漫画作成支援装置があった（例えば、特許文献１参照）。
【先行技術文献】
【特許文献】
【０００３】
【特許文献１】特開２０１２−１４３９１号公報
【発明の概要】
【発明が解決しようとする課題】
【０００４】
しかしながら、従来の漫画作成支援装置においては、漫画の作成が複数人で行えるグループウェア環境を提供できなかった。
【課題を解決するための手段】
【０００５】
本第一の発明の漫画作成支援装置は、漫画を有する１以上の漫画情報を格納し得る漫画格納部と、漫画の原案を有する１以上の原案情報を格納し得る原案格納部と、１以上の第一装置から、漫画の原案を有する１以上の原案情報を受信する原案受信部と、原案受信部が受信した原案情報を原案格納部に蓄積する原案蓄積部と、第一装置から、作画の担当の依頼であり、作画の担当候補を識別する作画者識別子を有する依頼である作画依頼を受信する作画依頼受信部と、作画依頼に対応して、第三装置から、作画の担当を承認する旨を示す承認情報を受信する承認情報受信部と、承認情報受信部が受信した承認情報に対応する第三装置から、原案を特定する情報と、原案に対応する作画とを有する作画情報を受信する作画受信部と、作画受信部が受信した作画情報が有する作画を用いて完成された漫画を有する漫画情報を漫画格納部に蓄積する漫画蓄積部とを具備する漫画作成支援装置である。
【０００６】
かかる構成により、各自の得意な作業を生かして、漫画の作成が行えるグループウェア環境を提供できる。
【０００７】
また、本第二の発明の漫画作成支援装置は、第一の発明に対して、作画依頼受信部が受信した作画依頼が有する作画者識別子に対応する１以上の第三装置に、作画の依頼を受けるか否かの回答を求める依頼であり、原案を特定する情報を有する依頼である作画回答依頼を送信する作画回答依頼送信部をさらに具備し、承認情報受信部は、作画回答依頼の送信に応じて、１以上の第三装置のうちのいずれか１以上の第三装置から、作画の担当を承認する旨を示す承認情報を受信する漫画作成支援装置である。
【０００８】
かかる構成により、各自の得意な作業を生かして、漫画の作成が行えるグループウェア環境を提供できる。
【０００９】
また、本第三の発明の漫画作成支援装置は、漫画を有する１以上の漫画情報を格納し得る漫画格納部と、漫画の原案を有する１以上の原案情報を格納し得る原案格納部と、１以上の第一装置から、漫画の原案を有する１以上の原案情報を受信する原案受信部と、原案受信部が受信した原案情報を原案格納部に蓄積する原案蓄積部と、１以上の第三装置から、作画を担当する旨の申し出であり、原案を特定する情報を有する申し出である１以上の作画担当申出を受信する作画担当申出受信部と、１以上の作画担当申出のうちの、少なくとも一の作画担当申出に対して、第一装置から承認を示す承認情報を受信する承認情報受信部と、承認情報受信部が受信した承認情報に対応する第三装置から、原案を特定する情報と原案に対応する作画とを有する作画情報を受信する作画受信部と、作画受信部が受信した作画情報が有する作画を用いて完成された漫画を有する漫画情報を漫画格納部に蓄積する漫画蓄積部とを具備する漫画作成支援装置である。
【００１０】
かかる構成により、各自の得意な作業を生かして、漫画の作成が行えるグループウェア環境を提供できる。
【００１１】
また、本第四の発明の漫画作成支援装置は、第三の発明に対して、１以上の各作画担当申出の受信に応じて、１以上の各作画担当申出が有する原案を特定する情報に対応する第一装置に、１以上の各第三装置に対応する作画者の候補者である作画候補者からの作画を担当する旨の申し出である作画候補者担当申出を送信する作画担当申出送信部をさらに具備し、承認情報受信部は、作画候補者担当申出の送信に応じて、少なくとも一の作画候補者担当申出に対して、承認を示す承認情報を第一装置から受信する漫画作成支援装置である。
【００１２】
かかる構成により、各自の得意な作業を生かして、漫画の作成が行えるグループウェア環境を提供できる。
【００１３】
また、本第五の発明の漫画作成支援装置は、漫画を有する１以上の漫画情報を格納し得る漫画格納部と、漫画の原案を有する１以上の原案情報を格納し得る原案格納部と、１以上の第一装置から、１以上の原案情報を受信する原案受信部と、原案受信部が受信した１以上の原案情報を原案格納部に蓄積する原案蓄積部と、１以上の各第三装置から、原案を特定する情報と原案に対応する作画とを有する作画情報を受信する作画受信部と、一の作画に対する承認を示す情報であり、作画を特定する情報を有する承認情報を第一装置から受信する承認情報受信部と、承認情報が有する作画を特定する情報に対応する作画を用いて完成された漫画を有する漫画情報を漫画格納部に蓄積する漫画蓄積部とを具備する漫画作成支援装置である。
【００１４】
かかる構成により、各自の得意な作業を生かして、漫画の作成が行えるグループウェア環境を提供できる。
【００１５】
また、本第六の発明の漫画作成支援装置は、第一から第五いずれかの発明に対して、漫画を識別する漫画識別子を有する指示であり、漫画を取得する指示である取得指示を端末装置から受信する取得指示受信部と、取得指示が有する漫画識別子に対応する漫画を漫画格納部から取得し、漫画を端末装置に送信する漫画送信部とをさらに具備する漫画作成支援装置である。
【００１６】
かかる構成により、各自の得意な作業を生かして、作成された漫画を第三者に提供できるシステム環境を提供する。
【００１７】
また、本第七の発明の漫画作成支援装置は、第一から第六いずれかの発明に対して、漫画の原案は原作またはネームであり、漫画の原案が原作の場合、１以上の各第二装置から、原案を特定する情報と原案を特定する情報で特定される原作に対するネームとを有する１以上のネーム情報を受信するネーム受信部と、ネーム受信部が受信した１以上のネーム情報を原案格納部に蓄積するネーム蓄積部とをさらに具備する漫画作成支援装置である。
【００１８】
かかる構成により、ネームの作成者を含む、各自の得意な作業を生かして、作成された漫画を第三者に提供できるシステム環境を提供する。
【００１９】
また、本第八の発明の漫画作成支援装置は、第一から第七いずれかの発明に対して、漫画を完成させるための処理の流れとして、第一装置から原案である原作を受信する第一ステップ、第二装置からネームを受信する第二ステップ、および第三装置から作画を受信する第三ステップの３工程を有する第一処理の場合、または第一装置から原案である原作とネームとを受信する第一ステップ、および第三装置から作画を受信する第三ステップの２工程を有する第二処理の場合があり得、承認情報受信部が、第一処理の場合および第二処理の場合において、一のステップに進むために一のステップより前の工程のステップに対応するすべての装置から、一のステップに対応する作品または作品の作者に対する承認を示す承認情報を受信した場合に、一のステップに進み得る漫画作成支援装置である。
【００２０】
かかる構成により、各自の得意な作業を生かして、全作業者が納得のいく漫画の作成が行えるグループウェア環境を提供できる。
【００２１】
また、本第九の発明の漫画作成支援装置は、第一から第八いずれかの発明に対して、作画受信部は、一の原案に対して、２以上の各第三装置から作画情報を受信する漫画作成支援装置である。
【００２２】
かかる構成により、各自の得意な作業を生かして、一の原案から複数の漫画を作成できるグループウェア環境を提供する。
【００２３】
また、本第十の発明の漫画作成支援装置は、第一から第八いずれかの発明に対して、原案は原作であり、ネーム受信部は、一の原案に対して、２以上の各第二装置からネーム情報を受信し、作画受信部は、一のネームに対して、２以上の各第三装置から作画情報を受信する漫画作成支援装置である。
【００２４】
かかる構成により、各自の得意な作業を生かして、一の原作から複数のネーム、または／および複数の作画を有する複数の漫画を作成できるグループウェア環境を提供する。
【００２５】
また、本第十一の発明の漫画作成支援装置は、第一から第十いずれかの発明に対して、漫画の複数の作成寄与者からなるグループに関する情報であり、グループを識別するグループ識別子と漫画の作成寄与者を識別する２以上の寄与者識別子とを有する１以上のグループ情報を格納し得るグループ情報格納部と、寄与者識別子で識別できる寄与者の装置である第一装置または第二装置または第三装置から送信されたコメントと寄与者識別子とを含む１以上のコメント情報をグループ識別子に対応付けて格納し得るコメント情報格納部と、原作者とネーム作成者と作画者のグループに関するグループ情報、または原案者と作画者のグループに関するグループ情報を生成し、グループ情報格納部に蓄積するグループ情報生成部と、寄与者の装置から、寄与者識別子とコメントとを含むコメント情報と、グループ識別子とを受信するコメント情報受信部と、コメント情報受信部が受信したコメント情報を、コメント情報受信部が受信したグループ識別子に対応付けて、コメント情報格納部に蓄積するコメント情報蓄積部と、寄与者の装置から、コメントを閲覧する指示であり、グループ識別子を有するコメント閲覧指示を受信するコメント閲覧指示受信部と、コメント閲覧指示の受信に応じて、コメント閲覧指示が有するグループ識別子に対応する１以上のコメントをコメント情報格納部から取得し、１以上のコメントを寄与者の装置に送信するコメント送信部とをさらに具備する漫画作成支援装置である。
【００２６】
かかる構成により、各自の得意な作業を生かして、作業者間でコミュニケーションをとりながら、漫画の作成が行えるグループウェア環境を提供できる。
【００２７】
また、本第十二の発明の漫画作成支援装置は、第十一の発明に対して、グループ情報生成部は、一の原作に対応する原作者と一のネームのネーム作成者と一の作画の作画者のグループに関するグループ情報、または一の原案の原案者と一の作画の作画者のグループに関するグループ情報を生成し、グループ情報格納部に蓄積し、かつ、２以上のグループに対応する２以上の原作が同一、または２以上のグループに対応する２以上の原作および２以上のネームが同一である漫画作成支援装置である。
【００２８】
かかる構成により、各自の得意な作業を生かして、作業者間でコミュニケーションをとりながら、漫画の作成が行えるグループウェア環境を提供できる。
【００２９】
また、本第十三の発明の漫画作成支援装置は、第一から第十二いずれかの発明に対して、キャラクタとキャラクタの作者を識別するキャラクタ作成者識別子とキャラクタを識別するキャラクタ識別子とを有する１以上のキャラクタ情報を格納し得るキャラクタ格納部と、第四装置から、キャラクタ作成者識別子とキャラクタとを受信するキャラクタ受信部と、キャラクタ受信部が受信したキャラクタ作成者識別子とキャラクタと、キャラクタ識別子とを有するキャラクタ情報をキャラクタ格納部に蓄積するキャラクタ蓄積部とをさらに具備し、原案受信部はキャラクタ識別子を有する原案情報を受信する、または作画受信部はキャラクタ識別子を有する作画情報を受信する漫画作成支援装置である。
【００３０】
かかる構成により、キャラクタの作成が得意な者も含む、各自の得意な作業を生かして、漫画の作成が行えるグループウェア環境を提供できる。
【００３１】
また、本第十四の発明の漫画作成支援装置は、第一から第十三いずれかの発明に対して、一の漫画と対になる寄与者識別子に対応する原案者、作画者、キャラクタ作成者のうちの１以上の寄与者に関する情報である１以上の著作者情報を取得する著作者情報取得部と、１以上の著作者情報を出力する著作者情報出力部とをさらに具備する漫画作成支援装置である。
【００３２】
かかる構成により、各自の得意な作業を生かして、漫画の作成が行えるグループウェア環境であり、各自の著作権管理も行えるグループウェア環境を提供できる。
【００３３】
また、本第十五の発明の漫画作成支援装置は、第十四の発明に対して、１以上の著作者情報を用いて、１以上の各寄与者の収益を算出する収益算出部と、１以上の各寄与者の収益を出力する収益出力部とをさらに具備する漫画作成支援装置である。
【００３４】
かかる構成により、各自の得意な作業を生かして、漫画の作成が行えるグループウェア環境であり、各自の著作権管理も行えるグループウェア環境を提供できる。
【００３５】
また、本第十六の発明の漫画作成支援装置は、第一から第十五いずれかの発明に対して、漫画の作画を有する１以上の作画情報を格納し得る作画格納部と、作画受信部が受信した作画情報を作画格納部に蓄積する作画蓄積部とをさらに具備し、承認情報受信部は、作画格納部の作画情報に対する承認情報を受信し、漫画蓄積部は、承認情報に対する作画情報が有する作画を有する漫画情報を漫画格納部に蓄積する漫画作成支援装置である。
【００３６】
かかる構成により、各自の得意な作業を生かして、漫画の作成が行えるグループウェア環境を提供できる。
【発明の効果】
【００３７】
本発明による漫画作成支援装置によれば、漫画の作成が複数人で行えるグループウェア環境を提供できる。
【図面の簡単な説明】
【００３８】
【図１】実施の形態１における漫画作成支援システム１の概念図
【図２】同漫画作成支援システム１のブロック図
【図３】同漫画作成支援装置１１のブロック図
【図４】同漫画作成支援装置１１の動作について説明するフローチャート
【図５】同漫画作成支援装置１１の動作について説明するフローチャート
【図６】同漫画作成支援装置１１の動作について説明するフローチャート
【図７】同第一装置１２の動作について説明するフローチャート
【図８】同第二装置１３の動作について説明するフローチャート
【図９】同第三装置１４の動作について説明するフローチャート
【図１０】同第四装置１５の動作について説明するフローチャート
【図１１】同漫画作成支援システム１の動作の概要を説明する概念図
【図１２】同ユーザ情報管理表を示す図
【図１３】同漫画情報管理表を示す図
【図１４】同キャラクタ情報管理表を示す図
【図１５】同原作情報管理表を示す図
【図１６】同ネーム情報管理表を示す図
【図１７】同作画情報管理表を示す図
【図１８】同グループ情報管理表を示す図
【図１９】同コメント情報管理表を示す図
【図２０】同画面例を示す図
【図２１】同グループ情報入力画面を示す図
【図２２】同画面例を示す図
【図２３】同画面例を示す図
【図２４】同画面例を示す図
【図２５】同画面例を示す図
【図２６】同画面例を示す図
【図２７】実施の形態２における漫画作成支援システム２のブロック図
【図２８】同漫画作成支援装置２１のブロック図
【図２９】同漫画作成支援装置２１の動作について説明するフローチャート
【図３０】同漫画作成支援装置２１の動作について説明するフローチャート
【図３１】同漫画作成支援装置２１の動作について説明するフローチャート
【図３２】同画面例を示す図
【図３３】同画面例を示す図
【図３４】同出力例を示す図
【図３５】同画面例を示す図
【図３６】実施の形態３における漫画作成支援装置３１のブロック図
【図３７】同漫画作成支援装置３１の動作について説明するフローチャート
【図３８】上記実施の形態におけるコンピュータシステムの概観図
【図３９】同コンピュータシステムのブロック図
【発明を実施するための形態】
【００３９】
以下、漫画作成支援装置を含む漫画作成支援システム等の実施形態について図面を参照して説明する。なお、実施の形態において同じ符号を付した構成要素は同様の動作を行うので、再度の説明を省略する場合がある。
【００４０】
（実施の形態１）
本実施の形態において、複数の立場の者が共同して、漫画を作成する環境を提供する漫画作成支援システムについて説明する。
【００４１】
本実施の形態において、漫画作成支援システムは、共同作業者を選択する作業者選択のアプローチを採る。特に、本実施の形態において、漫画作成支援システムは、原案者が作画者等に参加のオファーを送信する原案者オファー方式を採る。つまり、本実施の形態において、漫画作成支援システムを構成する第一装置から原案を指定した申し出を送信し、当該申し出が第三装置に送信され、第三装置からの承認を得た場合に、当該第三装置から作画を受け付けられる。
【００４２】
また、本実施の形態において、作画のオファーを受け付けるか否かの回答の依頼である作画回答依頼を自動送信する機能を有する漫画作成支援システムについて説明する。
【００４３】
また、本実施の形態において、原作を指定したネームを第二装置から受け付ける漫画作成支援システムについて説明する。なお、本実施の形態において、原案者がオファーを送信する相手は、作画者だけではなく、ネーム作成者、キャラクタ作成者等でも良い。
【００４４】
また、本実施の形態において、一般ユーザが、完成した漫画を閲覧するための機能も有する漫画作成支援システムについて説明する。
【００４５】
また、本実施の形態において、グループ内のすべての作業者の装置またはすべての前工程の装置から、作業者の参加に対する承認、または作品に対する承認が必要な漫画作成支援システムについて説明する。
【００４６】
また、本実施の形態において、一の原案に対して、２以上の作画が受け付け可能である漫画作成支援システムについて説明する。また、本実施の形態において、一の原作に対して２以上のネームが受け付け可能であったり、一のネームに対して２以上の作画が受け付け可能である漫画作成支援システムについて説明する。
【００４７】
また、本実施の形態において、共同作業者のグループを生成し、グループ間でコミュニケーション可能な漫画作成支援システムについて説明する。
【００４８】
また、本実施の形態において、キャラクタを第四装置から受け付け、キャラクタを指定した原案または作画を受け付ける漫画作成支援システムについて説明する。
【００４９】
また、本実施の形態において、著作権管理を施した漫画作成支援システムについて説明する。
【００５０】
図１は、本実施の形態における漫画作成支援システム１の概念図である。漫画作成支援システム１は、漫画作成支援装置１１、１または２以上の第一装置１２、１または２以上の第二装置１３、１または２以上の第三装置１４、１または２以上の第四装置１５、および１または２以上の端末装置１６を備える。
【００５１】
なお、漫画作成支援システム１は、１または２以上の第二装置１３を具備しなくても良い。また、漫画作成支援システム１は、１または２以上の第四装置１５を具備しなくても良い。漫画作成支援装置１１は、通常、いわゆるサーバ装置である。また、漫画作成支援装置１１は、例えば、複数人で漫画を作成するためのＷｅｂページを提供する装置である。
【００５２】
また、第一装置１２は原案を送付する装置である。また、第二装置１３はネームを送付する装置である。また、第三装置１４は作画を送付する装置である。また、第四装置１５はキャラクタを送付する装置である。さらに、端末装置１６は漫画をダウンロードする装置である。
【００５３】
また、第一装置１２、第二装置１３、第三装置１４、第四装置１５、および端末装置１６の種類は問わない。第一装置１２、第二装置１３、第三装置１４、第四装置１５、および端末装置１６は、例えば、いわゆるパーソナルコンピュータ、携帯端末、スマートフォン、タブレット端末、携帯電話等である。
【００５４】
図２は、本実施の形態における漫画作成支援システム１のブロック図である。また、図３は、漫画作成支援システム１を構成する漫画作成支援装置１１のブロック図である。
【００５５】
漫画作成支援装置１１は、格納部１１１、受信部１１２、処理部１１３、送信部１１４を備える。
【００５６】
格納部１１１は、ユーザ格納部１１１０、漫画格納部１１１１、キャラクタ格納部１１１２、原案格納部１１１３、作画格納部１１１４、グループ情報格納部１１１５、コメント情報格納部１１１６を備える。
【００５７】
原案格納部１１１３は、原作格納手段１１１３１、ネーム格納手段１１１３２を備える。
【００５８】
受信部１１２は、グループ情報受信部１１２０、キャラクタ受信部１１２１、原案受信部１１２２、ネーム受信部１１２３、作画受信部１１２４、作画依頼受信部１１２５、承認情報受信部１１２６、コメント情報受信部１１２７、コメント閲覧指示受信部１１２８、取得指示受信部１１２９を備える。
【００５９】
処理部１１３は、グループ情報生成部１１３１、キャラクタ蓄積部１１３２、原案蓄積部１１３３、ネーム蓄積部１１３４、作画蓄積部１１３５、漫画蓄積部１１３６、コメント情報蓄積部１１３７、著作者情報取得部１１３８、収益算出部１１３９を備える。
【００６０】
送信部１１４は、作画回答依頼送信部１１４１、コメント送信部１１４２、漫画送信部１１４３、著作者情報出力部１１４４、収益出力部１１４５を備える。
【００６１】
第一装置１２は、第一格納部１２１、第一受付部１２２、第一処理部１２３、第一送信部１２４、第一受信部１２５、第一出力部１２６を備える。
【００６２】
第二装置１３は、第二格納部１３１、第二受付部１３２、第二処理部１３３、第二送信部１３４、第二受信部１３５、第二出力部１３６を備える。
【００６３】
第三装置１４は、第三格納部１４１、第三受付部１４２、第三処理部１４３、第三送信部１４４、第三受信部１４５、第三出力部１４６を備える。
【００６４】
第四装置１５は、第四格納部１５１、第四受付部１５２、第四処理部１５３、第四送信部１５４、第四受信部１５５、第四出力部１５６を備える。
【００６５】
端末装置１６は、端末格納部１６１、端末受付部１６２、端末処理部１６３、端末送信部１６４、端末受信部１６５、端末出力部１６６を備える。
【００６６】
漫画作成支援装置１１を構成する格納部１１１は、各種の情報を格納し得る。各種の情報とは、例えば、漫画情報、キャラクタ情報、原案情報、作画情報、グループ情報、コメント情報等である。なお、かかる情報の詳細は後述する。また、原案情報を構成する原案は、例えば、原作、または原作とネーム、またはネームである。
【００６７】
ユーザ格納部１１１０は、１以上のユーザ情報を格納し得る。ユーザ情報は、ユーザに関する情報である。ユーザとは、通常、漫画の作成に寄与する寄与者であるが、漫画を閲覧する閲覧者でも良い。ユーザ情報は、例えば、ユーザ識別子を有する。ユーザ情報は、例えば、氏名、生年月日、性別、年齢、通知先情報等のユーザ属性を有しても良い。通知先情報は、ユーザに情報を送信するための情報であり、例えば、メールアドレス、電話番号、ＦＡＸ番号、装置のＩＰアドレス、ＭＡＣアドレス等である。なお、寄与者は、適宜、ユーザと言う。
【００６８】
漫画格納部１１１１は、１以上の漫画情報を格納し得る。漫画情報は、漫画を有する。ここで、漫画とは、電子的な漫画である。漫画情報は、例えば、漫画と、漫画を識別する漫画識別子を有する。漫画識別子は、例えば、漫画のＩＤ、漫画のタイトル等である。漫画情報は、例えば、対応する原案識別子、対応する原作識別子、対応するネーム識別子、対応する作画識別子、対応するキャラクタ作成者識別子を有しても良い。なお、対応する原案識別子は、当該漫画の元になった原案を識別する情報である。また、対応する原作識別子は、当該漫画の元になった原作を識別する情報である。また、対応するネーム識別子は、当該漫画の元になったネームを識別する情報である。また、対応する作画識別子は、当該漫画の元になった作画を識別する情報である。また、対応するキャラクタ識別子は、当該漫画の元になったキャラクタを識別する情報である。また、漫画情報は、対応する原案情報へのリンク情報、対応する原作情報へのリンク情報、対応するネーム情報へのリンク情報、対応する作画情報へのリンク情報、対応するキャラクタ情報へのリンク情報を有しても良い。また、漫画情報は、例えば、１以上の寄与者の１以上の寄与者識別子を有しても良い。寄与者とは、漫画の作成に寄与した者であり、例えば、原案者、原作者、作画者、ネーム作成者、キャラクタ作成者等である。寄与者識別子は、例えば、原案者識別子、原作者識別子、作画者識別子、ネーム作成者識別子、キャラクタ作成者識別子である。原案者識別子は、例えば、原作者識別子と同一である。漫画情報は、例えば、漫画の販売数、総販売額などを有しても良い。漫画情報は、原案識別子、ネーム識別子、作画識別子、キャラクタ識別子を有しても良い。
【００６９】
キャラクタ格納部１１１２は、１以上のキャラクタ情報を格納し得る。キャラクタ情報は、通常、キャラクタとキャラクタの作者を識別するキャラクタ作成者識別子とキャラクタ識別子とを有する。キャラクタは、通常、静止画であるが、動画等でも良い。キャラクタ情報は、通常、キャラクタ情報を識別するキャラクタ識別子を有する。また、キャラクタ情報は、対応する漫画識別子、対応する原案識別子、対応する原作識別子、対応するネーム識別子、対応する作画識別子を有しても良い。また、キャラクタ情報は、対応する原案情報へのリンク情報、対応する原作情報へのリンク情報、対応するネーム情報へのリンク情報、対応する作画情報へのリンク情報を有しても良い。
【００７０】
原案格納部１１１３は、１以上の原案情報を格納し得る。原案情報は、漫画の原案を有する。原案情報は、例えば、原案、原案者識別子、および原案識別子を有する。なお、原案は、原作、または原作とネーム、またはネーム等である。ただし、原案は作画であったり、完成された漫画となっても良い。なお、原案が漫画となる場合、第二装置１３、第三装置１４、および第四装置１５は使用されない。
また、原案情報は、対応する漫画識別子、対応するキャラクタ識別子、対応する原案識別子、対応する原作識別子、対応するネーム識別子、対応する作画識別子を有しても良い。また、原案情報は、対応する漫画情報へのリンク情報、対応するネーム情報へのリンク情報、対応する作画情報へのリンク情報、対応するキャラクタ情報へのリンク情報を有しても良い。
【００７１】
原案格納部１１１３を構成する原作格納手段１１１３１は、１または２以上の原作情報を格納し得る。原作情報は、漫画の原作を有する。原作情報は、例えば、原作識別子、原作、および原作者識別子を有する。原作情報は、対応する漫画識別子、対応するキャラクタ識別子、対応するネーム識別子、対応する作画識別子を有しても良い。また、原作情報は、対応する漫画情報へのリンク情報、対応するネーム情報へのリンク情報、対応する作画情報へのリンク情報、対応するキャラクタ情報へのリンク情報を有しても良い。
【００７２】
ネーム格納手段１１１３２は、１または２以上のネーム情報を格納し得る。ネーム情報は、漫画のネームを有する。ネーム情報は、例えば、ネーム、ネーム作成者識別子、およびネーム識別子を有する。ネーム情報は、通常、原作情報に対応付いている。ネーム情報は、対応する漫画識別子、対応するキャラクタ識別子、対応する原作識別子、対応する作画識別子を有しても良い。また、ネーム情報は、対応する漫画情報へのリンク情報、対応する原案情報へのリンク情報、対応する原作情報へのリンク情報、対応する作画情報へのリンク情報、対応するキャラクタ情報へのリンク情報を有しても良い。
【００７３】
作画格納部１１１４は、１または２以上の作画情報を格納し得る。作画情報は、漫画の作画を有する。作画情報は、例えば、作画と作画者識別子と作画識別子とを有する。作画情報は、対応する漫画識別子、対応するキャラクタ識別子、対応する原作識別子、対応するネーム識別子を有しても良い。また、作画情報は、対応する漫画情報へのリンク情報、対応する原案情報へのリンク情報、対応する原作情報へのリンク情報、対応するネーム情報へのリンク情報、対応するキャラクタ情報へのリンク情報を有しても良い。なお、作画格納部１１１４は、漫画格納部１１１１と同じでも良い。
【００７４】
グループ情報格納部１１１５は、１または２以上のグループ情報を格納し得る。グループ情報とは、一の漫画の作成に寄与した複数の作成寄与者からなるグループに関する情報である。グループ情報は、グループを識別するグループ識別子と漫画の作成寄与者を識別する２以上の寄与者識別子とを有する。なお、作成寄与者とは、例えば、原作作成者またはネーム作成者または作画作成者である。また、作成寄与者は、キャラクタ作成者を含んでも良い。
【００７５】
コメント情報格納部１１１６は、１または２以上のコメント情報をグループ識別子に対応付けて格納し得る。コメント情報は、コメントと、当該コメントを作成した寄与者識別子とを含む。コメントは、寄与者識別子で識別できる寄与者の装置である第一装置１２または第二装置１３または第三装置１４から送信された情報である。コメント情報は、グループ内の寄与者間のコミュニケーションのための情報である。また、このコミュニケーションは、通常、漫画を適切に共同作成するために行われるコミュニケーションである。
【００７６】
受信部１１２は、第一装置１２または第二装置１３または第三装置１４または第四装置１５または端末装置１６から、情報や指示等を受信する。情報や指示等とは、例えば、グループ情報、キャラクタ情報、原案情報、ネーム情報、作画情報、キャラクタ作成依頼、ネーム作成依頼、作画依頼、承認情報、コメント情報、取得指示、著作者情報出力指示、収益出力指示、コメント閲覧指示等である。各種情報や指示等の詳細は後述する。
【００７７】
グループ情報受信部１１２０は、１以上のグループ情報を受信する。ここで受信するグループ情報は、グループ情報の一部、またはグループの枠組み等でも良い。ここで受信するグループ情報は、例えば、原案者識別子または原作者識別子を有する。グループ情報受信部１１２０は、例えば、原案者識別子を有するグループ情報を受信し、当該グループ情報受信部１１２０または後述するグループ情報生成部１１３１は、ユニークなグループ識別子を生成し、当該グループ識別子と原案者識別子とを有するグループ情報をグループ情報格納部１１１５に蓄積しても良い。
【００７８】
キャラクタ受信部１１２１は、第四装置１５から、キャラクタ作成者識別子とキャラクタとを受信する。キャラクタ受信部１１２１は、通常、キャラクタ作成者識別子とキャラクタとを受信した際に、ユニークなキャラクタ識別子を生成し、当該キャラクタ識別子とキャラクタ作成者識別子とキャラクタとを有するキャラクタ情報をキャラクタ格納部１１１２に蓄積する。
【００７９】
原案受信部１１２２は、１または２以上の各第一装置１２から、漫画の原案を有する１または２以上の原案情報を受信する。原案情報は、通常、原案者識別子と原案とを有する。原案情報は、原案を識別する原案識別子を有しても良い。
【００８０】
ネーム受信部１１２３は、漫画の原案が原作の場合、１または２以上の各第二装置１３から、原案を特定する情報と原案に対するネームとを有する１または２以上のネーム情報を受信する。ここでのネーム情報は、例えば、ネーム作成者識別子と、対応する原作識別子（ここでは、原案識別子と同意義）と、ネームのみを有しても良い。また、ネーム情報は、ネーム識別子を有しても良い。また、原案を特定する情報とは、例えば、原案識別子、原作識別子、グループ識別子等である。
【００８１】
ネーム受信部１１２３は、一の原案に対して、２以上の各第二装置１３からネーム情報を受信しても良い。
【００８２】
作画受信部１１２４は、後述する承認情報受信部１１２６が受信した承認情報に対応する第三装置１４から、原案を特定する情報と、原案に対応する作画とを有する作画情報を受信する。
【００８３】
作画受信部１１２４は、一の原案に対して、２以上の各第三装置から作画情報を受信しても良い。
【００８４】
作画受信部１１２４は、一のネームに対して、２以上の各第三装置から作画情報を受信しても良い。
【００８５】
作画依頼受信部１１２５は、第一装置１２から、作画依頼を受信する。作画依頼とは、作画の担当の依頼であり、作画の担当候補を識別する作画者識別子を有する依頼である。作画依頼は、通常、原案を特定する情報を有する。原案を特定する情報は、例えば、原案識別子、原案者識別子、グループ識別子等である。
【００８６】
承認情報受信部１１２６は、作画依頼に対応して、第三装置１４から、作画の担当を承認する旨を示す承認情報を受信する。承認情報受信部１１２６は、作画依頼に対応して、第三装置１４から、作画の担当を承認しない旨を示す非承認情報を受信しても良い。
【００８７】
承認情報受信部１１２６は、作画回答依頼の送信に応じて、１または２以上の第三装置１４のうちのいずれか１または２以上の第三装置１４から、作画の担当を承認する旨を示す承認情報を受信しても良い。
【００８８】
承認情報受信部１１２６は、作画格納部１１１４の作画情報に対する承認情報を受信しても良い。なお、承認情報受信部１１２６は、不承認を示す不承認情報を受信する場合もあるとする。また、作画情報に対する承認情報は、例えば、作画識別子、または作画者識別子等を有する。
【００８９】
コメント情報受信部１１２７は、寄与者の装置から、寄与者識別子とコメントとを含むコメント情報と、グループ識別子とを受信する。なお、寄与者の装置とは、第一装置１２、または第二装置１３、または第三装置１４、または第四装置１５である。
【００９０】
コメント閲覧指示受信部１１２８は、寄与者の装置から、コメントを閲覧する指示であるコメント閲覧指示を受信する。コメント閲覧指示は、通常、グループ識別子を有する。また、コメント閲覧指示は、通常、コメント閲覧指示を送信する寄与者の寄与者識別子を有する。
【００９１】
取得指示受信部１１２９は、漫画を取得する指示である取得指示を端末装置１６から受信する。取得指示は、漫画を識別する漫画識別子を有する。取得指示は、通常、取得指示を送信したユーザのユーザ識別子を有する。
【００９２】
処理部１１３は、各種の処理を行う。各種の処理とは、グループ情報生成部１１３１、キャラクタ蓄積部１１３２、原案蓄積部１１３３、ネーム蓄積部１１３４、作画蓄積部１１３５、漫画蓄積部１１３６、コメント情報蓄積部１１３７、著作者情報取得部１１３８、収益算出部１１３９等が行う処理である。
【００９３】
グループ情報生成部１１３１は、グループ情報を生成し、グループ情報格納部１１１５に蓄積する。グループ情報は、例えば、原作者とネーム作成者と作画者のグループに関する情報である。また、グループ情報は、例えば、原案者と作画者のグループに関する情報である。グループ情報生成部１１３１は、生成されているグループ情報に対して、新たにグループに参加した寄与者の情報を追記しても良い。なお、寄与者の情報は、通常、寄与者識別子を含む。グループ情報生成部１１３１がグループ情報を生成するタイミングは問わない。例えば、グループ情報生成部１１３１は、原案者の指示により、グループ情報の一部を生成し、寄与者の参加の度に、寄与者識別子をグループ情報に付加しても良い。また、例えば、グループ情報生成部１１３１は、予め決められた２以上の寄与者が決定した際にグループ情報を生成しても良い。つまり、例えば、グループ情報生成部１１３１は、原作者とネーム作成者とが決定した際にグループ情報を生成しても良いし、原作者とネーム作成者と作画者とが決定した際にグループ情報を生成しても良いし、原案者と作画者とが決定した際にグループ情報を生成しても良い。
【００９４】
グループ情報格納部１１１５に格納されている２以上のグループ情報に対する２以上のグループに対応する２以上の原作が同一であり、ネームまたは／および作画が異なる場合があっても良い。また、グループ情報格納部１１１５に格納されている２以上のグループ情報に対する２以上のグループに対応する２以上の原作および２以上のネームが同一であり、作画が異なる場合があっても良い。つまり、一の原作に対して、２以上の漫画が作成されても良い。また、一の原作と一のネームに対して、２以上の漫画が作成されても良い。
【００９５】
キャラクタ蓄積部１１３２は、キャラクタ受信部１１２１が受信したキャラクタ作成者識別子とキャラクタと、キャラクタ識別子とを有するキャラクタ情報をキャラクタ格納部１１１２に蓄積する。キャラクタ蓄積部１１３２は、キャラクタ受信部１１２１がキャラクタ作成者識別子とキャラクタとを受信した際に、キャラクタ識別子を生成し、当該キャラクタ識別子と、キャラクタ作成者識別子と、キャラクタとを有するキャラクタ情報をキャラクタ格納部１１１２に蓄積しても良い。つまり、キャラクタ識別子は、生成された情報でも良いし、キャラクタ受信部１１２１が受信した情報でも良い。
【００９６】
原案蓄積部１１３３は、原案受信部１１２２が受信した原案情報を原案格納部１１１３に蓄積する。また、原案蓄積部１１３３は、原案受信部１１２２が原案者識別子と原案とを受信した際に、ユニークな原案識別子を生成し、当該原案識別子と原案者識別子と原案とを有する原案情報を原案格納部１１１３に蓄積しても良い。つまり、原案識別子は、生成された情報でも良いし、原案受信部１１２２が受信した情報でも良い。また、原案受信部１１２２が受信した原案情報と、原案蓄積部１１３３が蓄積する原案情報とは、異なる情報でも良い。
【００９７】
ネーム蓄積部１１３４は、ネーム受信部１１２３が受信した１以上のネーム情報をネーム格納手段１１１３２に蓄積する。ネーム蓄積部１１３４は、ネーム受信部１１２３が１以上の各第二装置１３からネーム等を受信した際に、ネーム識別子を生成し、例えば、当該ネーム識別子、原案識別子、ネーム作成者識別子、およびネームを有するネーム情報をネーム格納手段１１１３２に蓄積しても良い。つまり、ネーム識別子は、生成された情報でも良いし、ネーム受信部１１２３が受信した情報でも良い。また、ネーム受信部１１２３が受信したネーム情報と、ネーム蓄積部１１３４が蓄積するネーム情報とは、異なる情報でも良い。
【００９８】
作画蓄積部１１３５は、作画受信部１１２４が受信した作画情報を作画格納部１１１４に蓄積する。作画蓄積部１１３５は、作画受信部１１２４が作画等を受信した際に、ユニークな作画識別子を生成し、当該作画識別子と、作画受信部１１２４が受信した作画等とを、作画格納部１１１４に蓄積しても良い。つまり、作画識別子は、生成された情報でも良いし、作画受信部１１２４が受信した情報でも良い。なお、作画蓄積部１１３５が蓄積した作画が、閲覧可能な漫画でも良い。かかる場合、後述する漫画蓄積部１１３６は不要である。また、作画受信部１１２４が受信した作画情報と、作画蓄積部１１３５が蓄積する作画情報とは、異なる情報でも良い。
【００９９】
漫画蓄積部１１３６は、作画受信部１１２４が受信した作画情報が有する作画を用いて完成された漫画を有する漫画情報を漫画格納部１１１１に蓄積する。
【０１００】
漫画蓄積部１１３６は、承認情報に対する作画情報が有する作画を有する漫画情報を漫画格納部１１１１に蓄積する。なお、漫画蓄積部１１３６は、承認情報に対する作画情報に、承認された旨のフラグを付加して、当該フラグと作画情報とを有する漫画情報を漫画格納部１１１１に蓄積しても良い。なお、作画情報は、漫画情報と同じ情報でも良い。さらに、承認情報に対する作画情報は、漫画情報と同じでも良い。つまり、作画が承認されれば、完成された漫画となっても良い。
【０１０１】
コメント情報蓄積部１１３７は、コメント情報受信部１１２７が受信したコメント情報を、コメント情報受信部１１２７が受信したグループ識別子に対応付けて、コメント情報格納部１１１６に蓄積する。
【０１０２】
著作者情報取得部１１３８は、一の漫画と対になる寄与者識別子に対応する原案者、作画者、キャラクタ作成者のうちの１以上の寄与者に関する情報である１以上の著作者情報を取得する。著作者情報取得部１１３８は、例えば、漫画が端末装置１６に送信される場合に、１以上の著作者情報を取得する。著作者情報は、例えば、原案者の氏名、作画者の氏名、キャラクタ作成者の氏名などである。著作者情報取得部１１３８は、例えば、漫画格納部１１１１から著作者情報を取得する。また、著作者情報取得部１１３８は、例えば、キャラクタ格納部１１１２、原案格納部１１１３、作画格納部１１１４等から著作者情報を取得しても良い。
【０１０３】
収益算出部１１３９は、１以上の著作者情報を用いて、１以上の各寄与者の収益を算出する。収益算出部１１３９は、通常、漫画の販売額を使用して、各寄与者の収益を算出する。また、漫画の販売額は、例えば、当該漫画のダウンロード数に応じて算出される。
【０１０４】
送信部１１４は、各種の情報を第一装置１２、第二装置１３、第三装置１４、第四装置１５、または端末装置１６に送信する。
【０１０５】
作画回答依頼送信部１１４１は、作画依頼受信部１１２５が受信した作画依頼が有する作画者識別子に対応する１以上の第三装置１４に、作画の依頼を受けるか否かの回答を求める依頼である作画回答依頼を送信する。作画回答依頼は、原案を特定する情報を有する。ここで、作画回答依頼送信部１１４１は、通常、作画依頼の受信に応じて自動的に作画回答依頼を送信する。ただし、作画回答依頼送信部１１４１は、第三装置１４からの漫画作成支援装置１１へのアクセスに応じて、作画回答依頼を送信しても良い。
【０１０６】
コメント送信部１１４２は、コメント閲覧指示の受信に応じて、コメント閲覧指示が有するグループ識別子に対応する１以上のコメントをコメント情報格納部１１１６から取得し、１以上のコメントを寄与者の装置に送信する。なお、寄与者の装置とは、コメント閲覧指示を送信してきた装置である。寄与者の装置は、第一装置１２、第二装置１３、第三装置１４、または第四装置１５である。
【０１０７】
漫画送信部１１４３は、取得指示が有する漫画識別子に対応する漫画を漫画格納部１１１１から取得し、当該漫画を端末装置１６に送信する。なお、この端末装置１６は、取得指示を送信してきた端末装置１６である。
【０１０８】
著作者情報出力部１１４４は、著作者情報取得部１１３８が取得した１以上の著作者情報を出力する。ここで、出力とは、通常、外部の装置への送信であるが、ディスプレイへの表示、プロジェクターを用いた投影、プリンタでの印字、音出力、記録媒体への蓄積、他の処理装置や他のプログラムなどへの処理結果の引渡しなどを含む概念である。
【０１０９】
収益出力部１１４５は、１以上の各寄与者の収益を出力する。ここで、出力とは、通常、外部の装置への送信であるが、ディスプレイへの表示、プロジェクターを用いた投影、プリンタでの印字、音出力、記録媒体への蓄積、他の処理装置や他のプログラムなどへの処理結果の引渡しなどを含む概念である。
【０１１０】
第一装置１２を構成する第一格納部１２１は、例えば、原案者が作成した原案、原作者が作成した原作を格納し得る。第一格納部１２１は、例えば、原案者識別子、または原作者識別子を格納し得る。なお、原案は、原作、または原作とネーム等である。
【０１１１】
第一受付部１２２は、原案者または原作者から、指示や情報等を受け付ける。指示や情報等は、例えば、原案情報の送信指示、１または２以上のネーム作成者に対するネーム作成依頼、１または２以上の作画者に対する作画依頼、１または２以上のキャラクタ作成者に対するキャラクタ作成依頼、原案、原作、コメント閲覧指示等である。ネーム作成依頼は、原作を特定する情報（例えば、原作識別子、グループ識別子等）、ネーム作成者の候補を識別するネーム作成者識別子を有する。ネーム作成依頼は、原作を特定する情報で特定される原作に対するネームの作成を依頼する情報である。また、作画依頼は、原案を特定する情報、作画者の候補を識別する作画者識別子を有する。作画依頼は、原案を特定する情報で識別される原案に対する作画の作成を依頼する情報である。キャラクタ作成依頼は、原案を特定する情報、キャラクタ作成者の候補を識別するキャラクタ作成者識別子を有する。指示や情報等の入力手段は、キーボードやマウスやタッチパネルやメニュー画面によるもの等、何でも良い。第一受付部１２２は、キーボード等の入力手段のデバイスドライバーや、メニュー画面の制御ソフトウェア等で実現され得る。
【０１１２】
第一処理部１２３は、各種の処理を行う。各種の処理とは、例えば、原案情報の送信指示に従って、送信する原案情報を構成する処理である。各種の処理とは、例えば、ネーム作成依頼に従って、送信するネーム作成依頼を構成する指示である。また、各種の処理とは、例えば、作画依頼に従って、送信する作画依頼を構成する指示である。また、各種の処理とは、例えば、キャラクタ作成依頼に従って、送信するキャラクタ作成依頼を構成する指示である。また、各種の処理とは、例えば、第一受付部１２２が受け付けた原案、原作等を、第一格納部１２１に蓄積する処理である。各種の処理とは、例えば、コメント閲覧指示に従って、送信するコメント閲覧指示を構成する処理である。
【０１１３】
第一送信部１２４は、原案情報の送信指示に従って、第一処理部１２３が構成した原案情報を漫画作成支援装置１１に送信する。また、第一送信部１２４は、第一処理部１２３が構成したネーム作成依頼、作画依頼、キャラクタ作成依頼等を漫画作成支援装置１１に送信する。また、第一送信部１２４は、第一処理部１２３が構成したコメント閲覧指示を漫画作成支援装置１１に送信する。
【０１１４】
第一受信部１２５は、各種の情報を漫画作成支援装置１１から受信する。各種の情報とは、例えば、原案情報が登録された旨の情報である。各種の情報とは、例えば、ネーム作成依頼に対する承認情報、または非承認情報である。また、各種の情報とは、例えば、作画依頼に対する承認情報、または非承認情報である。また、各種の情報とは、例えば、キャラクタ作成依頼に対する承認情報、または非承認情報である。また、各種の情報とは、例えば、１以上のコメントである。
【０１１５】
第一出力部１２６は、第一受信部１２５が受信した情報を出力する。ここで、出力とは、ディスプレイへの表示、プロジェクターを用いた投影、プリンタでの印字、音出力、記録媒体への蓄積、外部の装置への送信、他の処理装置や他のプログラムなどへの処理結果の引渡しなどを含む概念である。
【０１１６】
第二装置１３を構成する第二格納部１３１は、例えば、ネーム作成者が作成したネーム、ネーム作成者識別子を格納し得る。
【０１１７】
第二受付部１３２は、ネーム作成者から、指示や情報等を受け付ける。指示や情報等は、例えば、ネーム情報の送信指示、ネーム、コメント閲覧指示、ネーム作成依頼に対する承認情報または非承認情報等である。なお、ネーム情報の送信指示は、通常、原案を特定する情報とネーム、または原作を特定する情報とネームを有する。指示や情報等の入力手段は、キーボードやマウスやタッチパネルやメニュー画面によるもの等、何でも良い。第二受付部１３２は、キーボード等の入力手段のデバイスドライバーや、メニュー画面の制御ソフトウェア等で実現され得る。
【０１１８】
第二処理部１３３は、各種の処理を行う。各種の処理とは、例えば、ネーム情報の送信指示に従って、送信するネーム情報を構成する処理である。各種の処理とは、例えば、第二受付部１３２が受け付けたネームを、第二格納部１３１に蓄積する処理である。また、各種の処理とは、例えば、コメント閲覧指示に従って、送信するコメント閲覧指示を構成する処理である。また、各種の処理とは、例えば、送信する承認情報または非承認情報を構成する処理である。
【０１１９】
第二送信部１３４は、ネーム情報の送信指示に従って、第二処理部１３３が構成したネーム情報を漫画作成支援装置１１に送信する。また、第二送信部１３４は、第二処理部１３３が構成したコメント閲覧指示を漫画作成支援装置１１に送信する。また、第二送信部１３４は、第二処理部１３３が構成した承認情報または非承認情報を漫画作成支援装置１１に送信する。
【０１２０】
第二受信部１３５は、各種の情報を漫画作成支援装置１１から受信する。各種の情報とは、例えば、ネーム作成依頼である。また、各種の情報とは、例えば、ネーム情報が登録された旨の情報である。また、各種の情報とは、例えば、１以上のコメントである。
【０１２１】
第二出力部１３６は、第二受信部１３５が受信した情報を出力する。ここで、出力とは、ディスプレイへの表示、プロジェクターを用いた投影、プリンタでの印字、音出力、記録媒体への蓄積、外部の装置への送信、他の処理装置や他のプログラムなどへの処理結果の引渡しなどを含む概念である。
【０１２２】
第三装置１４を構成する第三格納部１４１は、例えば、作画者が作成した作画、作画者識別子を格納し得る。
【０１２３】
第三受付部１４２は、作画者から、指示や情報等を受け付ける。指示や情報等は、例えば、承認情報または非承認情報、作画情報の送信指示、作画、コメント閲覧指示等である。なお、承認情報は、作画依頼に対応して、作画の担当を承認する旨を示す情報である。また、作画情報の送信指示は、通常、原案を特定する情報、またはネームを特定する、または原作を特定する情報識別子とネームを特定する情報を有する。指示や情報等の入力手段は、キーボードやマウスやタッチパネルやメニュー画面によるもの等、何でも良い。第三受付部１４２は、キーボード等の入力手段のデバイスドライバーや、メニュー画面の制御ソフトウェア等で実現され得る。
【０１２４】
第三処理部１４３は、各種の処理を行う。各種の処理とは、例えば、承認情報の受け付けに対応して、送信する承認情報または非承認情報を構成する処理である。なお、承認情報または非承認情報は、例えば、対応する原案を特定する情報、または原作を特定する情報とネームを特定する情報、またはネームを特定する情報を有する。また、各種の処理とは、例えば、作画情報の送信指示に従って、送信する作画情報を構成する処理である。各種の処理とは、例えば、第三受付部１４２が受け付けた作画を、第三格納部１４１に蓄積する処理である。また、各種の処理とは、例えば、コメント閲覧指示に従って、送信するコメント閲覧指示を構成する処理である。
【０１２５】
第三送信部１４４は、作画情報の送信指示に従って、第三処理部１４３が構成した作画情報を漫画作成支援装置１１に送信する。また、第三送信部１４４は、第三処理部１４３が構成した承認情報または非承認情報、コメント閲覧指示等を漫画作成支援装置１１に送信する。
【０１２６】
第三受信部１４５は、各種の情報を漫画作成支援装置１１から受信する。各種の情報とは、例えば、作画情報が登録された旨の情報である。各種の情報とは、例えば、１以上のコメントである。
【０１２７】
第三出力部１４６は、第三受信部１４５が受信した情報を出力する。ここで、出力とは、ディスプレイへの表示、プロジェクターを用いた投影、プリンタでの印字、音出力、記録媒体への蓄積、外部の装置への送信、他の処理装置や他のプログラムなどへの処理結果の引渡しなどを含む概念である。
【０１２８】
第四装置１５を構成する第四格納部１５１は、例えば、キャラクタ作成者が作成したキャラクタ、キャラクタ作成者識別子を格納し得る。
【０１２９】
第四受付部１５２は、キャラクタ作成者から、指示や情報等を受け付ける。指示や情報等は、例えば、承認情報または非承認情報、キャラクタ情報の送信指示、キャラクタ、コメント閲覧指示等である。なお、承認情報は、キャラクタ作成依頼に対応して、キャラクタ作成の担当を承認する旨を示す情報である。また、キャラクタ情報の送信指示は、原案を特定する情報、またはネームを特定する情報、または原作を特定する情報とネームを特定する情報を有しても良いが、かかる情報を有さなくても良い。指示や情報等の入力手段は、キーボードやマウスやタッチパネルやメニュー画面によるもの等、何でも良い。第四受付部１５２は、キーボード等の入力手段のデバイスドライバーや、メニュー画面の制御ソフトウェア等で実現され得る。
【０１３０】
第四処理部１５３は、各種の処理を行う。各種の処理とは、例えば、承認情報の受け付けに対応して、送信する承認情報または非承認情報を構成する処理である。なお、承認情報または非承認情報は、通常、対応する原案識別子、または原作識別子とネーム識別子、またはネーム識別子、または作画識別子を有する。また、各種の処理とは、例えば、キャラクタ情報の送信指示に従って、送信するキャラクタ情報を構成する処理である。また、各種の処理とは、例えば、コメント閲覧指示に従って、送信するコメント閲覧指示を構成する処理である。
【０１３１】
第四送信部１５４は、第四処理部１５３が構成した承認情報または非承認情報、キャラクタ情報、コメント閲覧指示等を漫画作成支援装置１１に送信する。
【０１３２】
第四受信部１５５は、各種の情報を漫画作成支援装置１１から受信する。各種の情報とは、例えば、キャラクタ情報が登録された旨の情報、キャラクタ作成依頼である。各種の情報とは、例えば、１以上のコメントである。
【０１３３】
第四出力部１５６は、第四受信部１５５が受信した情報を出力する。
【０１３４】
端末装置１６を構成する端末格納部１６１は、各種の情報を格納し得る。各種の情報とは、例えば、漫画を閲覧するユーザのユーザ識別子である。
【０１３５】
端末受付部１６２は、各種の指示や情報等を受け付ける。各種の指示や情報等とは、例えば、漫画の閲覧指示である。閲覧指示は、通常、漫画識別子を有する。
【０１３６】
端末処理部１６３は、各種の処理を行う。各種の処理とは、例えば、端末受付部１６２が受け付けた閲覧指示から、送信する閲覧指示を構成する処理である。
【０１３７】
端末送信部１６４は、端末処理部１６３が構成した閲覧指示を漫画作成支援装置１１に送信する。
【０１３８】
端末受信部１６５は、閲覧指示の送信に応じて、漫画を漫画作成支援装置１１から受信する。
【０１３９】
端末出力部１６６は、端末受信部１６５が受信した漫画を出力する。ここで、出力とは、ディスプレイへの表示、プロジェクターを用いた投影、プリンタでの印字、音出力、記録媒体への蓄積、外部の装置への送信、他の処理装置や他のプログラムなどへの処理結果の引渡しなどを含む概念である。
【０１４０】
格納部１１１、ユーザ格納部１１１０、漫画格納部１１１１、キャラクタ格納部１１１２、原案格納部１１１３、作画格納部１１１４、グループ情報格納部１１１５、コメント情報格納部１１１６、原作格納手段１１１３１、ネーム格納手段１１１３２、第一格納部１２１、第二格納部１３１、第三格納部１４１、第四格納部１５１、端末格納部１６１は、不揮発性の記録媒体が好適であるが、揮発性の記録媒体でも実現可能である。
【０１４１】
格納部１１１等に情報が記憶される過程は問わない。例えば、記録媒体を介して情報が格納部１１１等で記憶されるようになってもよく、通信回線等を介して送信された情報が格納部１１１等で記憶されるようになってもよく、あるいは、入力デバイスを介して入力された情報が格納部１１１等で記憶されるようになってもよい。
【０１４２】
受信部１１２、グループ情報受信部１１２０、キャラクタ受信部１１２１、原案受信部１１２２、ネーム受信部１１２３、作画受信部１１２４、作画依頼受信部１１２５、承認情報受信部１１２６、コメント情報受信部１１２７、コメント閲覧指示受信部１１２８、取得指示受信部１１２９、第一受信部１２５、第二受信部１３５、第三受信部１４５、第四受信部１５５、端末受信部１６５は、通常、無線または有線の通信手段で実現されるが、放送を受信する手段で実現されても良い。
【０１４３】
処理部１１３、グループ情報生成部１１３１、キャラクタ蓄積部１１３２、原案蓄積部１１３３、ネーム蓄積部１１３４、作画蓄積部１１３５、漫画蓄積部１１３６、コメント情報蓄積部１１３７、著作者情報取得部１１３８、収益算出部１１３９、第一処理部１２３、第二処理部１３３、第三処理部１４３、第四処理部１５３、端末処理部１６３は、通常、ＭＰＵやメモリ等から実現され得る。処理部１１３等の処理手順は、通常、ソフトウェアで実現され、当該ソフトウェアはＲＯＭ等の記録媒体に記録されている。但し、ハードウェア（専用回路）で実現しても良い。
【０１４４】
送信部１１４、作画回答依頼送信部１１４１、コメント送信部１１４２、漫画送信部１１４３、著作者情報出力部１１４４、収益出力部１１４５、第一送信部１２４、第二送信部１３４、第三送信部１４４、第四送信部１５４、端末送信部１６４は、通常、無線または有線の通信手段で実現されるが、放送手段で実現されても良い。
【０１４５】
第一出力部１２６、第二出力部１３６、第三出力部１４６、第四出力部１５６、端末出力部１６６は、ディスプレイやスピーカー等の出力デバイスを含むと考えても含まないと考えても良い。第一出力部１２６等は、出力デバイスのドライバーソフトまたは、出力デバイスのドライバーソフトと出力デバイス等で実現され得る。
【０１４６】
次に、漫画作成支援システム１の動作について説明する。まず、漫画作成支援装置１１の動作について、図４、図５、図６のフローチャートを用いて説明する。
【０１４７】
（ステップＳ４０１）グループ情報受信部１１２０は、グループ情報を受信したか否かを判断する。グループ情報を受信すればステップＳ４０２に行き、グループ情報を受信しなければステップＳ４０３に行く。なお、受信されたグループ情報は、通常、原案者または原作者の装置である第一装置１２から送信された情報であり、例えば、原案者識別子、原案の属性値、グループ名、グループの属性値等を含む。原案の属性値は、例えば、原案の題名、原案のキャッチコピー、原案の内容、完成された漫画の読者対象、ジャンル等である。グループの属性値は、例えば、グループのアイコン画像等である。
【０１４８】
（ステップＳ４０２）グループ情報生成部１１３１は、ステップＳ４０１におけるグループ情報の受信に応じて、ユニークなグループ識別子を生成し、当該グループ識別子と、ステップＳ４０１で受信されたグループ情報が有する原案者識別子等とを有するグループ情報を構成し、当該グループ情報をグループ情報格納部１１１５に蓄積する。
【０１４９】
（ステップＳ４０３）キャラクタ受信部１１２１は、キャラクタ情報を受信したか否かを判断する。キャラクタ情報を受信すればステップＳ４０４に行き、キャラクタ情報を受信しなければステップＳ４０７に行く。なお、ここで受信されるキャラクタ情報は、通常、キャラクタ作成者識別子とキャラクタとを有する。また、ここで受信されるキャラクタ情報は、対応するグループ識別子または原案識別子を有しても良い。
【０１５０】
（ステップＳ４０４）キャラクタ蓄積部１１３２は、ステップＳ４０３におけるキャラクタ情報の受信に応じて、ユニークなキャラクタ識別子を生成し、当該キャラクタ識別子と、ステップＳ４０３で受信されたキャラクタ情報が有するキャラクタ作成者識別子とキャラクタ等を有するキャラクタ情報を構成し、当該キャラクタ情報をキャラクタ格納部１１１２に蓄積する。
【０１５１】
（ステップＳ４０５）処理部１１３は、ステップＳ４０３で受信されたキャラクタ情報に対応するグループが存在するか否かを判断する。グループが存在すればステップＳ４０６に行き、グループが存在しなければステップＳ４０１に戻る。なお、処理部１１３は、例えば、ステップＳ４０３で受信されたキャラクタ情報がグループ識別子または原案識別子等のグループの存在を示す情報を有する場合はグループが存在すると判断し、キャラクタ情報がグループの存在を示す情報を有しない場合はグループが存在しないと判断する。なお、グループの存在に関する判断処理のアルゴリズムは問わない。
【０１５２】
（ステップＳ４０６）送信部１１４は、キャラクタ情報に対応するグループに参加する１以上の寄与者に、キャラクタ情報がアップロードされた旨を通知する。ステップＳ４０１に戻る。なお、送信部１１４は、例えば、キャラクタ情報に対応するグループ識別子と対になる１以上の各寄与者識別子と対になる寄与者の通知先情報を用いて、キャラクタ情報がアップロードされた旨を通知する。また、寄与者の通知先情報は、例えば、ユーザ格納部１１１０に格納されている。ここで、処理部１１３は、キャラクタ情報に対応するグループに参加する１以上の寄与者が閲覧できる領域（ページ等）に、キャラクタ情報がアップロードされた旨を蓄積しても良い。
【０１５３】
（ステップＳ４０７）原案受信部１１２２は、原案情報を受信したか否かを判断する。原案情報を受信すればステップＳ４０８に行き、原案情報を受信しなければステップＳ４１１に行く。なお、ここで受信される原案情報は、通常、原案者識別子と原案とを有する。
【０１５４】
（ステップＳ４０８）原案蓄積部１１３３は、ステップＳ４０７における原案情報の受信に応じて、ユニークな原案識別子を生成し、当該原案識別子と、ステップＳ４０７で受信された原案情報が有する原案者識別子と原案等を有する原案情報を構成し、当該原案情報を原案格納部１１１３に蓄積する。
【０１５５】
（ステップＳ４０９）処理部１１３は、ステップＳ４０７で受信された原案情報に対応するグループが存在するか否かを判断する。グループが存在すればステップＳ４１０に行き、グループが存在しなければステップＳ４０１に戻る。なお、処理部１１３は、例えば、ステップＳ４０７で受信された原案情報にグループ識別子またはキャラクタ識別子等のグループの存在を示す情報が存在する場合はグループが存在すると判断し、原案情報にグループの存在を示す情報が存在しない場合はグループが存在しないと判断する。なお、グループの存在に関する判断処理のアルゴリズムは問わない。
【０１５６】
（ステップＳ４１０）送信部１１４は、原案情報に対応するグループに参加する１以上の寄与者に、原案情報がアップロードされた旨を通知する。ステップＳ４０１に戻る。なお、送信部１１４は、例えば、原案情報に対応するグループ識別子と対になる１以上の各寄与者識別子と対になる寄与者の通知先情報を用いて、原案情報がアップロードされた旨を通知する。ここで、処理部１１３は、原案情報に対応するグループに参加する１以上の寄与者が閲覧できる領域（ページ等）に、原案情報がアップロードされた旨を蓄積しても良い。
【０１５７】
（ステップＳ４１１）ネーム受信部１１２３は、ネーム情報を受信したか否かを判断する。ネーム情報を受信すればステップＳ４１２に行き、ネーム情報を受信しなければステップＳ４１５に行く。なお、ここで受信されるネーム情報は、通常、ネーム作成者識別子とネームとを有する。
【０１５８】
（ステップＳ４１２）ネーム蓄積部１１３４は、ステップＳ４１１におけるネーム情報の受信に応じて、ユニークなネーム識別子を生成し、当該ネーム識別子と、ステップＳ４１１で受信されたネーム情報が有するネーム作成者識別子とネーム等を有するネーム情報を構成し、当該ネーム情報をネーム格納手段１１１３２に蓄積する。
【０１５９】
（ステップＳ４１３）処理部１１３は、ステップＳ４１１で受信されたネーム情報に対応するグループが存在するか否かを判断する。グループが存在すればステップＳ４１４に行き、グループが存在しなければステップＳ４０１に戻る。なお、処理部１１３は、例えば、ステップＳ４１１で受信されたネーム情報にグループ識別子または原案識別子等のグループの存在を示す情報が存在する場合はグループが存在すると判断し、ネーム情報にグループの存在を示す情報が存在しない場合はグループが存在しないと判断する。なお、グループの存在に関する判断処理のアルゴリズムは問わない。
【０１６０】
（ステップＳ４１４）送信部１１４は、ネーム情報に対応するグループに参加する１以上の寄与者に、ネーム情報がアップロードされた旨を通知する。ステップＳ４０１に戻る。なお、送信部１１４は、例えば、ネーム情報に対応するグループ識別子と対になる１以上の各寄与者識別子と対になる寄与者の通知先情報を用いて、ネーム情報がアップロードされた旨を通知する。ここで、処理部１１３は、ネーム情報に対応するグループに参加する１以上の寄与者が閲覧できる領域（ページ等）に、ネーム情報がアップロードされた旨を蓄積しても良い。
【０１６１】
（ステップＳ４１５）作画受信部１１２４は、作画情報を受信したか否かを判断する。作画情報を受信すればステップＳ４１６に行き、作画情報を受信しなければステップＳ４１９に行く。
【０１６２】
（ステップＳ４１６）作画蓄積部１１３５は、ステップＳ４１５における作画情報の受信に応じて、ユニークな作画識別子を生成し、当該作画識別子と、ステップＳ４１５で受信された作画情報が有する作画者識別子と作画等を有する作画情報を構成し、当該作画情報を作画格納部１１１４に蓄積する。
【０１６３】
（ステップＳ４１７）処理部１１３は、ステップＳ４１５で受信された作画情報に対応するグループが存在するか否かを判断する。グループが存在すればステップＳ４１８に行き、グループが存在しなければステップＳ４０１に戻る。なお、処理部１１３は、例えば、ステップＳ４１１で受信された作画情報にグループ識別子または原案識別子またはネーム識別子等のグループの存在を示す情報が存在する場合はグループが存在すると判断し、作画情報にグループの存在を示す情報が存在しない場合はグループが存在しないと判断する。なお、グループの存在に関する判断処理のアルゴリズムは問わない。
【０１６４】
（ステップＳ４１８）送信部１１４は、作画情報に対応するグループに参加する１以上の寄与者に、作画情報がアップロードされた旨を通知する。ステップＳ４０１に戻る。なお、送信部１１４は、例えば、作画情報に対応するグループ識別子と対になる１以上の各寄与者識別子と対になる寄与者の通知先情報を用いて、作画情報がアップロードされた旨を通知する。ここで、処理部１１３は、作画情報に対応するグループに参加する１以上の寄与者が閲覧できる領域（ページ等）に、作画情報がアップロードされた旨を蓄積しても良い。
【０１６５】
（ステップＳ４１９）受信部１１２は、キャラクタ作成依頼を受信したか否かを判断する。キャラクタ作成依頼を受信すればステップＳ４２０に行き、キャラクタ作成依頼を受信しなければステップＳ４２１に行く。なお、キャラクタ作成依頼は、例えば、依頼するキャラクタ作成の候補者を識別するユーザ識別子、原案識別子、原案者識別子を有する。
【０１６６】
（ステップＳ４２０）送信部１１４は、ステップＳ４１９で受信されたキャラクタ作成依頼に応じたキャラクタ作成回答依頼を、キャラクタ作成の候補者に送信する。なお、送信部１１４は、例えば、ステップＳ４１９で受信されたキャラクタ作成依頼が有するキャラクタ作成の候補者のユーザ識別子と対になる通知先情報を用いて、キャラクタ作成回答依頼をキャラクタ作成の候補者に送信する。なお、送信部１１４は、例えば、ステップＳ４１９で受信されたキャラクタ作成依頼が有する原案識別子、原案者識別子を有するキャラクタ作成回答依頼を構成し、当該キャラクタ作成回答依頼をキャラクタ作成の候補者に送信する。
【０１６７】
（ステップＳ４２１）受信部１１２は、ネーム作成依頼を受信したか否かを判断する。ネーム作成依頼を受信すればステップＳ４２２に行き、ネーム作成依頼を受信しなければステップＳ４２３に行く。なお、ネーム作成依頼は、例えば、依頼するネーム作成の候補者を識別するユーザ識別子、原案識別子、原案者識別子を有する。
【０１６８】
（ステップＳ４２２）送信部１１４は、ステップＳ４２１で受信されたネーム作成依頼に応じたネーム作成回答依頼を、ネーム作成の候補者に送信する。なお、送信部１１４は、例えば、ステップＳ４２１で受信されたネーム作成依頼が有するネーム作成の候補者のユーザ識別子と対になる通知先情報を用いて、ネーム作成回答依頼をネーム作成の候補者に送信する。なお、送信部１１４は、例えば、ステップＳ４２１で受信されたネーム作成依頼が有する原案識別子、原案者識別子を有するネーム作成回答依頼を構成し、当該ネーム作成回答依頼をネーム作成の候補者に送信する。ここで、処理部１１３は、ネーム作成回答依頼に対応するネーム作成の候補者が閲覧できる領域（ページ等）に、ネーム作成回答依頼を蓄積しても良い。
【０１６９】
（ステップＳ４２３）作画依頼受信部１１２５は、作画依頼を受信したか否かを判断する。作画依頼を受信すればステップＳ４２４に行き、作画依頼を受信しなければステップＳ４２５に行く。
【０１７０】
（ステップＳ４２４）作画回答依頼送信部１１４１は、ステップＳ４２１で受信された作画依頼に応じた作画回答依頼を、作画の候補者に送信する。なお、作画回答依頼送信部１１４１は、例えば、ステップＳ４２３で受信された作画依頼が有する作画の候補者のユーザ識別子と対になる通知先情報を用いて、作画回答依頼を作画の候補者に送信する。なお、作画回答依頼送信部１１４１は、例えば、ステップＳ４２３で受信された作画依頼が有する原案識別子、原案者識別子、ネーム識別子、ネーム作成者識別子を有する作画回答依頼を構成し、当該作画回答依頼を作画の候補者に送信する。ここで、処理部１１３は、作画回答依頼に対応する作画の候補者が閲覧できる領域（ページ等）に、作画回答依頼を蓄積しても良い。
【０１７１】
（ステップＳ４２５）承認情報受信部１１２６は、依頼に対する承認情報を受信したか否かを判断する。承認情報を受信すればステップＳ４２６に行き、承認情報を受信しなければステップＳ４３０に行く。なお、承認情報受信部１１２６が非承認情報を受信した場合、例えば、処理部１１３が当該非承認情報を蓄積し、かつ送信部１１４が依頼に対して承認されなかった旨を依頼者に通知する。また、承認情報は、例えば、グループ識別子、承認者の識別子、依頼を送信した者の識別子、依頼の識別子等のうちの１以上の情報を有する。なお、依頼とは、例えば、ネーム作成回答依頼、作画回答依頼である。
【０１７２】
（ステップＳ４２６）グループ情報生成部１１３１は、グループ情報を生成するか否かを判断する。グループ情報を生成すると判断した場合はステップＳ４２７に行き、グループ情報を生成しないと判断した場合はステップＳ４２８に行く。なお、グループ情報生成部１１３１は、例えば、承認情報がグループ識別子を有しない場合はグループ情報を生成すると判断し、承認情報がグループ識別子を有する場合はグループ情報を生成しないと判断する。
【０１７３】
（ステップＳ４２７）グループ情報生成部１１３１は、依頼を送信した者と承認情報を送信した者が、少なくとも含まれるグループのグループ情報を生成する。グループ情報生成部１１３１は、例えば、ユニークなグループ識別子を生成し、当該グループ識別子と、承認情報が有する承認情報の送信者の識別子と、承認情報が有する依頼を送信した者の識別子とを有するグループ情報を生成する。
【０１７４】
（ステップＳ４２８）グループ情報生成部１１３１は、承認情報が有する承認情報の送信者を、当該承認情報に対応するグループに追加する処理を行う。グループ情報生成部１１３１は、例えば、承認情報が有する承認情報の送信者の識別子を、承認情報が有するグループ識別子に対応するグループ情報に付加する。
【０１７５】
（ステップＳ４２９）送信部１１４は、依頼に対応して、承認された旨の情報（例えば、承認情報）を、依頼者に通知する。送信部１１４は、例えば、依頼が有する依頼者の識別子に対応する通知先情報をユーザ格納部１１１０から取得し、当該通知先情報で示される通知先に承認情報を送信する。ここで、処理部１１３は、依頼を送信したユーザ（通常、原案者）が閲覧できる領域（ページ等）に、依頼が承認された旨の情報を蓄積しても良い。
【０１７６】
（ステップＳ４３０）承認情報受信部１１２６は、作画情報に対応する承認情報を受信したか否かを判断する。承認情報を受信すればステップＳ４３１に行き、承認情報を受信しなければステップＳ４３５に行く。
【０１７７】
（ステップＳ４３１）処理部１１３は、ステップＳ４３０で受信された承認情報に対応する作画情報に対して、当該承認情報を送信した者から承認された旨を示す情報（例えば、承認情報）を蓄積する。
【０１７８】
（ステップＳ４３２）漫画蓄積部１１３６は、ステップＳ４３０で受信された承認情報に対応する作画情報に対する１以上の承認の旨の情報が、予め決められた条件に合致するか否かを判断する。予め決められた条件に合致する場合はステップＳ４３３に行き、予め決められた条件に合致しない場合はステップＳ４０１に戻る。なお、予め決められた条件は、通常、必要な者の承認が得られたことであり、例えば、前工程の寄与者全員に対応する承認の旨の情報が蓄積されていること（寄与者全員の承認が得られたこと）、原案者または原作者に対応する承認の旨の情報が蓄積されていること（原案者または原作者の承認が得られたこと）、グループ全員の承認の旨の情報が蓄積されていること等である。
【０１７９】
（ステップＳ４３３）漫画蓄積部１１３６は、承認情報に対応する作画情報が有する作画を用いて完成された漫画を有する漫画情報を漫画格納部１１１１に蓄積する。
【０１８０】
（ステップＳ４３４）送信部１１４は、承認情報に対応するグループの全員に、漫画が完成された旨の通知を行う。送信部１１４は、例えば、承認情報が有するグループ識別子を取得し、当該グループ識別子と対になる１以上の寄与者の通知先情報をユーザ格納部１１１０から取得し、当該通知先情報が示す通知先に、漫画が完成された旨の通知を行う。ここで、処理部１１３は、承認情報に対応するグループの各メンバーが閲覧できる領域（ページ等）に、漫画が完成された旨の情報を蓄積しても良い。
【０１８１】
（ステップＳ４３５）受信部１１２は、作品に対する承認情報を受信したか否かを判断する。承認情報を受信すればステップＳ４３６に行き、承認情報を受信しなければステップＳ４３９に行く。なお、作品に対する承認情報とは、例えば、キャラクタに対する承認情報、ネームに対する承認情報等である。
【０１８２】
（ステップＳ４３６）処理部１１３は、ステップＳ４３５で受信された承認情報に対応する作品に対して、当該承認情報を送信した者から承認された旨を示す情報（例えば、承認情報）を蓄積する。
【０１８３】
（ステップＳ４３７）処理部１１３は、ステップＳ４３５で受信された承認情報に対応する作品に対する１以上の承認の旨の情報が、予め決められた条件に合致するか否かを判断する。予め決められた条件に合致する場合はステップＳ４３８に行き、予め決められた条件に合致しない場合はステップＳ４０１に戻る。なお、予め決められた条件は、通常、必要な者の承認が得られたことであり、例えば、前工程の寄与者全員に対応する承認の旨の情報が蓄積されていること（寄与者全員の承認が得られたこと）、原案者または原作者に対応する承認の旨の情報が蓄積されていること（原案者または原作者の承認が得られたこと）等である。
【０１８４】
（ステップＳ４３８）処理部１１３または／および送信部１１４は、ステップＳ４３５で受信された承認情報に対応する作品の完成のための処理を行う。作品の完成のための処理は、例えば、次の工程に進めることを示す情報を蓄積する処理（処理部１１３が行う処理）、グループの他の寄与者に当該作品が完成した旨を通知する処理（送信部１１４が行う処理）等である。
【０１８５】
（ステップＳ４３９）取得指示受信部１１２９は、取得指示を端末装置１６から受信したか否かを判断する。取得指示を受信すればステップＳ４４０に行き、取得指示を受信しなければステップＳ４４３に行く。なお、取得指示は、通常、漫画識別子を有する。
【０１８６】
（ステップＳ４４０）処理部１１３は、取得指示に対応する漫画を漫画格納部１１１１から取得する。なお、取得指示に対応する漫画を取得する処理は、漫画送信部１１４３が行っても良い。
【０１８７】
（ステップＳ４４１）漫画送信部１１４３は、取得された漫画を、取得指示を送信してきた端末装置１６に送信する。
【０１８８】
（ステップＳ４４２）処理部１１３は、ステップＳ４４０における漫画のダウンロードに応じて課金処理を行う。ステップＳ４０１に戻る。なお、ここでの課金処理は、取得指示を送信した者に対する課金の処理である。また、処理部１１３は、ステップＳ４４０における漫画のダウンロードに応じて、当該漫画の販売数、または／および売上を、漫画格納部１１１１に蓄積しても良い。課金処理、販売数や売上を算出し、蓄積する処理は公知技術であるので、詳細な説明は省略する。
【０１８９】
（ステップＳ４４３）受信部１１２は、著作者情報出力指示を受信したか否かを判断する。著作者情報出力指示を受信すればステップＳ４４４に行き、著作者情報出力指示を受信しなければステップＳ４４６に行く。なお、著作者情報出力指示は、著作者に関する情報の出力指示である。著作者情報出力指示は、通常、漫画識別子を有する。また、著作者情報出力指示は、例えば、漫画に関するウェブページの出力指示でも良く、漫画に関するウェブページの出力指示に含まれていても良い。
【０１９０】
（ステップＳ４４４）著作者情報取得部１１３８は、著作者情報出力指示に対応する寄与者（著作者）の情報を取得する。著作者情報取得部１１３８は、例えば、著作者情報出力指示が有する漫画識別子と対になる１以上の寄与者識別子を漫画格納部１１１１から取得する。そして、著作者情報取得部１１３８は、例えば、１以上の各寄与者識別子と対になるユーザの氏名、属性値等を、ユーザ格納部１１１０から取得する。なお、かかる場合、ユーザの氏名、属性値等が、著作者情報である。また、著作者情報取得部１１３８は、１以上の著作者情報を含むウェブページを取得しても良い。
【０１９１】
（ステップＳ４４５）著作者情報出力部１１４４は、ステップＳ４４４で取得された１以上の著作者情報を、著作者情報出力指示を送信してきた装置に送信する。ステップＳ４０１に戻る。なお、著作者情報出力部１１４４は、１以上の著作者情報を含むウェブページを送信しても良い。
【０１９２】
（ステップＳ４４６）受信部１１２は、収益出力指示を受信したか否かを判断する。収益出力指示を受信すればステップＳ４４７に行き、収益出力指示を受信しなければステップＳ４５４に行く。なお、収益出力指示は、通常、漫画識別子を有する。また、収益出力指示は、漫画作成支援装置１１のユーザから入力され、図示しない受付手段が受け付けた指示でも良い。
【０１９３】
（ステップＳ４４７）著作者情報取得部１１３８は、著作者情報出力指示に対応する寄与者の情報である１以上の著作者情報を取得する。
【０１９４】
（ステップＳ４４８）収益算出部１１３９は、カウンタｉに１を代入する。
【０１９５】
（ステップＳ４４９）収益算出部１１３９は、ステップＳ４４７で取得された著作者情報の中に、ｉ番目の著作者情報が存在するか否かを判断する。ｉ番目の著作者情報が存在すればステップＳ４５０に行き、ｉ番目の著作者情報が存在しなければステップＳ４５２に行く。なお、ｉ番目の著作者情報の存在は、ｉ番目の寄与者の存在と同意義である。
【０１９６】
（ステップＳ４５０）収益算出部１１３９は、ｉ番目の著作者情報を用いて、ｉ番目の寄与者の収益を算出する。また、収益算出部１１３９は、算出した収益をｉ番目の寄与者の情報に対応付けて、バッファに一時蓄積する。
【０１９７】
（ステップＳ４５１）収益算出部１１３９は、カウンタｉを１、インクリメントする。ステップＳ４４９に戻る。
【０１９８】
（ステップＳ４５２）収益出力部１１４５は、ステップＳ４５０で算出された収益を用いて、出力する収益情報を構成する。
【０１９９】
（ステップＳ４５３）収益出力部１１４５は、収益情報を出力する。ステップＳ４０１に戻る。
【０２００】
（ステップＳ４５４）コメント情報受信部１１２７は、コメント情報を受信したか否かを判断する。コメント情報を受信すればステップＳ４５５に行き、コメント情報を受信しなければステップＳ４５６に行く。
【０２０１】
（ステップＳ４５５）処理部１１３または／および送信部１１４は、ステップＳ４５４で受信されたコメント情報を出力する。ステップＳ４０１に戻る。なお、処理部１１３を構成するコメント情報蓄積部１１３７は、通常、ステップＳ４５４で受信されたコメント情報を、グループに対応付けてコメント情報格納部１１１６に蓄積する。また、送信部１１４は、ステップＳ４５４で受信されたコメント情報を、コメント情報に対応するグループに属するすべての寄与者に送信しても良い。
【０２０２】
（ステップＳ４５６）コメント閲覧指示受信部１１２８は、コメント閲覧指示を受信したか否かを判断する。コメント閲覧指示を受信すればステップＳ４５７に行き、グループ情報を受信しなければステップＳ４０１に戻る。なお、コメント閲覧指示は、例えば、グループ識別子を有する。
【０２０３】
（ステップＳ４５７）処理部１１３は、ステップＳ４５６で受信されたコメント閲覧指示に対応する１以上のコメントを取得する。なお、かかるコメント取得処理は、コメント送信部１１４２が行っても良い。
【０２０４】
（ステップＳ４５８）コメント送信部１１４２は、ステップＳ４５７で取得された１以上のコメントを、コメント閲覧指示を送信してきた装置に送信する。ステップＳ４０１に戻る。
【０２０５】
なお、図４、図５、図６のフローチャートにおいて、電源オフや処理終了の割り込みにより処理は終了する。
【０２０６】
次に、第一装置１２の動作について、図７のフローチャートを用いて説明する。
【０２０７】
（ステップＳ７０１）第一受付部１２２は、グループ情報を受け付けたか否かを判断する。グループ情報を受け付ければステップＳ７０２に行き、グループ情報を受け付けなければステップＳ７０４に行く。
【０２０８】
（ステップＳ７０２）第一処理部１２３は、ステップＳ７０１で受け付けたグループ情報を用いて、送信するグループ情報を構成する。なお、第一処理部１２３は、例えば、ステップＳ７０１で受け付けたグループ情報に、原案者識別子を付与し、送信するグループ情報を構成する。なお、原案者識別子は、例えば、第一格納部１２１に格納されている。
【０２０９】
（ステップＳ７０３）第一送信部１２４は、ステップＳ７０１で構成されたグループ情報を漫画作成支援装置１１に送信する。ステップＳ７０１に戻る。
【０２１０】
（ステップＳ７０４）第一受付部１２２は、原案を受け付けたか否かを判断する。原案を受け付ければステップＳ７０５に行き、原案を受け付けなければステップＳ７０７に行く。なお、ここでの原案は、原作、または原作とネームである。また、第一受付部１２２は、通常、グループ識別子をも受け付ける。
【０２１１】
（ステップＳ７０５）第一処理部１２３は、ステップＳ７０４で受け付けた原案を用いて、送信する原案情報を構成する。なお、第一処理部１２３は、例えば、ステップＳ７０１で受け付けた原案と原案者識別子とを有する原案情報を構成する。また、原案情報は、通常、グループ識別子を有する。
【０２１２】
（ステップＳ７０６）第一送信部１２４は、ステップＳ７０５で構成した原案情報を漫画作成支援装置１１に送信する。ステップＳ７０１に戻る。なお、原案情報は、原作情報と同じでも良い。
【０２１３】
（ステップＳ７０７）第一受付部１２２は、各種の依頼を受け付けたか否かを判断する。依頼を受け付ければステップＳ７０８に行き、依頼を受け付けなければステップＳ７１０に行く。なお、各種の依頼とは、例えば、キャラクタ作成依頼、ネーム作成依頼、作画依頼のうちのいずれかである。また、各種の依頼は、通常、グループ識別子を有する。
【０２１４】
（ステップＳ７０８）第一処理部１２３は、ステップＳ７０７における依頼の受け付けに対応して、送信する依頼を構成する。なお、第一処理部１２３は、例えば、ステップＳ７０７で受け付けた依頼に原案者識別子を付加し、送信する依頼を構成する。
【０２１５】
（ステップＳ７０９）第一送信部１２４は、ステップＳ７０８で構成した依頼を漫画作成支援装置１１に送信する。ステップＳ７０１に戻る。
【０２１６】
（ステップＳ７１０）第一受付部１２２は、各種の指示を受け付けたか否かを判断する。指示を受け付ければステップＳ７１１に行き、指示を受け付けなければステップＳ７１５に行く。なお、各種の指示とは、例えば、コメント閲覧指示、著作者情報出力指示、収益出力指示のうちのいずれかである。
【０２１７】
（ステップＳ７１１）第一処理部１２３は、ステップＳ７１０における指示の受け付けに対応して、送信する指示を構成する。なお、第一処理部１２３は、例えば、ステップＳ７１０で受け付けた指示に原案者識別子を付加し、送信する指示を構成する。
【０２１８】
（ステップＳ７１２）第一送信部１２４は、ステップＳ７１１で構成した指示を漫画作成支援装置１１に送信する。
【０２１９】
（ステップＳ７１３）第一受信部１２５は、ステップＳ７１２における指示の送信に対応して、漫画作成支援装置１１から情報を受信したか否かを判断する。情報を受信すればステップＳ７１４に行き、情報を受信しなければステップＳ７１３に戻る。
【０２２０】
（ステップＳ７１４）第一出力部１２６は、ステップＳ７１３で受信された情報を出力する。ステップＳ７０１に戻る。
【０２２１】
（ステップＳ７１５）第一受付部１２２は、各種の情報を受け付けたか否かを判断する。情報を受け付ければステップＳ７１６に行き、情報を受け付けなければステップＳ７０１に戻る。なお、各種の情報とは、例えば、コメント情報とグループ識別子である。
【０２２２】
（ステップＳ７１６）第一処理部１２３は、ステップＳ７１５における情報の受け付けに対応して、送信する情報を構成する。なお、第一処理部１２３は、例えば、ステップＳ７１５で受け付けた情報に原案者識別子を付加し、送信する情報を構成する。
【０２２３】
（ステップＳ７１７）第一送信部１２４は、ステップＳ７１６で構成した情報を漫画作成支援装置１１に送信する。ステップＳ７０１に戻る。
【０２２４】
なお、図７のフローチャートにおいて、電源オフや処理終了の割り込みにより処理は終了する。
【０２２５】
次に、第二装置１３の動作について、図８のフローチャートを用いて説明する。図８のフローチャートにおいて、図７のフローチャートと同一のステップについて、説明を省略する。なお、図７のフローチャートと同一のステップにおける主体は、第二装置１３を構成する構成要素であることは言うまでもない。
【０２２６】
（ステップＳ８０１）第二受付部１３２は、ネームを受け付けたか否かを判断する。ネームを受け付ければステップＳ８０２に行き、ネームを受け付けなければステップＳ８０４に行く。なお、第二受付部１３２は、例えば、ネームと、当該ネームに対応する原作識別子またはグループ識別子とを受け付ける。また、ここでのネームの受け付けは、ネーム情報の送信指示の受け付けと同意義である。また、第二受付部１３２は、例えば、受け付ける情報の中に原作識別子を有さず、ネームのみを受け付けても良い。
【０２２７】
（ステップＳ８０２）第二処理部１３３は、ステップＳ８０１におけるネームの受け付けに対応して、送信するネーム情報を構成する。なお、第二処理部１３３は、例えば、ステップＳ８０１で受け付けたネームとグループ識別子に、ネーム作成者識別子を付加し、送信するネーム情報を構成する。
【０２２８】
（ステップＳ８０３）第二送信部１３４は、ステップＳ８０２で構成されたネーム情報を漫画作成支援装置１１に送信する。ステップＳ８０１に戻る。
【０２２９】
（ステップＳ８０４）第二受信部１３５は、ネーム作成依頼を受信したか否かを判断する。ネーム作成依頼を受信すればステップＳ８０５に行き、ネーム作成依頼を受信しなければステップＳ８０６に行く。
【０２３０】
（ステップＳ８０５）第二出力部１３６は、ステップＳ８０４で受信されたネーム作成依頼を出力する。ステップＳ８０１に戻る。
【０２３１】
（ステップＳ８０６）第二受付部１３２は、承認情報または非承認情報を受け付けたか否かを判断する。承認情報または非承認情報を受け付ければステップＳ８０７に行き、承認情報または非承認情報を受け付けなければステップＳ７１０に行く。承認情報または非承認情報は、ネーム作成依頼に対する承認情報または非承認情報でも良いし、他の作品（例えば、本装置のユーザが作成したネームに対応する一のキャラクタ、作成したネームに対応する一の作画）に対する承認情報または非承認情報でも良い。
【０２３２】
（ステップＳ８０７）第二処理部１３３は、ステップＳ８０６で受け付けられた承認情報等を用いて、送信する承認情報等を構成する。第二処理部１３３は、例えば、ステップＳ８０６で受け付けられた承認情報等に、ネーム作成者識別子を付加し、送信する承認情報等を構成する。
【０２３３】
（ステップＳ８０８）第二送信部１３４は、ステップＳ８０７で構成された承認情報等を漫画作成支援装置１１に送信する。ステップＳ８０１に戻る。
【０２３４】
なお、図８のフローチャートにおいて、電源オフや処理終了の割り込みにより処理は終了する。
【０２３５】
次に、第三装置１４の動作について、図９のフローチャートを用いて説明する。図９のフローチャートにおいて、図７、図８のフローチャートと同一のステップについて、説明を省略する。なお、図７、図８のフローチャートと同一のステップにおける主体は、第三装置１４を構成する構成要素であることは言うまでもない。
【０２３６】
（ステップＳ９０１）第三受付部１４２は、作画を受け付けたか否かを判断する。作画を受け付ければステップＳ９０２に行き、作画を受け付けなければステップＳ９０４に行く。なお、第三受付部１４２は、例えば、作画と、当該作画に対応する原作識別子またはグループ識別子とを受け付ける。また、ここでの作画の受け付けは、作画情報の送信指示の受け付けと同意義である。また、第三受付部１４２は、例えば、受け付ける情報の中に原作識別子を有さず、作画のみを受け付けても良い。
【０２３７】
（ステップＳ９０２）第三処理部１４３は、ステップＳ９０１における作画の受け付けに対応して、送信する作画情報を構成する。なお、第三処理部１４３は、例えば、ステップＳ９０１で受け付けた作画と原作識別子に、作画者識別子を付加し、送信する作画情報を構成する。
【０２３８】
（ステップＳ９０３）第三送信部１４４は、ステップＳ９０２で構成された作画情報を漫画作成支援装置１１に送信する。ステップＳ９０１に戻る。
【０２３９】
（ステップＳ９０４）第三受信部１４５は、作画回答依頼を受信したか否かを判断する。作画回答依頼を受信すればステップＳ９０５に行き、作画回答依頼を受信しなければステップＳ８０６に行く。
【０２４０】
（ステップＳ９０５）第三出力部１４６は、ステップＳ９０４で受信された作画回答依頼を出力する。ステップＳ９０１に戻る。
【０２４１】
なお、図９のフローチャートにおいて、電源オフや処理終了の割り込みにより処理は終了する。
【０２４２】
次に、第四装置１５の動作について、図１０のフローチャートを用いて説明する。図１０のフローチャートにおいて、図７、図８のフローチャートと同一のステップについて、説明を省略する。なお、図７、図８のフローチャートと同一のステップにおける主体は、第四装置１５を構成する構成要素であることは言うまでもない。
【０２４３】
（ステップＳ１００１）第四受付部１５２は、キャラクタを受け付けたか否かを判断する。キャラクタを受け付ければステップＳ１００２に行き、キャラクタを受け付けなければステップＳ１００４に行く。なお、第四受付部１５２は、例えば、キャラクタと、当該キャラクタに対応する原作識別子またはグループ識別子とを受け付ける。また、ここでのキャラクタの受け付けは、キャラクタ情報の送信指示の受け付けと同意義である。また、第四受付部１５２は、例えば、受け付ける情報の中に原作識別子を有さず、キャラクタのみを受け付けても良い。
【０２４４】
（ステップＳ１００２）第四処理部１５３は、ステップＳ１００１におけるキャラクタの受け付けに対応して、送信するキャラクタ情報を構成する。なお、第四処理部１５３は、例えば、ステップＳ１００１で受け付けたキャラクタとグループ識別子に、キャラクタ作成者識別子を付加し、送信するキャラクタ情報を構成する。
【０２４５】
（ステップＳ１００３）第四送信部１５４は、ステップＳ１００２で構成されたキャラクタ情報を漫画作成支援装置１１に送信する。ステップＳ１００１に戻る。
【０２４６】
（ステップＳ１００４）第四受信部１５５は、キャラクタ作成依頼を受信したか否かを判断する。キャラクタ作成依頼を受信すればステップＳ１００５に行き、キャラクタ作成依頼を受信しなければステップＳ８０６に行く。
【０２４７】
（ステップＳ１００５）第四出力部１５６は、ステップＳ１００４で受信されたキャラクタ作成依頼を出力する。ステップＳ１００１に戻る。
【０２４８】
なお、図１０のフローチャートにおいて、電源オフや処理終了の割り込みにより処理は終了する。
【０２４９】
以下、本実施の形態における漫画作成支援システム１の具体的な動作について説明する。漫画作成支援システム１の動作の概要を説明する概念図は図１１である。
【０２５０】
本具体例において、図１１に示すように、以下の（１）から（８）の手順で処理が流れることにより、漫画が完成する。
（１）原作者が作成した漫画の原作を漫画作成支援装置１１に投函（アップロード）する。
（２）原作者が、ネーム作成の候補者および作画の候補者に対して、共同制作希望依頼を漫画作成支援装置１１経由で送信する。なお、共同制作希望依頼とは、ネーム作成依頼または／および作画依頼である。
（３）依頼を受けたネーム作成の候補者、および作画の候補者から承認を得る。なお、承認を得る処理は、第二装置１３および第三装置１４から、漫画作成支援装置１１経由で、第一装置１２に承認情報が送信される処理である。また、共同制作希望依頼を受信した候補者が非承認情報を送信した場合、他の候補者に対する（２）（３）の処理を、他の候補者から承認を得るまで繰り返す。
（４）ネーム作成者がネームを漫画作成支援装置１１に投函する。
（５）承認の対象者が、投函されたネームをチェックし、当該ネームに対して承認する。なお、承認の対象者がネームに対して承認するまで、（４）（５）の処理を繰り返す。なお、承認の対象者は、通常、原作者、または原作者と作画者である。
（６）作画者が作画を漫画作成支援装置１１に投函する。
（７）承認の対象者が、投函された作画をチェックし、当該作画に対して承認する。なお、承認の対象者が作画に対して承認するまで、（６）（７）の処理を繰り返す。承認の対象者は、通常、原作者およびネーム作成者である。
（８）承認の対象者が承認した作画が完成された漫画として蓄積される。
【０２５１】
以下、漫画作成支援システム１の具体的な動作について説明する。
【０２５２】
今、ユーザ格納部１１１０は、図１２に示す構造を有するユーザ情報管理表を保持している。ユーザ情報管理表は、「ＩＤ」「ユーザ情報」を有する１以上のレコードを格納している。また、「ユーザ情報」は、「ユーザ識別子」「氏名」「通知先情報」を有する。「ＩＤ」は、レコードを識別する情報である。「ユーザ識別子」は、寄与者識別子と同意義である。「通知先情報」は、ここではメールアドレスであるが、ユーザに情報を通知するための情報であれば何でも良い。
【０２５３】
また、漫画格納部１１１１は、図１３に示す構造を有する漫画情報管理表を保持している。漫画情報管理表は、「ＩＤ」「漫画情報」を有するレコードを１以上格納している。「漫画情報」は、「漫画識別子」「グループ識別子」「原作識別子」「ネーム識別子」「作画識別子」「漫画」を有する。図１３において、「漫画」はファイル名であるが、当該ファイル名に対応する実体データも、漫画情報管理表が管理している、とする。
【０２５４】
また、キャラクタ格納部１１１２は、図１４に示す構造を有するキャラクタ情報管理表を保持している。キャラクタ情報管理表は、「ＩＤ」「キャラクタ情報」を有する１以上のレコードを格納している。また、「キャラクタ情報」は、「キャラクタ作成者識別子」「キャラクタ識別子」「キャラクタ」を有する。なお、図１４において、「キャラクタ」はファイル名であるが、当該ファイル名に対応する実体データも、キャラクタ情報管理表が管理している、とする。
【０２５５】
また、原作格納手段１１１３１は、図１５に示す構造を有する原作情報管理表を保持している。原案情報管理表は、「ＩＤ」「原案情報」を有する１以上のレコードを格納している。「原案情報」は、「原作者識別子」「原作識別子」「原作」「グループ識別子」を有する。なお、図１５において、「原作」はファイル名であるが、当該ファイル名に対応する実体データも、原作情報管理表が管理している、とする。
【０２５６】
また、ネーム格納手段１１１３２は、図１６に示す構造を有するネーム情報管理表を保持している。ネーム情報管理表は、「ＩＤ」「ネーム情報」を有する１以上のレコードを格納している。また、「ネーム情報」は、「ネーム作成者識別子」「ネーム識別子」「ネーム」を有する。なお、図１６において、「ネーム」はファイル名であるが、当該ファイル名に対応する実体データも、ネーム情報管理表が管理している、とする。
【０２５７】
また、作画格納部１１１４は、図１７に示す構造を有する作画情報管理表を保持している。作画情報管理表は、「ＩＤ」「作画情報」を有する１以上のレコードを格納している。また、「作画情報」は、「作画者識別子」「作画識別子」「作画」を有する。なお、図１７において、「作画」はファイル名であるが、当該ファイル名に対応する実体データも、作画情報管理表が管理している、とする。
【０２５８】
また、グループ情報格納部１１１５は、図１８に示す構造を有するグループ情報管理表を保持している。グループ情報管理表は、「ＩＤ」「グループ情報」を有する１以上のレコードを格納している。「グループ情報」は、「グループ識別子」「原作者識別子」「原作識別子」「ネーム作成者識別子」「ネーム識別子」「ネーム承認情報」「作画者識別子」「作画識別子」「作画承認情報」を有する。
【０２５９】
さらに、コメント情報格納部１１１６は、図１９に示す構造を有するコメント情報管理表を保持している。コメント情報管理表は、「ＩＤ」「コメント情報」を有する１以上のレコードを格納している。「コメント情報」は、「コメント識別子」「グループ識別子」「寄与者識別子」「コメント」「日時」を有する。
【０２６０】
かかる状況において、まず、ユーザ識別子「ｕ００１」で識別される原作者が自分の原作を投函する前に、以下のように、グループ情報を作成するための操作を第一装置１２に対して行う、とする。つまり、グループ作成画面を漫画作成支援装置１１からダウンロードするために、当該原作者は、グループ作成画面のＵＲＬを第一装置１２に入力する。次に、第一装置１２の第一受付部１２２は、当該ＵＲＬを受け付け、第一送信部１２４は当該ＵＲＬを用いて、漫画作成支援装置１１にアクセスする。そして、第一装置１２の受信部１１２は当該ＵＲＬに対応するＷｅｂページを受信し、第一出力部１２６は図２０の画面を出力する。
【０２６１】
次に、当該原作者は、図２０の「新規制作グループの作成」ボタン２００１を押下した、とする。すると、第一装置１２の第一受付部１２２は、ボタン２００１の押下を受け付ける。そして、第一送信部１２４は、ボタン２００１に対応する画面の要求を漫画作成支援装置１１に送信する。次に、漫画作成支援装置１１の受信部１１２は当該要求を受信し、格納部１１１から当該要求に対応する画面の情報を取得し、送信部１１４は当該画面の情報を第一装置１２に送信する。そして、第一装置１２の第一受信部１２５は当該画面の情報を受信し、第一出力部１２６は図２１のグループ情報入力画面を出力した、とする。次に、当該原作者は、図２１のグループ情報入力画面の各フィールド（２１０１〜２１０８）にグループ情報を構成する情報を入力し、「グループを作成する」ボタン２１０９を押下した、とする。
【０２６２】
すると、第一装置１２の第一受付部１２２は、グループ情報を受け付ける。なお、グループ情報は、図２１の各フィールド（２１０１〜２１０８）に入力された情報を有する。そして、第一処理部１２３は、第一格納部１２１に格納されているユーザ識別子「ｕ００１」を取得し、ユーザ識別子「ｕ００１」と各フィールド（２１０１〜２１０８）に入力された情報とを有するグループ情報を構成する。次に、第一送信部１２４は、構成されたグループ情報を漫画作成支援装置１１に送信する。
【０２６３】
次に、漫画作成支援システム１のグループ情報受信部１１２０は、グループ情報を受信する。次に、グループ情報生成部１１３１は、グループ情報の受信に応じて、ユニークなグループ識別子「Ｇ００１」を生成し、当該グループ識別子「Ｇ００１」と、受信されたグループ情報が有する原作者識別子「ｕ００１」を有するグループ情報を構成し、当該グループ情報をグループ情報管理表（図１８）に蓄積する。なお、ここで、図１８の「ＩＤ＝１」のレコードであり、グループ識別子と原作者識別子等を有するレコードが生成され、蓄積された。
【０２６４】
次に、「ｕ００１」の原作者は、図２２の画面におけるグループ「マンガニア制作委員会  初めてのマンガニア」ボタン２２０１を選択したとする。また、当該原作者は、図２２の画面における「原稿ＵＰ」ボタン２２０２を選択する。すると、第一装置１２は図２３の画面を出力する、とする。なお、グループ「マンガニア制作委員会  初めてのマンガニア」ボタン２１０１の選択により、グループ識別子「Ｇ００１」が第一装置１２に入力された、とする。
【０２６５】
次に、当該原作者は、原稿タイトル「初めての原稿０１」２３０１、原稿タイプ「テキスト」２３０２、原作２３０３を入力し、「原稿をＵＰする」ボタン２３０４を押下した、とする。なお、図２２、図２３の画面の出力の経緯は問わない。また、ボタン２２０１には、グループ名と、原作のタイトルが表示されている。
【０２６６】
次に、第一装置１２の第一受付部１２２は、グループ識別子「Ｇ００１」と原稿タイトル名「初めての原稿０１」と当該原作等を受け付ける。次に、第一処理部１２３は、第一格納部１２１のユーザ識別子「ｕ００１」を取得し、当該ユーザ識別子「ｕ００１」と受け付けられた原作とグループ識別子「Ｇ００１」等とを用いて、送信する原作情報を構成する。次に、第一送信部１２４は、当該原作情報を漫画作成支援装置１１に送信する。なお、このユーザ識別子「ｕ００１」は、原作者識別子でもある。また、原作のファイルは、「初めての原稿０１．ｔｘｔ」である、とする。つまり、第一処理部１２３は、原稿タイトル名を用いて、原作のファイル名を決定し、ファイルを構成する、とする。なお、原作のファイルの例は「ｔｘｔ」形式であるが、リッチテキスト（．ｒｔｆ）、ＨＴＭＬ等、その形式を問わないことは言うまでもない。
【０２６７】
次に、漫画作成支援装置１１の原案受信部１１２２は、原作情報を受信する。次に、原案蓄積部１１３３は、原案情報の受信に応じて、ユニークな原作識別子「ｏｒ００１」を生成し、当該原案識別子「ｏｒ００１」と、受信された原作情報が有する原作者識別子「ｕ００１」と原作等を有する原作情報を構成し、当該原作情報を原作情報管理表（図１５）に蓄積する。なお、この原作情報は、図１５の「ＩＤ＝１」のレコードと原作（ファイル「ｏｒｆ０１．ｔｘｔ」）である。また、原案蓄積部１１３３は、グループ識別子「Ｇ００１」に対応する原作識別子「ｏｒ００１」を、図１８のグループ管理表に蓄積する、とする。
【０２６８】
次に、ユーザ識別子「ｕ００１」の原作者は、図２４の画面の「参加のオファーを送る」ボタン２４０１を押下した、とする。すると、第一装置１２は、図２５の画面を出力する、とする。なお、図２４、図２５の画面の出力の経緯は問わない。
【０２６９】
次に、当該原作者は、図２５の画面のグループ選択のためのフィールド２５０１に、グループ名「マンガニア制作委員会」を入力する。すると、第一装置１２の第一受付部１２２はグループ名「マンガニア制作委員会」を受け付ける。また、第一処理部１２３は、グループ名「マンガニア制作委員会」に対応するグループ識別子「Ｇ００１」を取得する。なお、図２５の画面の情報は、グループ名「マンガニア制作委員会」とグループ識別子「Ｇ００１」との対応情報を有する、とする。そして、かかる対応情報は、第一格納部１２１に一時格納されている、とする。
【０２７０】
次に、当該原作者は、作画の候補者として、「太田一郎」を選択し、かつ依頼したい内容「あなたのネームのいくつかの例が大変気に入りました。ぜひ、ネーム作成を担当頂けませんか？」を入力した、とする（図示しない）。すると、第一受付部１２２は「太田一郎」に対応するユーザ識別子「ｕ００２」を取得し、および入力された「太田一郎」、当該依頼したい内容、グループ識別子「Ｇ００１」を受け付ける、とする。
【０２７１】
次に、第一処理部１２３は、第一受付部１２２が取得したユーザ識別子「ｕ００２」、氏名「太田一郎」、依頼したい内容と、当該原作者のユーザ識別子「ｕ００１」と、グループ識別子「Ｇ００１」とを有するネーム作成依頼を構成する。
【０２７２】
次に、第一送信部１２４は、構成されたネーム作成依頼を漫画作成支援装置１１に送信する。
【０２７３】
次に、漫画作成支援装置１１の受信部１１２は、ネーム作成依頼を受信する。次に、送信部１１４は、受信されたネーム作成依頼に応じたネーム作成回答依頼を、ネーム作成の候補者に送信する。つまり、送信部１１４は、ネーム作成依頼に対応するネーム作成回答依頼を構成し、当該ネーム作成回答依頼を、ネーム作成依頼が有するユーザ識別子「ｕ００２」に対応する第三装置１４に送信する。なお、ネーム作成回答依頼は、依頼したい内容と原作者のユーザ情報の一部または全部とグループ識別子「Ｇ００１」とを有する。なお、送信部１１４は、ネーム作成回答依頼をユーザ識別子「ｕ００２」に対応するページ（記憶領域）に書き込み、ユーザ識別子「ｕ００２」で識別されるユーザから当該ページのアクセスがあった場合に、ネーム作成回答依頼を送信しても良い。
【０２７４】
次に、ユーザ識別子「ｕ００２」に対応する第三装置１４の第三受信部１４５は、ネーム作成回答依頼を受信する。次に、第三出力部１４６は、当該ネーム作成依頼を出力する。
【０２７５】
次に、「太田一郎」は、例えば、図２６の画面の２６０１のアンカーを押下することにより、原作識別子「ｏｒ００１」で識別される原作をダウンロードしてチェックする。そして、「太田一郎」は、原作に納得し、ネームの作成を許諾しようと考えた、とする。なお、図２６の画面に至る経緯は問わないことは言うまでもない。
【０２７６】
また、「太田一郎」がグループ識別子「Ｇ００１」で識別されるグループに参加するまで、原作をダウンロードできなくても良い。かかる場合、「太田一郎」は、原作をチェックせずに、後述する「承認情報」を入力する、とする。ただし、「太田一郎」は、「山田花子」の、一般に公開されている原作や、情報（経歴、指向等）をチェックしてから、「承認情報」を入力しても良い。
【０２７７】
次に、ユーザ識別子「ｕ００２」に対応するネーム作成の候補者「太田一郎」は、第三装置１４に「承認情報」を入力した、とする。そして、第三受付部１４２は承認情報を受け付ける。なお、ここでの承認情報は、グループ識別子「Ｇ００１」と、ネーム作成者であることを示す情報とを有する。
【０２７８】
次に、第三処理部１４３は、ユーザ識別子「ｕ００２」を取得し、当該ユーザ識別子「ｕ００２」、グループ識別子「Ｇ００１」、ネーム作成者であることを示す情報を用いて、送信する承認情報を構成する。
【０２７９】
次に、第三送信部１４４は、構成された承認情報を漫画作成支援装置１１に送信する。
【０２８０】
次に、漫画作成支援装置１１の承認情報受信部１１２６は、ネーム作成依頼に対する承認情報を受信する。次に、グループ情報生成部１１３１は、承認情報がグループ識別子を有するので、グループ情報を生成しない、と判断する。次に、グループ情報生成部１１３１は、承認情報が有する承認情報の送信者「ｕ００２」を、当該承認情報に対応するグループ識別子「Ｇ００１」に対応するグループに、ネーム作成者識別子として、追加する。なお、このネーム作成者識別子「ｕ００２」は、図１８の「ＩＤ＝１」のネーム作成者識別子である。
【０２８１】
次に、当該原作者は、作画の候補者として、「青木次郎」を選択し（図示しない）、かつ依頼したい内容をフィールド２５０２に入力した、とする。すると、第一受付部１２２は「青木次郎」に対応するユーザ識別子「ｕ００３」を取得し、および入力された「青木次郎」、依頼したい内容「イメージする絵柄・・・・」、グループ識別子「Ｇ００１」を受け付ける、とする。なお、図２５の画面の情報は、氏名「青木次郎」とユーザ識別子「ｕ００３」との対応情報を有する、とする。そして、かかる対応情報は、第一格納部１２１に一時格納されている、とする。
【０２８２】
次に、第一処理部１２３は、第一受付部１２２が取得したユーザ識別子「ｕ００３」、氏名「青木次郎」、依頼したい内容「イメージする絵柄・・・・」と、当該原作者のユーザ識別子「ｕ００１」と、グループ識別子「Ｇ００１」とを有する作画依頼を構成する。
【０２８３】
次に、第一送信部１２４は、構成された作画依頼を漫画作成支援装置１１に送信する。
【０２８４】
次に、漫画作成支援装置１１の作画依頼受信部１１２５は、作画依頼を受信する。次に、作画回答依頼送信部１１４１は、作画依頼に対応する作画回答依頼を構成し、当該作画回答依頼を、作画依頼が有するユーザ識別子「ｕ００３」に対応する第三装置１４に送信する。なお、作画回答依頼は、依頼したい内容「イメージする絵柄・・・・」と原作者のユーザ情報の一部または全部とグループ識別子「Ｇ００１」とを有する。なお、作画回答依頼送信部１１４１は、作画回答依頼をユーザ識別子「ｕ００３」に対応するページ（記憶領域）に書き込み、ユーザ識別子「ｕ００３」で識別されるユーザから当該ページのアクセスがあった場合に、作画回答依頼を送信しても良い。
【０２８５】
次に、ユーザ識別子「ｕ００３」に対応する第三装置１４の第三受信部１４５は、作画回答依頼を受信する。次に、第三出力部１４６は、当該作画回答依頼を出力する。
【０２８６】
次に、作画の候補者「青木次郎」は、図２６の画面の２６０１のアンカーを押下することにより、原作識別子「ｏｒ００１」で識別される原作をダウンロードしてチェックする。そして、「青木次郎」は、原作に納得し、作画を許諾しようと考えた、とする。なお、図２６の画面に至る経緯は問わないことは言うまでもない。
【０２８７】
そして、「青木次郎」は、第三装置１４に「承認情報」を入力した、とする。そして、第三受付部１４２は承認情報を受け付ける。なお、ここでの承認情報は、グループ識別子「Ｇ００１」と、作画者であることを示す情報とを有する。
【０２８８】
次に、第三処理部１４３は、ユーザ識別子「ｕ００３」を取得し、当該ユーザ識別子「ｕ００３」、グループ識別子「Ｇ００１」、作画者であることを示す情報を用いて、送信する承認情報を構成する。
【０２８９】
次に、第三送信部１４４は、構成された承認情報を漫画作成支援装置１１に送信する。
【０２９０】
次に、漫画作成支援装置１１の承認情報受信部１１２６は、作画依頼に対する承認情報を受信する。次に、グループ情報生成部１１３１は、承認情報がグループ識別子を有するので、グループ情報を生成しない、と判断する。次に、グループ情報生成部１１３１は、承認情報が有する承認情報の送信者「ｕ００３」を、当該承認情報に対応するグループ識別子「Ｇ００１」に対応するグループに、作画者識別子として、追加する。なお、この作画者識別子「ｕ００３」は、図１８の「ＩＤ＝１」の作画者識別子である。
【０２９１】
次に、「太田一郎」は、図２６の画面の２６０１のアンカーを押下することにより、原作をダウンロードしてチェックする。そして、「太田一郎」は、ネームを作成し、自分の第二装置１３に作成したネームと、グループ識別子「Ｇ００１」とを入力する。なお、「太田一郎」が入力するグループ識別子は、その代わりに原作識別子「ｏｒ００１」でも良い。つまり、「太田一郎」は、対応する原作が特定できる情報を入力すれば良い。
【０２９２】
次に、第二装置１３の第二受付部１３２は、当該ネームと当該グループ識別子とを受け付ける。次に、第二処理部１３３は、ネームの受け付けに対応して、格納されているネーム作成者識別子「ｕ００２」を取得し、当該ネーム作成者識別子と受け付けられたネームとグループ識別子とを有するネーム情報を構成する。なお、ネーム作成者識別子は、ユーザ識別子であり、第二格納部１３１に格納されている、とする。次に、第二送信部１３４は、構成されたネーム情報を漫画作成支援装置１１に送信する。
【０２９３】
次に、漫画作成支援装置１１のネーム受信部１１２３は、ネーム情報を受信する。そして、ネーム蓄積部１１３４は、ネーム情報の受信に応じて、ユニークなネーム識別子（ここでは「ｎ００１」とする。）を生成する。そして、ネーム蓄積部１１３４は、当該ネーム識別子「ｎ００１」と、ネーム作成者識別子「ｕ００２」とネーム等を有するネーム情報を構成し、当該ネーム情報をネーム情報管理表（図１６）に蓄積する。なお、蓄積されたネーム情報は、図１６の「ＩＤ＝１」のレコードである。また、「ＩＤ＝１」のレコードの作画「ｎｆｉｌｅ１．ｉｍｇ」はネームのファイル名であり、当該ファイルもネーム格納手段１１１３２に蓄積されている、とする。
【０２９４】
次に、処理部１１３は、受信されたネーム情報はグループ識別子「Ｇ００１」を有するので、受信されたネーム情報に対応するグループが存在すると判断する。そして、送信部１１４は、ネーム情報が有するグループ識別子「Ｇ００１」と対になる他の寄与者の識別子である、原作者の原作者識別子「ｕ００１」および作画者識別子「ｕ００３」を、グループ情報管理表（図１８）から取得する。
【０２９５】
次に、送信部１１４は、原作者識別子「ｕ００１」と対になる通知先情報「ｙａ＠ａ．ｃｏｍ」をユーザ情報管理表（図１２）から取得する。また、送信部１１４は、作画者識別子「ｕ００３」と対になる通知先情報「ａｊ＠ｃ．ｃｏｍ」をユーザ情報管理表から取得する。
【０２９６】
そして、送信部１１４は、通知先情報「ｙａ＠ａ．ｃｏｍ」および「ａｊ＠ｃ．ｃｏｍ」で識別される通知先に、グループ識別子「Ｇ００１」に対応するネーム情報がアップロードされた旨を通知する。なお、処理部１１３は、「山田花子」のページの領域および「青木次郎」のページの領域に、当該ネーム情報がアップロードされた旨を書き込んでも良い。また、ページの領域は、各ユーザがアクセスできるウェブページの領域である。
【０２９７】
次に、第一装置１２の第一受信部１２５および第三装置１４の第三受信部１４５は、グループ識別子「Ｇ００１」に対応するネーム情報（ネーム識別子「ｎ００１」で識別される情報）がアップロードされた旨を受信する。そして、第一装置１２の第一出力部１２６および第三装置１４の第三出力部１４６は、当該ネーム情報がアップロードされた旨を出力する。なお、この出力は、「山田花子」および「青木次郎」の指示に応じて出力されても良いことは言うまでもない。
【０２９８】
そして、「山田花子」は、第一装置１２に対して、グループ識別子「Ｇ００１」に対応するネームのダウンロードの指示を入力する。そして、第一受付部１２２は当該ダウンロードの指示を受け付け、第一送信部１２４は当該ダウンロードの指示を漫画作成支援装置１１に送信する。なお、当該ダウンロードの指示は、ネーム識別子「ｎ００１」を含む。
【０２９９】
次に、漫画作成支援装置１１は、当該ダウンロードの指示を受信し、当該ダウンロードの指示に対応するネームを、「山田花子」の第一装置１２に送信する。
【０３００】
次に、「山田花子」の第一装置１２は、ネーム識別子「ｎ００１」で識別されるネームを受信し、出力する。
【０３０１】
次に、「山田花子」は、ネームを見て、ネーム識別子「ｎ００１」で識別されるネームに対する承認情報を第一装置１２に入力した、とする。次に、第一装置１２の第一受付部１２２は、当該承認情報を受け付ける。次に、第一処理部１２３は、受け付けられた承認情報等に、原案者識別子「ｕ００１」を付加し、送信する承認情報等を構成する。次に、第一送信部１２４は、構成した承認情報を漫画作成支援装置１１に送信する。
【０３０２】
次に、漫画作成支援装置１１の受信部１１２は、ネームに対する承認情報を第一装置１２から受信する。
【０３０３】
次に、処理部１１３は、受信された承認情報に対応するネームに対して、原案者識別子「ｕ００１」で識別される原案者から承認された旨を示す情報を、グループ情報管理表（図１８）に蓄積する。ここでは、処理部１１３は、グループ情報管理表の「ＩＤ＝１」のレコードの属性「ネーム承認情報」に、承認した原案者の原案者識別子「ｕ００１」を書き込むとする。
【０３０４】
次に、処理部１１３は、当該ネームに対する１以上の承認の旨の情報が、予め決められた条件に合致するか否かを判断する。なお、ここでは、予め決められた条件は、グループの他の寄与者全員（ここでは、原案者と作画者）からの承認があったことである。
【０３０５】
そして、処理部１１３は、当該ネームに対する１以上の承認の旨の情報が、予め決められた条件に合致しないと判断する。この段階では、原案者のみの承認があり、作画者からの承認情報を漫画作成支援装置１１が受信していないからである。
【０３０６】
また、「青木次郎」は、第三装置１４に対して、グループ識別子「Ｇ００１」に対応するネームのダウンロードの指示を入力する。そして、第三受付部１４２は当該ダウンロードの指示を受け付け、第三送信部１４４は当該ダウンロードの指示を漫画作成支援装置１１に送信する。なお、当該ダウンロードの指示は、ネーム識別子「ｎ００１」を含む。
【０３０７】
次に、漫画作成支援装置１１は、当該ダウンロードの指示を受信し、当該ダウンロードの指示に対応するネームを、「青木次郎」の第三装置１４に送信する。
【０３０８】
次に、「青木次郎」の第三装置１４は、ネーム識別子「ｎ００１」で識別されるネームを受信し、出力する。
【０３０９】
次に、「青木次郎」は、ネームを見て、ネーム識別子「ｎ００１」で識別されるネームに対する承認情報を第三装置１４に入力した、とする。次に、第三装置１４の第三受付部１４２は、当該承認情報を受け付ける。次に、第三処理部１４３は、受け付けられた承認情報等に、作画者識別子「ｕ００３」を付加し、送信する承認情報等を構成する。次に、第三送信部１４４は、構成した承認情報を漫画作成支援装置１１に送信する。
【０３１０】
次に、漫画作成支援装置１１の受信部１１２は、ネームに対する承認情報を第三装置１４から受信する。
【０３１１】
次に、処理部１１３は、受信された承認情報に対応するネームに対して、作画者識別子「ｕ００３」で識別される作画者から承認された旨を示す情報を、グループ情報管理表（図１８）に蓄積する。ここでは、処理部１１３は、グループ情報管理表の「ＩＤ＝１」のレコードの属性「ネーム承認情報」に、承認した原案者の原案者識別子「ｕ００３」を書き込むとする。
【０３１２】
次に、処理部１１３は、当該ネームに対する１以上の承認の旨の情報が、予め決められた条件に合致するか否かを判断する。
【０３１３】
そして、処理部１１３は、当該ネームに対する１以上の承認の旨の情報が、予め決められた条件に合致すると判断する。この段階で、原案者と作画者とからの承認情報を漫画作成支援装置１１が既に受信しているからである。
【０３１４】
次に、処理部１１３は、ネームの完成のための処理を行う。ここでは、例えば、作画者の第三装置１４から作画を漫画作成支援装置１１にアップロードする画面を第三装置１４に提供でき得るように、作画者向けの画面に作画をアップロードするボタンまたは画面等のユーザインターフェイスを、第三装置１４に送信できるようにする。
【０３１５】
また、送信部１１４は、グループ識別子「Ｇ００１」に対応する寄与者識別子「ｕ００１」「ｕ００２」「ｕ００３」を取得する。次に、送信部１１４は、各寄与者識別子に対応する通知先情報「ｙｈ＠ａ．ｃｏｍ」「ｏｉ＠ｂ．ｊｐ」「ａｊ＠ｃ．ｃｏｍ」をユーザ情報管理表（図１２）から取得する。そして、ネームが完成した旨を、通知先情報「ｙｈ＠ａ．ｃｏｍ」「ｏｉ＠ｂ．ｊｐ」「ａｊ＠ｃ．ｃｏｍ」で識別される通知先に通知する。
【０３１６】
次に、作画者である「青木次郎」は、第三装置１４にダウンロードした原作とネームをチェックする。そして、「青木次郎」は、作画を作成する。次に、「青木次郎」は、第三装置１４に、作成した作画を有する作画情報を入力する。なお、作画情報は、グループ識別子「Ｇ００１」を有する、とする。
【０３１７】
次に、第三装置１４の第三受付部１４２は作画情報を受け付ける。次に、第三処理部１４３は、受け付けた作画情報に作画者識別子「ｕ００３」を付加し、送信する作画情報を構成する。そして、第三送信部１４４は、構成された作画情報を漫画作成支援装置１１に送信する。
【０３１８】
次に、漫画作成支援装置１１の作画受信部１１２４は、作画情報を受信する。そして、作画蓄積部１１３５は、作画情報の受信に応じて、ユニークな作画識別子（ここでは「ｓ００１」）を生成し、当該作画識別子と、受信された作画情報が有する作画者識別子「ｕ００３」と作画等を有する作画情報を構成し、当該作画情報を作画格納部１１１４に蓄積する。なお、かかる作画情報は、図１７の作画情報管理表の「ＩＤ＝１」のレコードである。また、「ＩＤ＝１」のレコードの作画「ｓｆｉｌｅ１．ｉｍｇ」は作画のファイル名であり、当該ファイルも作画格納部１１１４に蓄積されている、とする。
【０３１９】
次に、処理部１１３は、受信された作画情報はグループ識別子「Ｇ００１」を有するので、受信された作画情報に対応するグループが存在すると判断する。そして、送信部１１４は、作画情報が有するグループ識別子「Ｇ００１」と対になる他の寄与者の識別子である、原作者の原作者識別子「ｕ００１」およびネーム作成者識別子「ｕ００２」を、グループ情報管理表（図１８）から取得する。
【０３２０】
次に、送信部１１４は、原作者識別子「ｕ００１」と対になる通知先情報「ｙａ＠ａ．ｃｏｍ」をユーザ情報管理表（図１２）から取得する。また、送信部１１４は、作画者識別子「ｕ００２」と対になる通知先情報「ｏｉ＠ｂ．ｊｐ」をユーザ情報管理表から取得する。
【０３２１】
そして、送信部１１４は、通知先情報「ｙａ＠ａ．ｃｏｍ」および「ｏｉ＠ｂ．ｊｐ」で識別される通知先に、グループ識別子「Ｇ００１」に対応する作画情報がアップロードされた旨を通知する。なお、処理部１１３は、「山田花子」のページの領域および「太田一郎」のページの領域に、当該作画情報がアップロードされた旨を書き込んでも良い。
【０３２２】
次に、第一装置１２の第一受信部１２５および第二装置１３の第二受信部１３５は、グループ識別子「Ｇ００１」に対応する作画情報（作画識別子「ｓ００１」で識別される情報）がアップロードされた旨を受信する。そして、第一装置１２の第一出力部１２６および第二装置１３の第二出力部１３６は、当該作画情報がアップロードされた旨を出力する。なお、この出力は、「山田花子」および「太田一郎」の指示に応じて出力されても良いことは言うまでもない。
【０３２３】
そして、「山田花子」は、第一装置１２に対して、グループ識別子「Ｇ００１」に対応する作画のダウンロードの指示を入力する。そして、第一受付部１２２は当該ダウンロードの指示を受け付け、第一送信部１２４は当該ダウンロードの指示を漫画作成支援装置１１に送信する。なお、当該ダウンロードの指示は、作画識別子「ｓ００１」を含む。
【０３２４】
次に、漫画作成支援装置１１は、当該ダウンロードの指示を受信し、当該ダウンロードの指示に対応する作画を、「山田花子」の第一装置１２に送信する。
【０３２５】
次に、「山田花子」の第一装置１２は、作画識別子「ｓ００１」で識別される作画を受信し、出力する。
【０３２６】
次に、「山田花子」は、作画を見て、コメント「もう少し、シャープな感じが出ないでしょうか？」を第一装置１２に入力した、とする。次に、第一受付部１２２は、当該コメントを受け付ける。そして、第一処理部１２３は、コメントの受け付けに対応して、送信するコメント情報を構成する。なお、第一処理部１２３は、グループ識別子「Ｇ００１」、原作者識別子「ｕ００１」、コメント対象の作画の作画識別子「ｓ００１」を取得し、当該グループ識別子「Ｇ００１」、原作者識別子「ｕ００１」、コメント対象の作画の作画識別子「ｓ００１」と、コメント「もう少し、シャープな感じが出ないでしょうか？」とを有するコメント情報を構成する。次に、第一送信部１２４は、構成したコメント情報を漫画作成支援装置１１に送信する。
【０３２７】
次に、漫画作成支援装置１１のコメント情報受信部１１２７は、コメント情報を受信する。そして、コメント情報蓄積部１１３７は、受信されたコメント情報をコメント情報管理表（図１９）に蓄積する。なお、蓄積されたコメント情報は、図１９の「ＩＤ＝１」のレコードである。
【０３２８】
次に、作画者「青木次郎」は、第三装置１４にコメント閲覧指示を入力する。すると、第三装置１４の第三受付部１４２はコメント閲覧指示を受け付ける。なお、このコメント閲覧指示は、グループ識別子「Ｇ００１」を含む。次に、第三処理部１４３は、作画者識別子「ｕ００３」を第三格納部１４１から取得し、グループ識別子「Ｇ００１」と作画者識別子「ｕ００３」とを含むコメント閲覧指示を構成する。そして、第三送信部１４４は、コメント閲覧指示を漫画作成支援装置１１に送信する。
【０３２９】
次に、漫画作成支援装置１１のコメント閲覧指示受信部１１２８は、コメント閲覧指示を受信する。そして、処理部１１３は、コメント閲覧指示が有するグループ識別子「Ｇ００１」と対になるコメント等をコメント情報管理表（図１９）から取得する。次に、送信部１１４は、取得されたコメント等を第三装置１４に送信する。なお、漫画作成支援装置１１は、コメント閲覧指示を送信した者と同じグループに属する者のコメントのみを、コメント閲覧指示を送信した者の装置に送信する。この機能により、グループ間のコミュニケーションを図りながら、漫画の作成を進めることができる。
【０３３０】
次に、第三装置１４の第三受信部１４５はコメント等を受信し、第三出力部１４６はコメント等を出力する。
【０３３１】
そして、当該コメント等を見た作画者「青木次郎」は、コメントに従って、作画を修正し、修正した作画を漫画作成支援装置１１にアップロードする。
【０３３２】
そして、「山田花子」は、更新された作画を見て、良いと思った。とする。そして、「山田花子」は、作画識別子「ｓ００１」で識別される作画に対する承認情報を第一装置１２に入力した、とする。次に、第一装置１２の第一受付部１２２は、当該承認情報を受け付ける。次に、第一処理部１２３は、受け付けられた承認情報等に、原案者識別子「ｕ００１」を付加し、送信する承認情報等を構成する。次に、第一送信部１２４は、構成した承認情報を漫画作成支援装置１１に送信する。
【０３３３】
次に、漫画作成支援装置１１の受信部１１２は、作画に対する承認情報を第一装置１２から受信する。
【０３３４】
次に、処理部１１３は、受信された承認情報に対応する作画に対して、原案者識別子「ｕ００１」で識別される原案者から承認された旨を示す情報を、グループ情報管理表（図１８）に蓄積する。ここでは、処理部１１３は、グループ情報管理表の「ＩＤ＝１」のレコードの属性「作画承認情報」に、承認した原案者の原案者識別子「ｕ００１」を書き込むとする。
【０３３５】
次に、処理部１１３は、当該作画に対する１以上の承認の旨の情報が、予め決められた条件に合致するか否かを判断する。なお、ここでは、予め決められた条件は、グループの他の寄与者全員（ここでは、原案者と作画者）からの承認があったことである。
【０３３６】
そして、処理部１１３は、当該作画に対する１以上の承認の旨の情報が、予め決められた条件に合致しないと判断する。この段階では、原案者のみの承認があり、ネーム作成者からの承認情報を漫画作成支援装置１１が受信していないからである。
【０３３７】
また、「太田一郎」は、第二装置１３に対して、グループ識別子「Ｇ００１」に対応する作画のダウンロードの指示を入力する。そして、第二受付部１３２は当該ダウンロードの指示を受け付け、第二送信部１３４は当該ダウンロードの指示を漫画作成支援装置１１に送信する。なお、当該ダウンロードの指示は、作画識別子「ｓ００１」を含む。
【０３３８】
次に、漫画作成支援装置１１は、当該ダウンロードの指示を受信し、当該ダウンロードの指示に対応するネームを、「太田一郎」の第二装置１３に送信する。
【０３３９】
次に、「太田一郎」の第二装置１３は、作画識別子「ｓ００１」で識別される作画を受信し、出力する。
【０３４０】
次に、「太田一郎」は、作画を見て、作画識別子「ｓ００１」で識別される作画に対する承認情報を第二装置１３に入力した、とする。次に、第二装置１３の第二受付部１３２は、当該承認情報を受け付ける。次に、第二処理部１３３は、受け付けられた承認情報等に、ネーム作成者識別子「ｕ００２」を付加し、送信する承認情報等を構成する。次に、第二送信部１３４は、構成した承認情報を漫画作成支援装置１１に送信する。
【０３４１】
次に、漫画作成支援装置１１の受信部１１２は、作画に対する承認情報を第二装置１３から受信する。
【０３４２】
次に、処理部１１３は、受信された承認情報に対応する作画に対して、ネーム作成者識別子「ｕ００２」で識別されるネーム作成者から承認された旨を示す情報を、グループ情報管理表（図１８）に蓄積する。ここでは、処理部１１３は、グループ情報管理表の「ＩＤ＝１」のレコードの属性「作画承認情報」に、承認した原案者の原案者識別子「ｕ００２」を書き込むとする。
【０３４３】
次に、処理部１１３は、当該作画に対する１以上の承認の旨の情報が、予め決められた条件に合致するか否かを判断する。
【０３４４】
そして、処理部１１３は、当該作画に対する１以上の承認の旨の情報が、予め決められた条件に合致すると判断する。この段階で、原案者とネーム作成者とからの承認情報を漫画作成支援装置１１が既に受信しているからである。
【０３４５】
次に、処理部１１３は、作画の完成のための処理を行う。ここでは、例えば、漫画蓄積部１１３６は、承認情報に対応する作画情報が有する作画を用いて完成された漫画を有する漫画情報を以下のように構成する。つまり、漫画蓄積部１１３６は、ユニークな漫画識別子「ｍ００１」を生成し、当該漫画識別子「ｍ００１」、承認情報に対応するグループ識別子「Ｇ００１」、原作識別子「ｏｒ００１」、ネーム識別子「ｎ００１」、作画識別子「ｓ００１」を取得し、かつ作画のファイル「ｍｇ１．ｉｍｇ」を生成し、当該ファイルに作画を書き込む。そして、漫画蓄積部１１３６は、漫画情報を構成する。
【０３４６】
次に、漫画蓄積部１１３６は、構成した漫画情報を漫画情報管理表（図１３）に蓄積する。なお、ここでの作画は完成された漫画である、とする。また、蓄積された漫画情報は、図１３の「ＩＤ＝１」のレコードである。
【０３４７】
次に、送信部１１４は、承認情報に対応するグループの全員に、漫画が完成された旨の通知を行う。つまり、送信部１１４は、承認情報が有するグループ識別子「Ｇ００１」を取得し、当該グループ識別子と対になる１以上の各寄与者の識別子「ｕ００１」「ｕ００２」「ｕ００３」と対になる通知先情報「ｙｈ＠ａ．ｃｏｍ」「ｏｉ＠ｂ．ｊｐ」「ａｊ＠ｃ．ｃｏｍ」をユーザ情報管理表（図１２）から取得し、当該通知先情報が示す通知先に、漫画が完成された旨の通知を行う。なお、ここでの通知は、各寄与者に対するページの領域に書き込む処理でも良い。
【０３４８】
そして、第一装置１２、第二装置１３、および第三装置１４は、漫画が完成された旨の通知を受信し、出力する。なお、かかる受信および出力は、各装置のユーザの指示に基づいて行われても良い。
【０３４９】
なお、上記の具体例において、原作者が特定のネーム作成者にネーム作成を依頼し、ネーム作成者が承諾したことにより、最終的なネーム作成者が決定した。また、原作者が特定の作画者に作画を依頼し、作画者が承諾したことにより、最終的な作画が決定した。また、上記の具体例において、各作品の作成者がアップロードした作品に対して、他の寄与者が承認することにより作品が完成された。
【０３５０】
次に、一般ユーザＡは、端末装置１６に、著作者情報出力指示と漫画の取得指示とを入力した、とする。すると、端末装置１６の端末受付部１６２は、著作者情報出力指示と漫画の取得指示とを受け付ける。次に、端末送信部１６４は、著作者情報出力指示と漫画の取得指示とを漫画作成支援装置１１に送信する。なお、著作者情報出力指示と漫画の取得指示とは、漫画識別子「ｍ００１」またはグループ識別子「Ｇ００１」を有する、とする。
【０３５１】
次に、漫画作成支援装置１１の受信部１１２は、著作者情報出力指示と取得指示とを受信する。次に、著作者情報取得部１１３８は、著作者情報出力指示に含まれるグループ識別子「Ｇ００１」に対応する寄与者（著作者）の原作識別子「ｏｒ００１」、ネーム識別子「ｎ００１」、作画識別子「ｓ００１」を漫画情報管理表から取得する。また、著作者情報取得部１１３８は、各識別子に対応する寄与者の氏名「原作者：山田花子」「ネーム作成者：太田一郎」「作画者：青木次郎」を、図１２、図１５〜図１８等を用いて取得する。
【０３５２】
次に、処理部１１３は、取得指示が有するグループ識別子「Ｇ００１」と対になる漫画（ファイル「ｍｇ１．ｉｍｇ」）を漫画格納部１１１１から取得する。
【０３５３】
次に、送信部１１４は、当該漫画と、著作者情報「原作者：山田花子」「ネーム作成者：太田一郎」「作画者：青木次郎」を端末装置１６に送信する。
【０３５４】
次に、端末装置１６の端末受信部１６５は、漫画と著作者情報とを受信し、端末出力部１６６は漫画と著作者情報とを出力する。
【０３５５】
以上、本実施の形態によれば、各自の得意な作業（原作の作成、ネーム作成、作画等のいずれかの作業）を生かして、漫画の作成が行えるグループウェア環境を提供できる。
【０３５６】
また、本実施の形態において、漫画完成までの共同作業のプロトコルを実現するグループウェア環境を提供できる。
【０３５７】
また、本実施の形態において、グループのメンバーが作品に対して承認しながら作業を進めるので、各メンバーが納得のいく漫画が作成できる。
【０３５８】
また、本実施の形態において、各自の得意な作業を生かして、作成された漫画を第三者に提供できるシステム環境を提供できる。
【０３５９】
なお、本実施の形態の具体例によれば、原作者は一人のネーム作成者、および一人の作画者にグループへの参画を打診した。しかし、原作者は２以上のネーム作成者、および２以上の作画者にグループへの参画を打診しても良い。かかる場合、作画受信部１１２４は、一の原案に対して、２以上の各第三装置１４から作画情報を受信しても良い。また、ネーム受信部１１２３は、一の原案に対して、２以上の各第二装置１３からネーム情報を受信しても良い。また、かかる場合、同一の原作に対して複数のグループが構築されても良い。また、かかる場合、同一の原作・同一のネームに対して複数のグループが構築されても良い。つまり、グループ情報生成部１１３１は、一の原作に対応する原作者と一のネームのネーム作成者と一の作画の作画者のグループに関するグループ情報、または一の原案の原案者と一の作画の作画者のグループに関するグループ情報を生成し、グループ情報格納部１１１５に蓄積し、かつ、２以上のグループに対応する２以上の原作が同一、または２以上のグループに対応する２以上の原作および２以上のネームが同一であっても良い。
【０３６０】
また、本実施の形態において、原作者は１または２以上の翻訳者にグループへの参画を打診しても良い。かかる場合、例えば、翻訳者は図示しない第五装置を用いて、承認情報等を入力しても良い。かかる場合、第五装置は、第二装置１３、第三装置１４、または第四装置１５と同様の動作を行う。  また、本実施の形態において、漫画作成支援装置１１は、キャラクタを第四装置１５から受信し、当該キャラクタを指定した原案または作画を、第一装置１２または第三装置１４から受信しても良い。
【０３６１】
また、本実施の形態において、漫画を完成させるための処理の流れとして、第一装置１２から原案である原作を受信する第一ステップ、第二装置１３からネームを受信する第二ステップ、および第三装置１４から作画を受信する第三ステップの３工程を有する第一処理の場合、または第一装置１２から原案である原作とネームとを受信する第一ステップ、および第三装置１４から作画を受信する第三ステップの２工程を有する第二処理の場合があり得るとする。また、承認情報受信部１１２６が、第一処理の場合および第二処理の場合において、一のステップに進むために当該一のステップより前の工程のステップに対応するすべての装置から、一のステップに対応する作品または作品の作者に対する承認を示す承認情報を受信した場合に、一のステップに進み得ることは好適である。
【０３６２】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における漫画作成支援装置１１を実現するソフトウェアは、以下のようなプログラムである。つまり、このプログラムは、コンピュータがアクセス可能な記録媒体は、漫画を有する１以上の漫画情報を格納し得る漫画格納部と、漫画の原案を有する１以上の原案情報を格納し得る原案格納部とを具備し、コンピュータを、１以上の第一装置から、漫画の原案を有する１以上の原案情報を受信する原案受信部と、前記原案受信部が受信した原案情報を前記原案格納部に蓄積する原案蓄積部と、第一装置から、作画の担当の依頼であり、作画の担当候補を識別する作画者識別子を有する依頼である作画依頼を受信する作画依頼受信部と、前記作画依頼に対応して、第三装置から、作画の担当を承認する旨を示す承認情報を受信する承認情報受信部と、前記承認情報受信部が受信した承認情報に対応する第三装置から、原案を特定する情報と、当該原案に対応する作画とを有する作画情報を受信する作画受信部と、前記作画受信部が受信した作画情報が有する作画を用いて完成された漫画を有する漫画情報を前記漫画格納部に蓄積する漫画蓄積部として機能させるためのプログラムである。
【０３６３】
また、上記プログラムにおいて、前記作画依頼受信部が受信した作画依頼が有する作画者識別子に対応する１以上の第三装置に、作画の依頼を受けるか否かの回答を求める依頼であり、原案を特定する情報を有する依頼である作画回答依頼を送信する作画回答依頼送信部として、コンピュータをさらに機能させ、前記承認情報受信部は、前記作画回答依頼の送信に応じて、前記１以上の第三装置のうちのいずれか１以上の第三装置から、作画の担当を承認する旨を示す承認情報を受信するものとして、コンピュータを機能させることは好適である。
【０３６４】
また、上記プログラムにおいて、漫画を識別する漫画識別子を有する指示であり、漫画を取得する指示である取得指示を端末装置から受信する取得指示受信部と、前記取得指示が有する漫画識別子に対応する漫画を前記漫画格納部から取得し、当該漫画を前記端末装置に送信する漫画送信部として、コンピュータをさらに機能させることは好適である。
【０３６５】
また、上記プログラムにおいて、前記漫画の原案は原作またはネームであり、前記漫画の原案が原作の場合、１以上の各第二装置から、原案を特定する情報と当該原案を特定する情報で特定される原作に対するネームとを有する１以上のネーム情報を受信するネーム受信部と、前記ネーム受信部が受信した１以上のネーム情報を前記原案格納部に蓄積するネーム蓄積部として、コンピュータをさらに機能させることは好適である。
【０３６６】
また、上記プログラムにおいて、漫画を完成させるための処理の流れとして、前記第一装置から原案である原作を受信する第一ステップ、前記第二装置からネームを受信する第二ステップ、および前記第三装置から作画を受信する第三ステップの３工程を有する第一処理の場合、または前記第一装置から原案である原作とネームとを受信する第一ステップ、および前記第三装置から作画を受信する第三ステップの２工程を有する第二処理の場合があり得、前記承認情報受信部が、前記第一処理の場合および前記第二処理の場合において、一のステップに進むために当該一のステップより前の工程のステップに対応するすべての装置から、前記一のステップに対応する作品または作品の作者に対する承認を示す承認情報を受信した場合に、前記一のステップに進み得るものとして、コンピュータを機能させることは好適である。
【０３６７】
また、上記プログラムにおいて、前記作画受信部は、一の原案に対して、２以上の各第三装置から作画情報を受信するものとして、コンピュータを機能させることは好適である。
【０３６８】
また、上記プログラムにおいて、前記原案は原作であり、前記ネーム受信部は、一の原案に対して、２以上の各第二装置からネーム情報を受信し、
前記作画受信部は、一のネームに対して、２以上の各第三装置から作画情報を受信するものとして、コンピュータを機能させることは好適である。
【０３６９】
また、上記プログラムにおいて、漫画の複数の作成寄与者からなるグループに関する情報であり、グループを識別するグループ識別子と漫画の作成寄与者を識別する２以上の寄与者識別子とを有する１以上のグループ情報を格納し得るグループ情報格納部と、寄与者識別子で識別できる寄与者の装置である第一装置または第二装置または第三装置から送信されたコメントと寄与者識別子とを含む１以上のコメント情報をグループ識別子に対応付けて格納し得るコメント情報格納部と、原作者とネーム作成者と作画者のグループに関するグループ情報、または原案者と作画者のグループに関するグループ情報を生成し、前記グループ情報格納部に蓄積するグループ情報生成部と、寄与者の装置から、寄与者識別子とコメントとを含むコメント情報と、グループ識別子とを受信するコメント情報受信部と、前記コメント情報受信部が受信したコメント情報を、前記コメント情報受信部が受信したグループ識別子に対応付けて、前記コメント情報格納部に蓄積するコメント情報蓄積部と、寄与者の装置から、コメントを閲覧する指示であり、グループ識別子を有するコメント閲覧指示を受信するコメント閲覧指示受信部と、前記コメント閲覧指示の受信に応じて、前記コメント閲覧指示が有するグループ識別子に対応する１以上のコメントを前記コメント情報格納部から取得し、当該１以上のコメントを前記寄与者の装置に送信するコメント送信部として、コンピュータをさらに機能させることは好適である。
【０３７０】
また、上記プログラムにおいて、前記グループ情報生成部は、一の原作に対応する原作者と一のネームのネーム作成者と一の作画の作画者のグループに関するグループ情報、または一の原案の原案者と一の作画の作画者のグループに関するグループ情報を生成し、前記グループ情報格納部に蓄積し、かつ、２以上のグループに対応する２以上の原作が同一、または２以上のグループに対応する２以上の原作および２以上のネームが同一であるものとして、コンピュータを機能させることは好適である。
【０３７１】
また、上記プログラムにおいて、キャラクタとキャラクタの作者を識別するキャラクタ作者識別子とキャラクタを識別するキャラクタ識別子とを有する１以上のキャラクタ情報を格納し得るキャラクタ格納部と、第四装置から、キャラクタ作者識別子とキャラクタとを受信するキャラクタ受信部と、前記キャラクタ受信部が受信したキャラクタ作者識別子とキャラクタと、キャラクタ識別子とを有するキャラクタ情報を前記キャラクタ格納部に蓄積するキャラクタ蓄積部としてさらにコンピュータを機能させ、前記原案受信部はキャラクタ識別子を有する原案情報を受信する、または前記作画受信部はキャラクタ識別子を有する作画情報を受信するものとして、コンピュータを機能させることは好適である。
【０３７２】
また、上記プログラムにおいて、一の漫画と対になる寄与者識別子に対応する原案者、作画者、キャラクタ作者のうちの１以上の寄与者に関する情報である１以上の著作者情報を取得する著作者情報取得部と、前記１以上の著作者情報を出力する著作者情報出力部として、コンピュータを機能させることは好適である。
【０３７３】
また、上記プログラムにおいて、前記１以上の著作者情報を用いて、１以上の各寄与者の収益を算出する収益算出部と、前記１以上の各寄与者の収益を出力する収益出力部として、コンピュータをさらに機能させることは好適である。
【０３７４】
また、上記プログラムにおいて、漫画の作画を有する１以上の作画情報を格納し得る作画格納部と、前記作画受信部が受信した作画情報を前記作画格納部に蓄積する作画蓄積部として、さらにコンピュータを機能させ、前記承認情報受信部は、前記作画格納部の作画情報に対する承認情報を受信し、前記漫画蓄積部は、前記承認情報に対する作画情報が有する作画を有する漫画情報を前記漫画格納部に蓄積するものとして、コンピュータを機能させることは好適である。
【０３７５】
（実施の形態２）
本実施の形態において、複数の立場の者が共同して、漫画を作成する環境を提供する漫画作成支援システムについて説明する。
【０３７６】
本実施の形態において、漫画作成支援システムは、共同作業者を選択する作業者選択のアプローチを採る。特に、本実施の形態において、漫画作成支援システムは、ネーム作成者や作画者等が原案者に参加のオファーを送信する作画者等オファー方式を採る。つまり、本実施の形態において、漫画作成支援システムを構成する第二装置および第三装置等から原案を指定した申し出を送信し、当該申し出が第一装置に送信され、第一装置からの承認を得た場合に、当該第二装置からネームを受け付けられ、かつ当該第三装置から作画を受け付けられる。
【０３７７】
なお、本実施の形態において、原案者がオファーを送信する相手は、作画者だけではなく、ネーム作成者、キャラクタ作成者等でも良い。
【０３７８】
また、本実施の形態において、一般ユーザが、完成した漫画を閲覧するための機能も有する漫画作成支援システム１について説明する。
【０３７９】
また、本実施の形態において、グループ内のすべての作業者の装置またはすべての前工程の装置から、作業者の参加に対する承認、または作品に対する承認が必要な漫画作成支援システムについて説明する。
【０３８０】
また、本実施の形態において、一の原案に対して、２以上の作画が受け付け可能である漫画作成支援システムについて説明する。また、本実施の形態において、一の原作に対して２以上のネームが受け付け可能であったり、一のネームに対して２以上の作画が受け付け可能である漫画作成支援システムについて説明する。
【０３８１】
また、本実施の形態において、共同作業者のグループを生成し、グループ間でコミュニケーション可能な漫画作成支援システムについて説明する。
【０３８２】
また、本実施の形態において、キャラクタを第四装置から受け付け、キャラクタを指定した原案または作画を受け付ける漫画作成支援システムについて説明する。
【０３８３】
また、本実施の形態において、著作権管理を施した漫画作成支援システムについて説明する。
【０３８４】
本実施の形態における漫画作成支援システム２の概念図は、図１と同様である。漫画作成支援システム２は、漫画作成支援装置２１、１または２以上の第一装置３２、１または２以上の第二装置１３、１または２以上の第三装置３４、１または２以上の第四装置１５、１または２以上の端末装置１６を備える。なお、漫画作成支援システム２は、１または２以上の第二装置１３を具備しなくても良い。また、漫画作成支援システム２は、１または２以上の第四装置１５を具備しなくても良い。漫画作成支援装置２１は、通常、いわゆるサーバ装置である。また、漫画作成支援装置２１は、例えば、複数人で漫画を作成するためのＷｅｂページを提供する装置である。
【０３８５】
また、第一装置３２は原案を送付する装置である。また、第二装置１３はネームを送付する装置である。また、第三装置３４は作画を送付する装置である。また、第四装置１５はキャラクタを送付する装置である。さらに、端末装置１６は漫画をダウンロードする装置である。
【０３８６】
また、第一装置３２、第二装置３３、第三装置３４、第四装置３５、および端末装置１６の種類は問わない。第一装置３２、第二装置３３、第三装置３４、第四装置３５、および端末装置１６は、例えば、いわゆるパーソナルコンピュータ、携帯端末、スマートフォン、タブレット端末、携帯電話等である。
【０３８７】
図２７は、本実施の形態における漫画作成支援システム２のブロック図である。また、図２８は、漫画作成支援システム２を構成する漫画作成支援装置２１のブロック図である。
【０３８８】
漫画作成支援装置２１は、格納部１１１、受信部２１２、処理部１１３、送信部２１４を備える。
【０３８９】
受信部２１２は、グループ情報受信部１１２０、キャラクタ受信部１１２１、原案受信部１１２２、ネーム受信部１１２３、作画受信部２１２４、作画担当申出受信部２１２１、承認情報受信部２１２６、コメント情報受信部１１２７、コメント閲覧指示受信部１１２８、取得指示受信部１１２９を備える。
【０３９０】
送信部２１４は、作画担当申出送信部２１４１、コメント送信部１１４２、漫画送信部１１４３、著作者情報出力部１１４４、収益出力部１１４５を備える。
【０３９１】
第一装置３２は、第一格納部１２１、第一受付部３２２、第一処理部１２３、第一送信部１２４、第一受信部３２５、第一出力部１２６を備える。
【０３９２】
第二装置３３は、第二格納部１３１、第二受付部３３２、第二処理部１３３、第二送信部１３４、第二受信部１３５、第二出力部１３６を備える。
【０３９３】
第三装置３４は、第三格納部１４１、第三受付部３４２、第三処理部１４３、第三送信部１４４、第三受信部１４５、第三出力部１４６を備える。
【０３９４】
第四装置３５は、第四格納部１５１、第四受付部３５２、第四処理部１５３、第四送信部１５４、第四受信部１５５、第四出力部１５６を備える。
【０３９５】
端末装置１６は、端末格納部１６１、端末受付部１６２、端末処理部１６３、端末送信部１６４、端末受信部１６５、端末出力部１６６を備える。
【０３９６】
漫画作成支援装置２１を構成する受信部２１２は、第一装置３２または第二装置３３または第三装置３４または第四装置３５または端末装置１６から、情報や指示等を受信する。情報や指示等とは、例えば、グループ情報、キャラクタ情報、原案情報、ネーム情報、作画情報、キャラクタ担当申出、ネーム担当申出、作画担当申出、承認情報、コメント情報、取得指示、著作者情報出力指示、収益出力指示、コメント閲覧指示等である。なお、キャラクタ担当申出は、キャラクタの作成を担当する旨の申し出である。ネーム担当申出は、ネームの作成を担当する旨の申し出である。作画担当申出は、作画を担当する旨の申し出である。キャラクタ担当申出、ネーム担当申出、作画担当申出は、原作を識別する情報を有する。原作を識別する情報とは、例えば、原作識別子、グループ識別子等である。
【０３９７】
また、受信部２１２を構成する作画受信部２１２４は、承認情報受信部２１２６が受信した承認情報に対応する第三装置３４から、原案を特定するための情報（例えば、原案識別子）と原案に対応する作画とを有する作画情報を受信する。作画受信部２１２４は、一の原案に対して、２以上の各第三装置３４から作画情報を受信しても良い。作画受信部２１２４は、一のネームに対して、２以上の各第三装置３４から作画情報を受信しても良い。
【０３９８】
作画担当申出受信部２１２１は、１または２以上の第三装置３４から、作画担当申出を受信する。作画担当申出は、例えば、原案識別子、作画者識別子を有する。
【０３９９】
承認情報受信部２１２６は、１以上の作画担当申出のうちの、少なくとも一の作画担当申出に対して、第一装置３２から承認を示す承認情報を受信する。承認情報は、通常、作画者の候補者の識別子を有する。少なくとも一の作画候補者担当申出とは、２以上の作画候補者担当申出に対して承認情報を受信しても良い趣旨である。
【０４００】
承認情報受信部２１２６は、作画候補者担当申出の送信に応じて、少なくとも一の作画候補者担当申出に対して、承認を示す承認情報を第一装置３２から受信する。
【０４０１】
承認情報受信部２１２６は、作品に対する承認情報を受信しても良い。承認情報受信部２１２６は、例えば、作画に対する承認情報、またはネームに対する承認情報を受信しても良い。承認情報受信部２１２６は、作品に対する承認情報を、当該作品を作成した者と同一のグループに属する他のグループ参加者から承認情報を受信しても良い。また、承認情報受信部２１２６は、作品に対する承認情報を、前工程に対応するすべての装置から承認情報を受信しても良い。なお、承認情報受信部２１２６は、不承認を示す不承認情報を受信する場合もある。
【０４０２】
送信部２１４は、各種の情報を第一装置３２、第二装置３３、第三装置３４、第四装置３５、または端末装置１６に送信する。
【０４０３】
送信部２１４を構成する作画担当申出送信部２１４１は、１以上の各作画担当申出の受信に応じて、１以上の各作画担当申出が有する原案を識別する情報に対応する第一装置３２に、１以上の各第三装置３４に対応する作画者の候補者である作画候補者からの作画を担当する旨の申し出である作画候補者担当申出を送信する。作画候補者担当申出は、例えば、作画者識別子を有する。作画候補者担当申出は、作画担当申出と同じでも良い。また、ここでの送信とは、通常、作画担当申出の受信に応じて自動的に送信することである。ただし、作画担当申出送信部２１４１は、第一装置３２からの漫画作成支援装置２１へのアクセスに応じて、作画候補者担当申出を送信しても良い。
【０４０４】
第一装置３２を構成する第一受付部３２２は、原案者または原作者から、指示や情報等を受け付ける。指示や情報等は、例えば、原案情報の送信指示、担当（例えば、作画候補者担当申出）に対する承認情報、原案、原作、コメント閲覧指示等である。指示や情報等の入力手段は、キーボードやマウスやタッチパネルやメニュー画面によるもの等、何でも良い。
【０４０５】
第一受信部３２５は、作品の担当の申出を漫画作成支援装置２１から受信する。作品の担当の申出は、例えば、ネーム作成の担当の申出、作画候補者担当申出、キャラクタの作成の担当の申出である。
【０４０６】
第二装置３３を構成する第二受付部３３２は、ネーム作成者から、指示や情報等を受け付ける。指示や情報等は、例えば、ネーム作成の担当の申出、ネーム情報の送信指示、ネーム、コメント閲覧指示、作品に対する承認情報または非承認情報等である。指示や情報等の入力手段は、キーボードやマウスやタッチパネルやメニュー画面によるもの等、何でも良い。
【０４０７】
第三装置３４を構成する第三受付部３４２は、作画者から、指示や情報等を受け付ける。指示や情報等は、例えば、作画の担当の申出、作画情報の送信指示、作画、コメント閲覧指示、作品に対する承認情報または非承認情報等である。指示や情報等の入力手段は、キーボードやマウスやタッチパネルやメニュー画面によるもの等、何でも良い。
【０４０８】
第四装置３５を構成する第四受付部３５２は、キャラクタ作成者から、指示や情報等を受け付ける。指示や情報等は、例えば、キャラクタ作成の担当の申出、キャラクタ情報の送信指示、キャラクタ、コメント閲覧指示、作品に対する承認情報または非承認情報等である。指示や情報等の入力手段は、キーボードやマウスやタッチパネルやメニュー画面によるもの等、何でも良い。
【０４０９】
受信部２１２、作画受信部２１２４、作画担当申出受信部２１２１、承認情報受信部２１２６、は、通常、無線または有線の通信手段で実現されるが、放送を受信する手段で実現されても良い。
【０４１０】
送信部２１４、作画担当申出送信部２１４１は、通常、無線または有線の通信手段で実現されるが、放送手段で実現されても良い。
【０４１１】
第一受付部３２２、第二受付部３３２、第三受付部３４２、第四受付部３５２は、キーボード等の入力手段のデバイスドライバーや、メニュー画面の制御ソフトウェア等で実現され得る。
【０４１２】
次に、漫画作成支援システム２の動作について説明する。まず、漫画作成支援装置２１の動作について、図２９、図３０、図３１のフローチャートを用いて説明する。図２９、図３０のフローチャートにおいて、図４〜図６のフローチャートと同一のステップについて、説明を省略する。
【０４１３】
（ステップＳ２９０１）受信部１１２は、作品担当の申出(例えば、作画担当申出)）を受信したか否かを判断する。作品担当の申出を受信すればステップＳ２９０２に行き、作品担当の申出を受信しなければステップＳ２９０３に行く。なお、作品担当の申出は、例えば、作品担当の候補者を識別するユーザ識別子、原案識別子を有する。
【０４１４】
（ステップＳ２９０２）送信部１１４は、ステップＳ２９０１で受信された作品担当の申出に応じた作品担当の申出を、原案者の第一装置３２に送信する。なお、送信部１１４は、例えば、ステップＳ２９０１で受信された作品担当の申出が有する原案識別子またはグループ識別子で識別される原案を作成した原案者のユーザ識別子と対になる通知先情報を用いて、作品担当の申出を原案者に送信する。
【０４１５】
（ステップＳ２９０３）承認情報受信部２１２６は、作品担当申出に対する承認情報を受信したか否かを判断する。承認情報を受信すればステップＳ２９０４に行き、承認情報を受信しなければステップＳ４３０に行く。なお、承認情報受信部２１２６が非承認情報を受信した場合、例えば、処理部１１３が当該非承認情報を蓄積し、かつ送信部１１４が依頼に対して承認されなかった旨を、作品担当を申し出た者に通知する。また、承認情報は、例えば、グループ識別子、承認者（原案者または原作者）の識別子、作品担当申出を送信した者の識別子、作品担当申出の識別子等のうちの１以上の情報を有する。
【０４１６】
（ステップＳ２９０４）グループ情報生成部１１３１は、グループ情報を生成するか否かを判断する。グループ情報を生成すると判断した場合はステップＳ２９０５に行き、グループ情報を生成しないと判断した場合はステップＳ２９０６に行く。なお、グループ情報生成部１１３１は、例えば、承認情報がグループ識別子を有しない場合はグループ情報を生成すると判断し、承認情報がグループ識別子を有する場合はグループ情報を生成しないと判断する。
【０４１７】
（ステップＳ２９０５）グループ情報生成部１１３１は、作品担当申出を送信した者と承認情報を送信した者（原案者または原作者）が、少なくとも含まれるグループのグループ情報を生成する。グループ情報生成部１１３１は、例えば、ユニークなグループ識別子を生成し、当該グループ識別子と、承認情報が有する承認情報の送信者の識別子と、作品担当申出が有する申出を送信した者の識別子とを有するグループ情報を生成する。
【０４１８】
（ステップＳ２９０６）グループ情報生成部１１３１は、承認情報が有する作品担当申出の送信者を、当該承認情報に対応するグループに追加する処理を行う。グループ情報生成部１１３１は、例えば、承認情報が有する作品担当申出の送信者の識別子を、承認情報が有するグループ識別子に対応するグループ情報に付加する。
【０４１９】
（ステップＳ２９０７）送信部１１４は、作品担当申出に対応して、承認された旨の情報（例えば、承認情報）を、作品担当申出の申出者に通知する。ステップＳ４０１に戻る。送信部１１４は、例えば、作品担当申出が有する作品担当申出の送信者の識別子に対応する通知先情報をユーザ格納部１１１０から取得し、当該通知先情報で示される通知先に承認情報を送信する。
【０４２０】
なお、図２９から図３１のフローチャートにおいて、電源オフや処理終了の割り込みにより処理は終了する。
【０４２１】
次に、第一装置３２の動作について説明する。第一装置３２の動作は、図７のフローチャートを用いて説明した第一装置１２の動作と概ね同様である。ただし、第一装置３２の第一受信部３２５は作品の担当の申出を漫画作成支援装置２１から受信する。そして、第一出力部１２６は、当該作品の担当の申出を出力する。そして、第一受付部３２２は、作品の担当の申出（例えば、作画候補者担当申出）に対する承認情報を受け付け得る。そして、かかる場合、第一処理部１２３は送信する承認情報を構成し、第一送信部１２４は構成された承認情報を漫画作成支援装置２１に送信する。
【０４２２】
次に、第二装置３３の動作について説明する。第二装置３３の動作は、図８のフローチャートを用いて説明した第二装置１３の動作と概ね同様である。ただし、第二受付部３３２は、ネーム作成の担当の申出を受け付け得る。そして、かかる場合、第二処理部１３３は送信する申出を構成し、第二送信部１３４は構成された申出を漫画作成支援装置２１に送信する。
【０４２３】
次に、第三装置３４の動作について説明する。第三装置３４の動作は、図９のフローチャートを用いて説明した第三装置１４の動作と概ね同様である。ただし、第三受付部３４２は、作画の担当の申出を受け付け得る。そして、かかる場合、第三処理部１４３は送信する申出を構成し、第三送信部１４４は構成された申出を漫画作成支援装置２１に送信する。
【０４２４】
次に、第四装置３５の動作について説明する。第四装置３５の動作は、図１０のフローチャートを用いて説明した第四装置１５の動作と概ね同様である。ただし、第四受付部３５２は、キャラクタ作成の担当の申出を受け付け得る。そして、かかる場合、第四処理部１５３は送信する申出を構成し、第四送信部１５４は構成された申出を漫画作成支援装置２１に送信する。
【０４２５】
以下、本実施の形態における漫画作成支援システム１の具体的な動作について説明する。  本具体例において、以下の（１）から（８）の手順で処理が流れることにより、漫画が完成する。
（１）原作者が作成した漫画の原作を漫画作成支援装置２１に投函（アップロード）する。また、通常、原作者が、漫画作成の参画を呼び掛ける情報を漫画作成支援装置２１に投函する。
（２）ネーム作成の候補者および作画の候補者が、共同制作の申出を漫画作成支援装置１１経由で原作者に送信する。なお、共同制作の申出とは、ネーム作成の申出、または作画の申出である。
（３）原作者は、通常、一人のネーム作成の候補者に対して、共同制作の参加を承認する。また、原作者は、通常、一人の作画の候補者に対して、共同制作の参加を承認する。
（４）ネーム作成者がネームを漫画作成支援装置１１に投函する。
（５）承認の対象者が、投函されたネームをチェックし、当該ネームに対して承認する。なお、承認の対象者がネームに対して承認するまで、（４）（５）の処理を繰り返す。なお、承認の対象者は、通常、原作者、または原作者と作画者である。
（６）作画者が作画を漫画作成支援装置１１に投函する。
（７）承認の対象者が、投函された作画をチェックし、当該作画に対して承認する。なお、承認の対象者が作画に対して承認するまで、（６）（７）の処理を繰り返す。承認の対象者は、通常、原作者およびネーム作成者である。
（８）承認の対象者が承認した作画が完成された漫画として蓄積される。
【０４２６】
今、ユーザ格納部１１１０は、図１２に示す構造を有するユーザ情報管理表を保持している。また、漫画格納部１１１１は、図１３に示す構造を有する漫画情報管理表を保持している。また、キャラクタ格納部１１１２は、図１４に示す構造を有するキャラクタ情報管理表を保持している。また、原作格納手段１１１３１は、図１５に示す構造を有する原作情報管理表を保持している。また、ネーム格納手段１１１３２は、図１６に示す構造を有するネーム情報管理表を保持している。また、作画格納部１１１４は、図１７に示す構造を有する作画情報管理表を保持している。また、グループ情報格納部１１１５は、図１８に示す構造を有するグループ情報管理表を保持している。さらに、コメント情報格納部１１１６は、図１９に示す構造を有するコメント情報管理表を保持している。
【０４２７】
かかる状況において、まず、ユーザ識別子「ｕ００１」で識別される原作者が自分の原作を投函する前に、実施の形態１の具体例で説明したように、グループ情報を作成するための操作を第一装置３２に対して行い、グループ情報が作成された、とする。なお、このグループ情報は、図１８の「ＩＤ＝１」のレコードのうち、グループ識別子「Ｇ００１」と原作者識別子「ｕ００１」とを有するグループ情報である、とする。
【０４２８】
また、次に、原作者「山田花子」が、図３２に示す画面を用いて、原作（原稿と言っても良い）、原作に関する情報、および共同制作者を募集する情報を第一装置３２に入力し、３００１の「原稿を公開する」ボタンを押下した、とする。
【０４２９】
次に、第一装置３２の第一受付部３２２は、原作、原作に関する情報等を受け付ける。そして、第一処理部１２３は、原作、原作に関する情報等を有する原作情報を構成する。なお、原作情報は、グループ識別子「Ｇ００１」を有する、とする。次に、第一送信部１２４は、構成された原作情報を漫画作成支援装置２１に送信する。
【０４３０】
次に、漫画作成支援装置２１の原案受信部１１２２は、当該原作情報を受信する。次に、原案蓄積部１１３３は、原案情報の受信に応じて、ユニークな原作識別子「ｏｒ００１」を生成し、当該原案識別子「ｏｒ００１」と、受信された原作情報が有する原作者識別子「ｕ００１」と原作等を有する原作情報を構成し、当該原作情報を原作情報管理表（図１５）に蓄積する。なお、この原作情報は、図１５の「ＩＤ＝１」のレコードと原作（ファイル「ｏｒｆ０１．ｔｘｔ」）である。また、原案蓄積部１１３３は、グループ識別子「Ｇ００１」に対応する原作識別子「ｏｒ００１」を、図１８のグループ管理表に蓄積する、とする。
【０４３１】
そして、図２１の画面を用いて「山田花子」が入力したグループの情報、および「山田花子」が作成した原作を、作画の候補者「青木次郎」が読んで、気に入った、とする。
【０４３２】
そして、「青木次郎」は、図３３の画面を用いて、参加したい作品（原作）を３３０１のフィールドに入力し、参加したいグループを３３０２のフィールドに入力し、アピールコメントを３３０３のフィールドに入力した、とする。そして、「青木次郎」は、「送信」ボタン３１０４を押下した、とする。なお、３３０２のフィールドに入力されたグループ名は、グループ識別子「Ｇ００１」に対応する。
【０４３３】
なお、図３３の画面において、既にあるグループを選択するのでなく、新しく作画を担当したい場合は、「青木次郎」は、「新規グループ希望」を示す情報を選択することができる、とする。つまり、３１０２のフィールドには、既存グループ、または「新規グループ希望」のいずれかを選択可能である、とする。
【０４３４】
次に、第三装置３４の第三受付部３４２は、グループ「マンガニア制作委員会」の作画担当申出を受け付ける。なお、作画担当申出は、グループ識別子「Ｇ００１」、アピールコメント「ＰＲ作品をみて気に入って頂けたら作画参加させて下さい！宜しくお願いします。」等を有する。
次に、第三装置３４の第三処理部１４３は、送信する作画担当申出を構成する。送信する作画担当申出は、「青木次郎」のユーザ識別子「ｕ００２」を有する。そして、第三送信部１４４は、構成された作画担当申出を漫画作成支援装置２１に送信する。
【０４３５】
次に、漫画作成支援装置２１の作画担当申出受信部２１２１は、作画担当申出を受信する。
【０４３６】
次に、送信部１１４は、受信された作画担当申出に含まれるグループ識別子「Ｇ００１」を取得し、当該グループ識別子「Ｇ００１」と対になる原作者識別子「ｕ００１」をグループ情報管理表から取得する。そして、送信部１１４は、原作者識別子「ｕ００１」と対になる通知先情報「ｙａ＠ａ．ｃｏｍ」をユーザ情報管理表から取得する。そして、送信部１１４は、通知先情報「ｙａ＠ａ．ｃｏｍ」を用いて、第一装置３２に、「青木次郎」の作画担当申出を送信する。なお、ここで、処理部１１３が、「青木次郎」の作画担当申出を、「山田花子」が閲覧可能なように、例えば、「山田花子」の情報の領域に書き込んでも良い。
【０４３７】
次に、第一装置３２の第一受信部３２５は「青木次郎」の作画担当申出を受信する。そして、第一出力部１２６は、当該作画担当申出を出力する。
【０４３８】
そして、「山田花子」は、「青木次郎」の作画（ＰＲ作品）をチェックし、気に入った、とする。そして、「山田花子」は、作画担当申出に対する承認情報を、第一装置３２に入力した、とする。
【０４３９】
次に、第一装置３２の第一受付部３２２は、作画担当申出に対する承認情報を受け付ける。そして、かかる場合、第一処理部１２３は、受け付けられた承認情報を用いて、送信する承認情報を構成する。なお、第一処理部１２３は、例えば、第一格納部１２１のユーザ識別子「ｕ００１」を取得し、当該ユーザ識別子と、受け付けられた承認情報とを有する承認情報を構成する。そして、第一送信部１２４は構成された承認情報を漫画作成支援装置２１に送信する。なお、承認情報は、グループ識別子「Ｇ００１」を有する。
【０４４０】
次に、漫画作成支援装置２１の承認情報受信部２１２６は、作画担当申出に対する承認情報を受信する。
【０４４１】
次に、グループ情報生成部１１３１は、グループ情報を生成しないと判断する。承認情報がグループ識別子「Ｇ００１」を有するからである。そして、グループ情報生成部１１３１は、承認情報が有する作品担当申出の送信者のユーザ識別子「ｕ００３」を、当該承認情報に対応するグループのグループ情報に追加する処理を行う。つまり、グループ情報生成部１１３１は、図１８のグループ情報管理表の「ＩＤ＝１」のレコードの作画者識別子の属性値として「ｕ００３」を蓄積する。
【０４４２】
次に、送信部１１４は、作画担当申出に対応して、承認された旨の情報（例えば、承認情報）を、作画担当申出の申出者「青木次郎」の第三装置３４に通知する。
【０４４３】
次に、第三装置３４の第三受信部１４５は、かかる承認情報を受信し、第三出力部１４６は当該承認情報を出力する。
【０４４４】
次に、「青木次郎」は、作画担当申出に対して承認してもらったので、グループを指定するとともに、第三装置３４にコメント「承認して頂きありがとうございます！  早速作画にとりかかります」を入力した、とする。すると、第三装置３４の第三受付部３４２は、当該コメントとグループ識別子「Ｇ００１」とを有するコメント情報を受け付ける。次に、第三処理部１４３は、第三格納部１４１のユーザ識別子「ｕ００３」を取得し、コメントとグループ識別子「Ｇ００１」とユーザ識別子「ｕ００３」とを有するコメント情報を構成する。次に、第三送信部１４４は、構成されたコメント情報を漫画作成支援装置２１に送信する。
【０４４５】
次に、漫画作成支援装置２１のコメント情報受信部１１２７は、「青木次郎」の第三装置３４から送信されたコメント情報を受信する。
【０４４６】
次に、コメント情報蓄積部１１３７は、通常、受信されたコメント情報を、グループ識別子「Ｇ００１」に対応付けてコメント情報管理表に蓄積する。ここで蓄積されたコメント情報は、図１９の「ＩＤ＝５８」のレコードである。
【０４４７】
そして、「山田花子」またはグループ識別子「Ｇ００１」で識別されるグループのメンバーがコメント閲覧指示を、第一装置３２等の装置に入力した場合、第一装置３２等は、漫画作成支援装置２１にグループ識別子「Ｇ００１」を有するコメント閲覧指示を送信する。次に、漫画作成支援装置２１のコメント閲覧指示受信部１１２８は、コメント閲覧指示を受信する。そして、処理部１１３は、受信されたコメント閲覧指示に対応する１以上のコメントを取得する。次に、コメント送信部１１４２は、取得された１以上のコメントを、コメント閲覧指示を送信してきた装置に送信する。
【０４４８】
次に、第一装置３２等の装置は、１以上のコメントを受信し、出力する。かかる出力例は、図３４である。図３４の３４０１が「青木次郎」が入力したコメントである。なお、複数の共同作業者が入力したコメントが第一装置３２、第二装置３３、第三装置３４、または第四装置３５に出力されている他の画面例を図３５に示す。
【０４４９】
そして、以降、グループ識別子「Ｇ００１」で識別されるグループのメンバーは、お互いにコミュニケーションを取りながら、各自の作業、および作品に対する承認を進めることができる。作品に対する承認の処理ついては、実施の形態１で説明したので、ここでの詳細な説明は省略する。
【０４５０】
次に、一般ユーザＡは、端末装置１６に、著作者情報出力指示と漫画の取得指示とを入力した、とする。そして、かかる場合、実施の形態１で説明したように、端末装置１６には、漫画と著作者情報とが出力される。
【０４５１】
以上、本実施の形態によれば、各自の得意な作業（原作の作成、ネーム作成、作画等のいずれかの作業）を生かして、漫画の作成が行えるグループウェア環境を提供できる。
【０４５２】
また、本実施の形態において、漫画完成までの共同作業のプロトコルを実現するグループウェア環境を提供できる。
【０４５３】
また、本実施の形態において、グループのメンバーが作品に対して承認しながら作業を進めるので、各メンバーが納得のいく漫画が作成できる。
【０４５４】
また、本実施の形態において、各自の得意な作業を生かして、作成された漫画を第三者に提供できるシステム環境を提供できる。
【０４５５】
なお、本実施の形態の具体例によれば、一人の作画者がグループへの参画を打診した。しかし、２以上の作画者がグループへの参画を打診しても良い。また、かかる場合、作画受信部１１２４は、一の原案に対して、２以上の各第三装置１４から作画情報を受信しても良い。また、ネーム受信部１１２３は、一の原案に対して、２以上の各第二装置１３からネーム情報を受信しても良い。また、かかる場合、同一の原作に対して複数のグループが構築されても良い。また、かかる場合、同一の原作・同一のネームに対して複数のグループが構築されても良い。つまり、グループ情報生成部１１３１は、一の原作に対応する原作者と一のネームのネーム作成者と一の作画の作画者のグループに関するグループ情報、または一の原案の原案者と一の作画の作画者のグループに関するグループ情報を生成し、グループ情報格納部１１１５に蓄積し、かつ、２以上のグループに対応する２以上の原作が同一、または２以上のグループに対応する２以上の原作および２以上のネームが同一であっても良い。
【０４５６】
また、本実施の形態において、１または２以上の翻訳者が原案者にグループへの参画を打診しても良い。かかる場合、例えば、翻訳者は図示しない第五装置を用いて、承認情報等を入力しても良い。かかる場合、第五装置は、第二装置３３、第三装置３４、または第四装置３５と同様の動作を行う。
【０４５７】
また、本実施の形態において、漫画作成支援装置１１は、キャラクタを第四装置１５から受信し、当該キャラクタを指定した原案または作画を、第一装置１２または第三装置１４から受信しても良い。
【０４５８】
また、本実施の形態において、漫画を完成させるための処理の流れとして、第一装置１２から原案である原作を受信する第一ステップ、第二装置１３からネームを受信する第二ステップ、および第三装置１４から作画を受信する第三ステップの３工程を有する第一処理の場合、または第一装置１２から原案である原作とネームとを受信する第一ステップ、および第三装置１４から作画を受信する第三ステップの２工程を有する第二処理の場合があり得るとする。また、承認情報受信部１１２６が、第一処理の場合および第二処理の場合において、一のステップに進むために当該一のステップより前の工程のステップに対応するすべての装置から、一のステップに対応する作品または作品の作者に対する承認を示す承認情報を受信した場合に、一のステップに進み得ることは好適である。
【０４５９】
さらに、本実施の形態における漫画作成支援装置２１を実現するソフトウェアは、以下のようなプログラムである。つまり、このプログラムは、コンピュータがアクセス可能な記録媒体は、漫画を有する１以上の漫画情報を格納し得る漫画格納部と、漫画の原案を有する１以上の原案情報を格納し得る原案格納部とを具備し、コンピュータを、１以上の第一装置から、漫画の原案を有する１以上の原案情報を受信する原案受信部と、前記原案受信部が受信した原案情報を前記原案格納部に蓄積する原案蓄積部と、１以上の第三装置から、作画を担当する旨の申し出であり、原案を特定する情報を有する申し出である１以上の作画担当申出を受信する作画担当申出受信部と、前記１以上の作画担当申出のうちの、少なくとも一の作画担当申出に対して、前記第一装置から承認を示す承認情報を受信する承認情報受信部と、前記承認情報受信部が受信した承認情報に対応する第三装置から、原案を特定する情報と当該原案に対応する作画とを有する作画情報を受信する作画受信部と、前記作画受信部が受信した作画情報が有する作画を用いて完成された漫画を有する漫画情報を前記漫画格納部に蓄積する漫画蓄積部として機能させるためのプログラムである。
【０４６０】
また、上記プログラムにおいて、前記１以上の各作画担当申出の受信に応じて、前記１以上の各作画担当申出が有する原案を特定する情報に対応する第一装置に、前記１以上の各第三装置に対応する作画者の候補者である作画候補者からの作画を担当する旨の申し出である作画候補者担当申出を送信する作画担当申出送信部として、コンピュータをさらに機能させ、前記承認情報受信部は、前記作画候補者担当申出の送信に応じて、少なくとも一の作画候補者担当申出に対して、承認を示す承認情報を前記第一装置から受信するものとして、コンピュータを機能させることは好適である。
【０４６１】
また、上記プログラムにおいて、漫画を識別する漫画識別子を有する指示であり、漫画を取得する指示である取得指示を端末装置から受信する取得指示受信部と、前記取得指示が有する漫画識別子に対応する漫画を前記漫画格納部から取得し、当該漫画を前記端末装置に送信する漫画送信部として、コンピュータをさらに機能させることは好適である。
【０４６２】
また、上記プログラムにおいて、前記漫画の原案は原作またはネームであり、前記漫画の原案が原作の場合、１以上の各第二装置から、原案を特定する情報と当該原案を特定する情報で特定される原作に対するネームとを有する１以上のネーム情報を受信するネーム受信部と、前記ネーム受信部が受信した１以上のネーム情報を前記原案格納部に蓄積するネーム蓄積部として、コンピュータをさらに機能させることは好適である。
【０４６３】
また、上記プログラムにおいて、漫画を完成させるための処理の流れとして、前記第一装置から原案である原作を受信する第一ステップ、前記第二装置からネームを受信する第二ステップ、および前記第三装置から作画を受信する第三ステップの３工程を有する第一処理の場合、または前記第一装置から原案である原作とネームとを受信する第一ステップ、および前記第三装置から作画を受信する第三ステップの２工程を有する第二処理の場合があり得、前記承認情報受信部が、前記第一処理の場合および前記第二処理の場合において、一のステップに進むために当該一のステップより前の工程のステップに対応するすべての装置から、前記一のステップに対応する作品または作品の作者に対する承認を示す承認情報を受信した場合に、前記一のステップに進み得るものとして、コンピュータを機能させることは好適である。
【０４６４】
また、上記プログラムにおいて、前記作画受信部は、一の原案に対して、２以上の各第三装置から作画情報を受信するものとして、コンピュータを機能させることは好適である。
【０４６５】
また、上記プログラムにおいて、前記原案は原作であり、前記ネーム受信部は、一の原案に対して、２以上の各第二装置からネーム情報を受信し、
前記作画受信部は、一のネームに対して、２以上の各第三装置から作画情報を受信するものとして、コンピュータを機能させることは好適である。
【０４６６】
また、上記プログラムにおいて、漫画の複数の作成寄与者からなるグループに関する情報であり、グループを識別するグループ識別子と漫画の作成寄与者を識別する２以上の寄与者識別子とを有する１以上のグループ情報を格納し得るグループ情報格納部と、寄与者識別子で識別できる寄与者の装置である第一装置または第二装置または第三装置から送信されたコメントと寄与者識別子とを含む１以上のコメント情報をグループ識別子に対応付けて格納し得るコメント情報格納部と、原作者とネーム作成者と作画者のグループに関するグループ情報、または原案者と作画者のグループに関するグループ情報を生成し、前記グループ情報格納部に蓄積するグループ情報生成部と、寄与者の装置から、寄与者識別子とコメントとを含むコメント情報と、グループ識別子とを受信するコメント情報受信部と、前記コメント情報受信部が受信したコメント情報を、前記コメント情報受信部が受信したグループ識別子に対応付けて、前記コメント情報格納部に蓄積するコメント情報蓄積部と、寄与者の装置から、コメントを閲覧する指示であり、グループ識別子を有するコメント閲覧指示を受信するコメント閲覧指示受信部と、前記コメント閲覧指示の受信に応じて、前記コメント閲覧指示が有するグループ識別子に対応する１以上のコメントを前記コメント情報格納部から取得し、当該１以上のコメントを前記寄与者の装置に送信するコメント送信部として、コンピュータをさらに機能させることは好適である。
【０４６７】
また、上記プログラムにおいて、前記グループ情報生成部は、一の原作に対応する原作者と一のネームのネーム作成者と一の作画の作画者のグループに関するグループ情報、または一の原案の原案者と一の作画の作画者のグループに関するグループ情報を生成し、前記グループ情報格納部に蓄積し、かつ、２以上のグループに対応する２以上の原作が同一、または２以上のグループに対応する２以上の原作および２以上のネームが同一であるものとして、コンピュータを機能させることは好適である。
【０４６８】
また、上記プログラムにおいて、キャラクタとキャラクタの作者を識別するキャラクタ作者識別子とキャラクタを識別するキャラクタ識別子とを有する１以上のキャラクタ情報を格納し得るキャラクタ格納部と、第四装置から、キャラクタ作者識別子とキャラクタとを受信するキャラクタ受信部と、前記キャラクタ受信部が受信したキャラクタ作者識別子とキャラクタと、キャラクタ識別子とを有するキャラクタ情報を前記キャラクタ格納部に蓄積するキャラクタ蓄積部としてさらにコンピュータを機能させ、前記原案受信部はキャラクタ識別子を有する原案情報を受信する、または前記作画受信部はキャラクタ識別子を有する作画情報を受信するものとして、コンピュータを機能させることは好適である。
【０４６９】
また、上記プログラムにおいて、一の漫画と対になる寄与者識別子に対応する原案者、作画者、キャラクタ作者のうちの１以上の寄与者に関する情報である１以上の著作者情報を取得する著作者情報取得部と、前記１以上の著作者情報を出力する著作者情報出力部として、コンピュータを機能させることは好適である。
【０４７０】
また、上記プログラムにおいて、前記１以上の著作者情報を用いて、１以上の各寄与者の収益を算出する収益算出部と、前記１以上の各寄与者の収益を出力する収益出力部として、コンピュータをさらに機能させることは好適である。
【０４７１】
また、上記プログラムにおいて、漫画の作画を有する１以上の作画情報を格納し得る作画格納部と、前記作画受信部が受信した作画情報を前記作画格納部に蓄積する作画蓄積部として、さらにコンピュータを機能させ、前記承認情報受信部は、前記作画格納部の作画情報に対する承認情報を受信し、前記漫画蓄積部は、前記承認情報に対する作画情報が有する作画を有する漫画情報を前記漫画格納部に蓄積するものとして、コンピュータを機能させることは好適である。
【０４７２】
（実施の形態３）
本実施の形態において、複数の立場の者が共同して、漫画を作成する環境を提供する漫画作成支援システムについて説明する。
【０４７３】
本実施の形態において、漫画作成支援システムは、原作者または原案者が、２以上の作品から一の作品を選択する作品選択のアプローチを採る。つまり、本実施の形態において、漫画作成支援システムを構成する第一装置から原案が投函され、当該原案を指定した１または２以上の作品を受け付け、原案者が一の作品を選択することにより、漫画の作成が進む。また、原案者が一の作画を選択した場合、漫画が完成する。なお、作品とは、通常、作画であるが、ネームやキャラクタ等でも良い。
【０４７４】
本実施の形態における漫画作成支援システム３の概念図は、図１と同様である。漫画作成支援システム３は、漫画作成支援装置３１、１または２以上の第一装置１２、１または２以上の第二装置１３、１または２以上の第三装置１４、１または２以上の第四装置１５、１または２以上の端末装置１６を備える。
【０４７５】
図３６は、本実施の形態における漫画作成支援システム３を構成する漫画作成支援装置３１のブロック図である。
【０４７６】
漫画作成支援装置３１は、格納部１１１、受信部３１２、処理部３１３、送信部１１４を備える。
【０４７７】
受信部３１２は、グループ情報受信部１１２０、キャラクタ受信部１１２１、原案受信部１１２２、ネーム受信部１１２３、作画受信部１１２４、承認情報受信部３１２６、コメント情報受信部１１２７、コメント閲覧指示受信部１１２８、取得指示受信部１１２９を備える。
【０４７８】
処理部３１３は、グループ情報生成部１１３１、キャラクタ蓄積部１１３２、原案蓄積部１１３３、ネーム蓄積部１１３４、作画蓄積部３１３５、漫画蓄積部３１３６、コメント情報蓄積部１１３７、著作者情報取得部１１３８、収益算出部１１３９を備える。
【０４７９】
漫画作成支援装置３１を構成する受信部３１２は、第一装置１２または第二装置１３または第三装置１４または第四装置１５または端末装置１６から、情報や指示等を受信する。
【０４８０】
承認情報受信部３１２６は、一の作品に対する承認を示す情報であり、作品を特定する情報を有する承認情報を第一装置１２から受信する。なお、作品は、例えば、作画、ネーム、キャラクタ等である。また、作品を特定する情報は、例えば、作画識別子、グループ識別子等である。承認情報受信部３１２６は、作画格納部１１１４の作画情報に対する承認情報を受信する。
【０４８１】
処理部３１３は、各種の処理を行う。各種の処理とは、例えば、グループ情報生成部１１３１、キャラクタ蓄積部１１３２、原案蓄積部１１３３、ネーム蓄積部１１３４、作画蓄積部３１３５、漫画蓄積部３１３６、コメント情報蓄積部１１３７、著作者情報取得部１１３８、収益算出部１１３９が行う処理である。
【０４８２】
作画蓄積部３１３５は、作画受信部１１２４が受信した作画情報を作画格納部１１１４に蓄積する。なお、作画情報は、通常、原作または原案を特定する情報を有する。原作または原案を特定する情報は、例えば、原作識別子、グループ識別子等である。
【０４８３】
漫画蓄積部３１３６は、承認情報が有する作画を特定する情報に対応する作画を用いて完成された漫画を有する漫画情報を漫画格納部１１１１に蓄積する。なお、作画を特定する情報とは、例えば、作画識別子、グループ識別子、作画者識別子等である。漫画蓄積部３１３６は、承認情報に対する作画情報が有する作画を有する漫画情報を漫画格納部１１１１に蓄積することは好適である。なお、作画を用いて完成された漫画とは、作画そのものでも良い。
【０４８４】
受信部３１２、承認情報受信部３１２６は、通常、無線または有線の通信手段で実現されるが、放送を受信する手段で実現されても良い。
【０４８５】
処理部３１３、作画蓄積部３１３５、漫画蓄積部３１３６は、通常、ＭＰＵやメモリ等から実現され得る。処理部３１３の処理手順は、通常、ソフトウェアで実現され、当該ソフトウェアはＲＯＭ等の記録媒体に記録されている。但し、ハードウェア（専用回路）で実現しても良い。
【０４８６】
次に、漫画作成支援システム３の動作について説明する。まず、漫画作成支援装置３１の動作について、図３７のフローチャートを用いて説明する。なお、図３７のフローチャートにおいて、図４〜図６のフローチャートと同一のステップについて、説明を省略する。また、漫画作成支援装置３１の動作のうち、ステップＳ４３９〜Ｓ４５８は、図３１に示す。
【０４８７】
（ステップＳ３７０１）承認情報受信部３１２６は、作品に対する承認情報を受信したか否かを判断する。承認情報を受信すればステップＳ３７０２に行き、承認情報を受信しなければステップＳ４３９に行く。
【０４８８】
（ステップＳ３７０２）処理部３１３は、ステップＳ３７０１で受信された承認情報を、承認情報に対する作品に対応付けて蓄積する。また、処理部３１３は、
【０４８９】
（ステップＳ３７０３）送信部１１４は、承認情報に対応する作品の作者のユーザ識別子を取得する。そして、送信部１１４は、当該ユーザ識別子に対応する通知先情報を用いて、作品の作者の装置に、作品が承認された旨の情報を通知する。
【０４９０】
（ステップＳ３７０４）処理部３１３は、ステップＳ３７０１で受信された承認情報が作画に対する承認情報か否かを判断する。作画に対する承認情報であればステップＳ３７０５に行き、作画に対する承認情報でなければステップＳ４０１に戻る。
【０４９１】
（ステップＳ３７０５）漫画蓄積部３１３６は、承認情報が有する作画を特定する情報に対応する作画を用いて完成された漫画を有する漫画情報を漫画格納部１１１１に蓄積する。
【０４９２】
（ステップＳ３７０６）送信部１１４は、承認情報に対応するグループの全員に、漫画が完成された旨の通知を行う。ステップＳ４０１に戻る。なお、送信部１１４は、原作者および作画者のみに、漫画が完成された旨の通知を行っても良い。
【０４９３】
なお、図３７のフローチャートにおいて、電源オフや処理終了の割り込みにより処理は終了する。
【０４９４】
以上、本実施の形態によれば、各自の得意な作業（原作の作成、ネーム作成、作画等のいずれかの作業）を生かして、漫画の作成が行えるグループウェア環境を提供できる。
【０４９５】
また、本実施の形態において、漫画完成までの共同作業のプロトコルを実現するグループウェア環境を提供できる。なお、ここでのプロトコルは、原作者または原案者が、他の作業者（作画者または／およびネーム作成者）の作品に対して承認することにより、共同作業が進んでいく手順である。
【０４９６】
また、本実施の形態において、各自の得意な作業を生かして、作成された漫画を第三者に提供できるシステム環境を提供できる。
【０４９７】
なお、本実施の形態における漫画作成支援装置３１を実現するソフトウェアは、以下のようなプログラムである。つまり、このプログラムにおいて、コンピュータがアクセス可能な記録媒体は、漫画を有する１以上の漫画情報を格納し得る漫画格納部と、漫画の原案を有する１以上の原案情報を格納し得る原案格納部とを具備し、コンピュータを、１以上の第一装置から、１以上の原案情報を受信する原案受信部と、前記原案受信部が受信した１以上の原案情報を前記原案格納部に蓄積する原案蓄積部と、１以上の各第三装置から、原案を特定する情報と当該原案に対応する作画とを有する作画情報を受信する作画受信部と、一の作画に対する承認を示す情報であり、当該作画を特定する情報を有する承認情報を前記第一装置から受信する承認情報受信部と、前記承認情報が有する作画を特定する情報に対応する作画を用いて完成された漫画を有する漫画情報を前記漫画格納部に蓄積する漫画蓄積部として機能させるためのプログラムである。
【０４９８】
また、図３８は、本明細書で述べたプログラムを実行して、上述した種々の実施の形態の漫画作成支援装置等を実現するコンピュータの外観を示す。上述の実施の形態は、コンピュータハードウェア及びその上で実行されるコンピュータプログラムで実現され得る。図３８は、このコンピュータシステム３００の概観図であり、図３９は、システム３００のブロック図である。
【０４９９】
図３８おいて、コンピュータシステム３００は、ＣＤ−ＲＯＭドライブを含むコンピュータ３０１と、キーボード３０２と、マウス３０３と、モニタ３０４とを含む。
【０５００】
図３９において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０５０１】
コンピュータシステム３００に、上述した実施の形態の漫画作成支援装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０５０２】
プログラムは、コンピュータ３０１に、上述した実施の形態の漫画作成支援装置等の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０５０３】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０５０４】
また、上記プログラムを実行するコンピュータは、単数であってもよく、複数であってもよい。すなわち、集中処理を行ってもよく、あるいは分散処理を行ってもよい。
【０５０５】
また、上記各実施の形態において、一の装置に存在する２以上の通信手段は、物理的に一の媒体で実現されても良いことは言うまでもない。
【０５０６】
また、上記各実施の形態において、各処理（各機能）は、単一の装置（システム）によって集中処理されることによって実現されてもよく、あるいは、複数の装置によって分散処理されることによって実現されてもよい。
【０５０７】
本発明は、以上の実施の形態に限定されることなく、種々の変更が可能であり、それらも本発明の範囲内に包含されるものであることは言うまでもない。
【産業上の利用可能性】
【０５０８】
以上のように、本発明にかかる漫画作成支援装置は、各自の得意な作業を生かして、漫画の作成が行えるグループウェア環境を提供できるという効果を有し、漫画作成の支援を行うＷｅｂサーバ装置等として有用である。
【符号の説明】
【０５０９】
１、２、３  漫画作成支援システム
１１、２１、３１  漫画作成支援装置
１２、３２  第一装置
１３、３３  第二装置
１４、３４  第三装置
１５、３５  第四装置
１６  端末装置
１１１  格納部
１１２、２１２、３１２  受信部
１１３、３１３  処理部
１１４、２１４  送信部
１２１  第一格納部
１２２、３２２  第一受付部
１２３  第一処理部
１２４  第一送信部
１２５、３２５  第一受信部
１２６  第一出力部
１３１  第二格納部
１３２、３３２  第二受付部
１３３  第二処理部
１３４  第二送信部
１３５  第二受信部
１３６  第二出力部
１４１  第三格納部
１４２、３４２  第三受付部
１４３  第三処理部
１４４  第三送信部
１４５  第三受信部
１４６  第三出力部
１５１  第四格納部
１５２、３５２  第四受付部
１５３  第四処理部
１５４  第四送信部
１５５  第四受信部
１５６  第四出力部
１６１  端末格納部
１６２  端末受付部
１６３  端末処理部
１６４  端末送信部
１６５  端末受信部
１６６  端末出力部
１１１０  ユーザ格納部
１１１１  漫画格納部
１１１２  キャラクタ格納部
１１１３  原案格納部
１１１４  作画格納部
１１１５  グループ情報格納部
１１１６  コメント情報格納部
１１２０  グループ情報受信部
１１２１  キャラクタ受信部
１１２２  原案受信部
１１２３  ネーム受信部
１１２４、２１２４  作画受信部
１１２５  作画依頼受信部
１１２６、２１２６、３１２６  承認情報受信部
１１２７  コメント情報受信部
１１２８  コメント閲覧指示受信部
１１２９  取得指示受信部
１１３１  グループ情報生成部
１１３２  キャラクタ蓄積部
１１３３  原案蓄積部
１１３４  ネーム蓄積部
１１３５、３１３５  作画蓄積部
１１３６、３１３６  漫画蓄積部
１１３７  コメント情報蓄積部
１１３８  著作者情報取得部
１１３９  収益算出部
１１４１  作画回答依頼送信部
１１４２  コメント送信部
１１４３  漫画送信部
１１４４  著作者情報出力部
１１４５  収益出力部
２１２１  作画担当申出受信部
２１４１  作画担当申出送信部
１１１３１  原作格納手段
１１１３２  ネーム格納手段
【図１】
2015219905.tif 000003
【図２】
2015219905.tif 000004
【図３】
2015219905.tif 000005
【図４】
2015219905.tif 000006
【図５】
2015219905.tif 000007
【図６】
2015219905.tif 000008
【図７】
2015219905.tif 000009
【図８】
2015219905.tif 000010
【図９】
2015219905.tif 000011
【図１０】
2015219905.tif 000012
【図１２】
2015219905.tif 000013
【図１３】
2015219905.tif 000014
【図１４】
2015219905.tif 000015
【図１５】
2015219905.tif 000016
【図１６】
2015219905.tif 000017
【図１７】
2015219905.tif 000018
【図１８】
2015219905.tif 000019
【図１９】
2015219905.tif 000020
【図２１】
2015219905.tif 000021
【図２５】
2015219905.tif 000022
【図２７】
2015219905.tif 000023
【図２８】
2015219905.tif 000024
【図２９】
2015219905.tif 000025
【図３０】
2015219905.tif 000026
【図３１】
2015219905.tif 000027
【図３２】
2015219905.tif 000028
【図３３】
2015219905.tif 000029
【図３６】
2015219905.tif 000030
【図３７】
2015219905.tif 000031
【図３８】
2015219905.tif 000032
【図３９】
2015219905.tif 000033
【図１１】
2015219905.tif 000034
【図２０】
2015219905.tif 000035
【図２２】
2015219905.tif 000036
【図２３】
2015219905.tif 000037
【図２４】
2015219905.tif 000038
【図２６】
2015219905.tif 000039
【図３４】
2015219905.tif 000040
【図３５】
2015219905.tif 000041